(57)【要約】【課題】無線通信システムにおけるアップリンクの送受信方法及びこのための装置を開示する。【解決手段】無線通信システムにおけるユーザー装置（ＵＥ）がアップリンクの転送を遂行する方法において、基地局からサウンディング参照信号（ＳＲＳ）リソースの指示（ＳＲＩ）及びプリコーディングの指示を含むダウンリンク制御情報（ＤＣＩ）を受信する段階と、ＳＲＩによって選択されたＳＲＳリソース内で転送されたＳＲＳのアンテナポート上にプリコーディングの指示によって指示されたプリコーティングを適用し、基地局にアップリンクを転送する段階とを含むことができる。【選択図】図１３
2019535174.tif 000002
【特許請求の範囲】
【請求項１】
無線通信システムにおけるユーザー装置（ＵＥ：Ｕｓｅｒ  Ｅｑｕｉｐｍｅｎｔ）がアップリンクの転送を遂行する方法において、
基地局からサウンディング参照信号（ＳＲＳ：Ｓｏｕｎｄｉｎｇ  Ｒｅｆｅｒｅｎｃｅ  Ｓｉｇｎａｌ）リソースの指示（ＳＲＩ：ＳＲＳ  Ｒｅｓｏｕｒｃｅ  Ｉｎｄｉｃａｔｉｏｎ）及びプリコーディングの指示を含むダウンリンク制御情報（ＤＣＩ：Ｄｏｗｎｌｉｎｋ  Ｃｏｎｔｒｏｌ  Ｉｎｆｏｒｍａｔｉｏｎ）を受信する段階と、
前記ＳＲＩによって選択されたＳＲＳのリソース内で転送されたＳＲＳのアンテナポート上に前記プリコーディングの指示によって指示されたプリコーティングを適用し、前記基地局にアップリンクを転送する段階と、を含む、アップリンク転送方法。
【請求項２】
前記ＵＥに設定された一つ以上のＳＲＳリソース別にプリコーディングされたＳＲＳを前記基地局に転送する段階をさらに含む、請求項１に記載のアップリンク転送方法。
【請求項３】
前記プリコーディングされたＳＲＳの転送のために適用されるビームフォーミングベクトル（ｂｅａｎｆｏｒｍｉｎｇ）及び／又はビームフォーミング係数（ｂｅａｍｆｏｒｍｉｎｇ  ｃｏｅｆｆｉｃｉｅｎｔ）は、制御チャンネルシグナリングによって、前記基地局により設定されるか、又は前記ＵＥが任意に決定する、請求項２に記載のアップリンク転送方法。
【請求項４】
前記ＳＲＳリソース内の前記プリコーディングされたＳＲＳの転送のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）は、ダウンリンク参照信号（ＤＬ  ＲＳ：Ｄｏｗｎｌｉｎｋ  Ｒｅｆｅｒｅｎｃｅ  Ｓｉｇｎａｌ）の受信のために用いたビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）に基づいて決定される、請求項２に記載のアップリンク転送方法。
【請求項５】
前記ＤＬ  ＲＳは、チャンネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）であり、
前記プリコーディングされたＳＲＳの転送のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）を決定するために用いられるＣＳＩ−ＲＳリソースは、前記基地局により指示される、請求項４に記載のアップリンク転送方法。
【請求項６】
前記ＳＲＳリソース内で前記プリコーディングされたＳＲＳの転送のために各サブバンド別に独立してビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）が適用される、請求項２に記載のアップリンク転送方法。
【請求項７】
前記サブバンド別に前記プリコーディングされたＳＲＳの転送のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）は、（ＤＬ  ＲＳ：Ｄｏｗｎｌｉｎｋ  Ｒｅｆｅｒｅｎｃｅ  Ｓｉｇｎａｌ）の受信のために用いたビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）に基づいて決定される、請求項６に記載のアップリンク転送方法。
【請求項８】
前記ＤＬ  ＲＳは、チャンネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）であり、
前記プリコーディングされたＳＲＳの転送のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）を決定するために用いられるＣＳＩ−ＲＳリソースは、前記基地局によって指示される、請求項７に記載のアップリンク転送方法。
【請求項９】
前記ＤＣＩは、前記アップリンクの転送のためのランク指示（ｒａｎｋ  ｉｎｄｉｃａｔｉｏｎ）をさらに含む、請求項１に記載のアップリンク転送方法。
【請求項１０】
前記アップリンクの転送のためのランクの数は、前記ＳＲＩによって選択されたＳＲＳリソース内で転送されたＳＲＳのアンテナポートの数で決定される、請求項１に記載のアップリンク転送方法。
【請求項１１】
前記プリコーディングの指示は、第１プリコーディングの指示及び第２プリコーディングの指示に区分され、前記第２プリコーディングの指示は、前記ＵＥにスケジューリングされるアップリンクリソース割当情報とジョイントエンコーディング（ｊｏｉｎｔ  ｅｎｃｏｄｉｎｇ）される、請求項１に記載のアップリンク転送方法。
【請求項１２】
無線通信システムにおけるアップリンクの転送を遂行するユーザー装置（ＵＥ：Ｕｓｅｒ  Ｅｑｕｉｐｍｅｎｔ）において、
無線信号を送受信するためのＲＦ（Ｒａｄｉｏ  Ｆｒｅｑｕｅｎｃｙ）ユニットと、
前記ＲＦユニットを制御するプロセッサと、を含み、
前記プロセッサは、基地局からサウンディング参照信号（ＳＲＳ：Ｓｏｕｎｄｉｎｇ  Ｒｅｆｅｒｅｎｃｅ  Ｓｉｇｎａｌ）リソースの指示（ＳＲＩ：ＳＲＳ  Ｒｅｓｏｕｒｃｅ  Ｉｎｄｉｃａｔｉｏｎ）及びプリコーディングの指示を含むダウンリンク制御情報（ＤＣＩ：Ｄｏｗｎｌｉｎｋ  Ｃｏｎｔｒｏｌ  Ｉｎｆｏｒｍａｔｉｏｎ）を受信し、
前記ＳＲＩによって選択されたＳＲＳリソース内で転送されたＳＲＳのアンテナポート上に前記プリコーディングの指示によって指示されたプリコーティングを適用し、前記基地局にアップリンクを転送するように構成されるユーザー装置。
【発明の詳細な説明】
【技術分野】
【０００１】
本発明は、無線通信システムに関し、より詳細には、アップリンクＭＩＭＯ（Ｍｕｌｔｉ  Ｉｎｐｕｔ  Ｍｕｌｔｉ  Ｏｕｔｐｕｔ）の転送のための方法、及びこれを支援する装置に関する。
【背景技術】
【０００２】
移動通信システムは、ユーザーの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザーがより高速のサービスを要求するので、より発展した移動通信システムが要求されている。
【０００３】
次世代移動通信システムの要求条件は、大きく爆発的なデータトラフィックの収容、ユーザー当たりの送信率の画期的な増加、大幅増加した接続デバイス数の収容、非常に低いエンドツーエンド遅延（Ｅｎｄ−ｔｏ−Ｅｎｄ Ｌａｔｅｎｃｙ）、高エネルギー効率を支援できなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本発明の目的は、アップリンクＭＩＭＯ（Ｍｕｌｔｉ  Ｉｎｐｕｔ  Ｍｕｌｔｉ  Ｏｕｔｐｕｔ）の転送のための方法を提案することにある。
【０００５】
また、本発明の目的は、アップリンクＭＩＭＯ（Ｍｕｌｔｉ  Ｉｎｐｕｔ  Ｍｕｌｔｉ  Ｏｕｔｐｕｔ）の転送のためにダウンリンク制御情報（ＤＣＩ：Ｄｏｗｎｌｉｎｋ  Ｃｏｎｔｒｏｌ  Ｉｎｆｏｒｍａｔｉｏｎ）を構成する方法を提案することにある。
【０００６】
また、本発明の目的は、アップリンクＭＩＭＯ（Ｍｕｌｔｉ  Ｉｎｐｕｔ  Ｍｕｌｔｉ  Ｏｕｔｐｕｔ）の転送のためにベースとなるアップリンク参照信号（Ｕｐｌｉｎｋ  Ｒｅｆｅｒｅｎｃｅ  Ｓｉｇｎａｌ）を転送する方法、及びこれを制御する方法を提案することにある。
【０００７】
本発明で解決しようとする技術的課題は、以上で言及した技術的課題に制限されず、言及しないまた別の技術的課題は、以下の記載から本発明が属する技術分野で通常の知識を有する者に明確に理解されるべきである。
【課題を解決するための手段】
【０００８】
本発明の一態様は、無線通信システムにおけるユーザー装置（ＵＥ：Ｕｓｅｒ  Ｅｑｕｉｐｍｅｎｔ）がアップリンクの転送を遂行する方法において、基地局からサウンディング参照信号（Ｓｏｕｎｄｉｎｇ  Ｒｅｆｅｒｅｎｃｅ  Ｓｉｇｎａｌ）リソースの指示（ＳＲＩ：ＳＲＳ  Ｒｅｓｏｕｒｃｅ  Ｉｎｄｉｃａｔｉｏｎ）及びプリコーディングの指示を含むダウンリンク制御情報（ＤＣＩ：Ｄｏｗｎｌｉｎｋ  Ｃｏｎｔｒｏｌ  Ｉｎｆｏｒｍａｔｉｏｎ）を受信する段階と、前記ＳＲＩによって選択されたＳＲＳのリソース内で転送されたＳＲＳのアンテナポート上に前記プリコーディングの指示によって指示されたプリコーティングを適用し、前記基地局にアップリンクを転送する段階とを含むことができる。
【０００９】
本発明の他の一態様は、無線通信システムにおけるアップリンクの転送を遂行するユーザー装置（ＵＥ：Ｕｓｅｒ  Ｅｑｕｉｐｍｅｎｔ）において、無線信号を送受信するためのＲＦ（Ｒａｄｉｏ  Ｆｒｅｑｕｅｎｃｙ）ユニットと、前記ＲＦユニットを制御するプロセッサとを含み、前記プロセッサは、基地局からサウンディング参照信号（ＳＲＳ：Ｓｏｕｎｄｉｎｇ  Ｒｅｆｅｒｅｎｃｅ  Ｓｉｇｎａｌ）リソースの指示（ＳＲＩ：ＳＲＳ  Ｒｅｓｏｕｒｃｅ  Ｉｎｄｉｃａｔｉｏｎ）及びプリコーディングの指示を含むダウンリンク制御情報（ＤＣＩ：Ｄｏｗｎｌｉｎｋ  Ｃｏｎｔｒｏｌ  Ｉｎｆｏｒｍａｔｉｏｎ）を受信し、前記ＳＲＩによって選択されたＳＲＳリソース内で転送されたＳＲＳのアンテナポート上に前記プリコーディングの指示によって指示されたプリコーティングを適用し、前記基地局にアップリンクを転送するように構成されることができる。
【００１０】
好ましく、前記ＵＥに設定された一つ以上のＳＲＳリソース別にプリコーディングされたＳＲＳを前記基地局に転送する段階をさらに含むことができる。
【００１１】
好ましく、前記プリコーディングされたＳＲＳの転送のために適用されるビームフォーミングベクトル（ｂｅａｍｆｏｒｍｉｎｇ vector）及び／又はビームフォーミング係数（ｂｅａｍｆｏｒｍｉｎｇ  ｃｏｅｆｆｉｃｉｅｎｔ）は、制御チャンネルシグナリングによって、前記基地局により設定されるか、又は前記ＵＥが任意に決定することができる。
【００１２】
好ましく、前記ＳＲＳリソース内の前記プリコーディングされたＳＲＳの転送のために適用されるビームフォーミングベクトル（ｂｅａｍｆｏｒｍｉｎｇ vector）及び／又はビームフォーミング係数（ｂｅａｍｆｏｒｍｉｎｇ  ｃｏｅｆｆｉｃｉｅｎｔ）は、ダウンリンク参照信号（ＤＬ  ＲＳ：Ｄｏｗｎｌｉｎｋ  Ｒｅｆｅｒｅｎｃｅ  Ｓｉｇｎａｌ）の受信のために用いたビームフォーミングベクトル（ｂｅａｍｆｏｒｍｉｎｇ vector）及び／又はビームフォーミング係数（ｂｅａｍｆｏｒｍｉｎｇ  ｃｏｅｆｆｉｃｉｅｎｔ）に基づいて決定されることができる。
【００１３】
好ましく、前記ＤＬ  ＲＳは、チャンネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）であり、前記プリコーディングされたＳＲＳの転送のために適用されるビームフォーミングベクトル（ｂｅａｍｆｏｒｍｉｎｇ vector）及び／又はビームフォーミング係数（ｂｅａｍｆｏｒｍｉｎｇ  ｃｏｅｆｆｉｃｉｅｎｔ）を決定するために用いられるＣＳＩ−ＲＳリソースは、前記基地局により指示されることができる。  
【００１４】
好ましく、前記ＳＲＳリソース内で前記プリコーディングされたＳＲＳの転送のために各サブバンド別に独立してビームフォーミングベクトル（ｂｅａｍｆｏｒｍｉｎｇ vector）及び／又はビームフォーミング係数（ｂｅａｍｆｏｒｍｉｎｇ  ｃｏｅｆｆｉｃｉｅｎｔ）が適用されることができる。
【００１５】
好ましく、前記サブバンド別に前記プリコーディングされたＳＲＳの転送のために適用されるビームフォーミングベクトル（ｂｅａｍｆｏｒｍｉｎｇ vector）及び／又はビームフォーミング係数（ｂｅａｍｆｏｒｍｉｎｇ  ｃｏｅｆｆｉｃｉｅｎｔ）は、（ＤＬ  ＲＳ：Ｄｏｗｎｌｉｎｋ  Ｒｅｆｅｒｅｎｃｅ  Ｓｉｇｎａｌ）の受信のために用いたビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）に基づいて決定されることができる。
【００１６】
好ましく、前記ＤＬ  ＲＳは、チャンネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）であり、前記プリコーディングされたＳＲＳの転送のために適用されるビームフォーミングベクトル（ｂｅａｍｆｏｒｍｉｎｇ vector）及び／又はビームフォーミング係数（ｂｅａｍｆｏｒｍｉｎｇ  ｃｏｅｆｆｉｃｉｅｎｔ）を決定するために用いられるＣＳＩ−ＲＳリソースは、前記基地局によって指示されることができる。
【００１７】
好ましく、前記ＤＣＩは、前記アップリンクの転送のためのランク指示（ｒａｎｋ  ｉｎｄｉｃａｔｉｏｎ）をさらに含むことができる。
【００１８】
好ましく、前記アップリンクの転送のためのランクの数は、前記ＳＲＩによって選択されたＳＲＳリソース内で転送されたＳＲＳのアンテナポートの数で決定されることができる。
【００１９】
好ましく、前記プリコーディングの指示は、第１プリコーディングの指示及び第２プリコーディングの指示に区分され、前記第２プリコーディングの指示は、前記ＵＥにスケジューリングされるアップリンクリソース割当情報とジョイントエンコーディング（ｊｏｉｎｔ  ｅｎｃｏｄｉｎｇ）されることができる。
【発明の効果】
【００２０】
本発明の実施例に係ると、アップリンクでも周波数選択的な（ｆｒｅｑｕｅｎｃｙ  ｓｅｌｅｃｔｉｖｅ）最適化されたプリコーディングを支援することができる。
【００２１】
また、本発明の実施例に係ると、アップリンクサブバンド（資源ブロックグループ）別に最適化されたプリコーディングを適用することによって、アップリンクの転送スループット（ｔｈｒｏｕｇｈｐｕｔ）を向上させることができる。
【００２２】
また、本発明の実施例に係ると、アップリンクサブバンド（資源ブロックグループ）のプリコーディングを適用するためのアップリング関連のダウンリンク制御情報のオーバーヘッドを最小化することができる。
【００２３】
本発明で得ることができる効果は、以上で言及した効果に制限されるものではなく、言及していないまた別の効果は、以下の記載から本発明が属する技術分野で通常の知識を有する者に明確に理解されるべきである。
【図面の簡単な説明】
【００２４】
本発明に関する理解を助けるために詳細な説明の一部として含まれる添付図面は、本発明に対する実施形態を提供し、詳細な説明と共に本発明の技術的特徴を説明する。
【００２５】
【図１】本発明が適用できる無線通信システムにおける無線フレームの構造を示す。
【図２】本発明が適用できる無線通信システムにおける１つのダウンリンクスロットに対する資源グリッド（ｒｅｓｏｕｒｃｅ  ｇｒｉｄ）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】一般的な多重入出力アンテナ（ＭＩＭＯ）通信システムの構成図である。
【図６】多数の送信アンテナから１つの受信アンテナへのチャネルを示す図である。
【図７】本発明が適用できる無線通信システムにおけるダウンリンク資源ブロック対にマッピングされた参照信号パターンを例示する。
【図８】本発明が適用できる無線通信システムにおける参照信号がマッピングされる資源を例示する図である。
【図９】本発明が適用できる無線通信システムにおけるサウンディング参照信号シンボルを含むアップリンクサブフレームを例示する。
【図１０】本発明が適用できる無線通信システムにおける自己完結型（ｓｅｌｆ−ｃｏｎｔａｉｎｅｄ）サブフレームの構造を例示する図である。
【図１１】本発明が適用できる無線通信システムにおけるトランシーバーユニットのモデルを例示する。
【図１２】本発明が適用できる無線通信システムにおけるトランシーバーユニット別のサービス領域を例示する図である。
【図１３】本発明の一実施例に係るアップリンクの送受信方法を例示する図である。
【図１４】本発明の一実施例に係る無線通信装置のブロック構成図を例示する。
【発明を実施するための形態】
【００２６】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２７】
いくつかの場合、本発明の概念が曖昧になることを避けるために、公知の構造及び装置は省略されるか、または各構造及び装置の核心機能を重心にしたブロック図形式で示されることができる。
【００２８】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む複数のネットワークノード（ｎｅｔｗｏｒｋ ｎｏｄｅｓ）からなるネットワークにおいて端末との通信のために行われる多様な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、ＮｏｄｅＢ、ｅＮＢ（ｅｖｏｌｖｅｄ−ＮｏｄｅＢ）、ＢＴＳ（ｂａｓｅｔｒａｎｓｃｅｉｖｅｒ  ｓｙｓｔｅｍ）、アクセスポイント（ＡＰ：Ａｃｃｅｓｓ Ｐｏｉｎｔ）などの用語により代替されることができる。また、「端末（Ｔｅｒｍｉｎａｌ）」は、固定されるか、または移動性を有することができ、ＵＥ（ＵｓｅｒＥｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ Ｓｔａｔｉｏｎ）、ＳＳ（ＳｕｂｓｃｒｉｂｅｒＳｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００２９】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３０】
以下の説明において用いられる特定用語は、本発明の理解に役立つために提供されたものであり、このような特定用語の使用は、本発明の技術的思想から外れない範囲内で他の形態に変更されることができる。
【００３１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３２】
本発明の実施例は、無線接続システムであるＩＥＥＥ  ８０２、３ＧＰＰ、及び３ＧＰＰ２のうち少なくとも一つに開示された標準文書によって裏付けられることができる。すなわち、本発明の実施例のうち、本発明の技術的思想を明確に示すために説明していない段階または部分は、前記文書によって裏付けられることができる。また、本文書で開示している全ての用語は、前記標準文書によって説明されることができる。
【００３３】
説明を明確にするために、３ＧＰＰ  ＬＴＥ／ＬＴＥ−Ａ又は新たなＲＡＴ（ｎｅｗ  ＲＡＴ）（５Ｇ（５  ｇｅｎｅｒａｔｉｏｎ）システムのＲＡＴ）を中心に記述するが、本発明の技術的特徴がこれに制限されるわけではない。
【００３４】
本発明が適用されることができる無線通信システム一般
【００３５】
図１は、本発明が適用されることができる無線通信システムにおける無線フレームの構造を示す。
【００３６】
３ＧＰＰ  ＬＴＥ／ＬＴＥ−Ａでは、ＦＤＤ（Ｆｒｅｑｕｅｎｃｙ ｄｉｖｉｓｉｏｎ  Ｄｕｐｌｅｘ）に適用可能なタイプ１無線フレーム（ｒａｄｉｏ ｆｒａｍｅ）構造とＴＤＤ（Ｔｉｍｅ  ｄｉｖｉｓｉｏｎ  Ｄｕｐｌｅｘ）に適用可能なタイプ２の無線フレーム構造を支援する。
【００３７】
図１において、無線フレームの時間領域でのサイズは、Ｔ＿ｓ＝１／（１５０００＊２０４８）の時間単位の倍数で表される。ダウンリンク及びアップリンク送信は、Ｔ＿ｆ＝３０７２００＊Ｔ＿ｓ＝１０ｍｓの区間を有する無線フレームから構成される。
【００３８】
図１の（ａ）は、タイプ１無線フレームの構造を示す。タイプ１無線フレームは、全二重（ｆｕｌｌ  ｄｕｐｌｅｘ）及び半二重（ｈａｌｆ  ｄｕｐｌｅｘ）ＦＤＤに全部適用されることができる。
【００３９】
無線フレーム（ｒａｄｉｏ  ｆｒａｍｅ）は、１０個のサブフレーム（ｓｕｂｆｒａｍｅ）から構成される。１つの無線フレームは、Ｔ＿ｓｌｏｔ＝１５３６０＊Ｔ＿ｓ＝０．５ｍｓ長さの２０個のスロットから構成され、各スロットは、０から１９までのインデックスが付与される。１つのサブフレームは、時間領域（ｔｉｍｅ  ｄｏｍａｉｎ）で連続的な２個のスロット（ｓｌｏｔ）から構成され、サブフレームｉは、スロット２ｉ及びスロット２ｉ＋１から構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームは、長さは１ｍｓで、１つのスロットの長さは、０．５ｍｓでありうる。
【００４０】
ＦＤＤにおいてアップリンク送信及びダウンリンク送信は、周波数ドメインにおいて区分される。全二重ＦＤＤに制限がないことに対し、半二重ＦＤＤ動作における端末は、同時に送信及び受信ができない。
【００４１】
１つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において複数の資源ブロック（ＲＢ：Ｒｅｓｏｕｒｃｅ  Ｂｌｏｃｋ）を含む。３ＧＰＰ  ＬＴＥは、ダウンリンクにおいてＯＦＤＭＡを使用するから、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間ということができる。資源ブロック（ｒｅｓｏｕｒｃｅ  ｂｌｏｃｋ）は、資源割り当て単位で、１つのスロットにおいて複数の連続的な副搬送波（ｓｕｂｃａｒｒｉｅｒ）を含む。
【００４２】
図１の（ｂ）は、タイプ２フレーム構造（ｆｒａｍｅ  ｓｔｒｕｃｔｕｒｅ  ｔｙｐｅ  ２）を示す。
【００４３】
タイプ２無線フレームは、各１５３６００＊Ｔ＿ｓ＝５ｍｓの長さの２個のハーフフレーム（ｈａｌｆ  ｆｒａｍｅ）から構成される。各ハーフフレームは、３０７２０＊Ｔ＿ｓ＝１ｍｓ長さの５個のサブフレームから構成される。
【００４４】
ＴＤＤシステムのタイプ２フレーム構造においてアップリンク−ダウンリンク構成（ｕｐｌｉｎｋ−ｄｏｗｎｌｉｎｋ  ｃｏｎｆｉｇｕｒａｔｉｏｎ）は、すべてのサブフレームに対してアップリンクとダウンリンクが割り当て（または予約）されるかどうかを表す規則である。
【００４５】
表１は、アップリンク−ダウンリンク構成を示す。
【００４６】
【表１】
2019535174.tif 000003
【００４７】
表１を参照すると、無線フレームの各サブフレーム別に、「Ｄ」は、ダウンリンク送信のためのサブフレームを表し、「Ｕ」は、アップリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）３通りのフィールドから構成されるスペシャルサブフレーム（ｓｐｅｃｉａｌ  ｓｕｂｆｒａｍｅ）を表す。
【００４８】
ＤｗＰＴＳは、端末での初期セルサーチ、同期化またはチャネル推定に使用される。ＵｐＰＴＳは、基地局でのチャネル推定と端末のアップリンク送信同期とを合せるのに使用される。ＧＰは、アップリンクとダウンリンクとの間にダウンリンク信号の多重経路の遅延によりアップリンクにおいて生じる干渉を除去するための区間である。
【００４９】
各サブフレームｉは、各Ｔ＿ｓｌｏｔ＝１５３６０＊Ｔ＿ｓ＝０．５ｍｓ長さのスロット２ｉ及びスロット２ｉ＋１から構成される。
【００５０】
アップリンク−ダウンリンク構成は、７通りに区分されることができ、各構成別にダウンリンクサブフレーム、スペシャルサブフレーム、アップリンクサブフレームの位置及び／または数が異なる。
【００５１】
ダウンリンクからアップリンクに変更されるとき点またはアップリンクからダウンリンクに切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同様に繰り返される周期を意味し、５ｍｓまたは１０ｍｓが全て支援される。５ｍｓダウンリンク−アップリンク切り替え時点の周期を有する場合には、スペシャルサブフレーム（Ｓ）は、ハーフ−フレーム毎に存在し、５ｍｓダウンリンク−アップリンク切り替え時点の周期を有する場合には、１番目のハーフ−フレームだけに存在する。
【００５２】
すべての構成において、０番、５番サブフレーム及びＤｗＰＴＳは、ダウンリンク送信だけのための区間である。ＵｐＰＴＳ及びサブフレームサブフレームに直ちにつながるサブフレームは、常にアップリンク送信のための区間である。
【００５３】
このような、アップリンク−ダウンリンク構成はシステム情報であって、基地局と端末ともが知っていることができる。基地局は、アップリンク−ダウンリンク構成情報が変わる毎に構成情報のインデックスだけを送信することによって、無線フレームのアップリンク−ダウンリンク割り当て状態の変更を端末に知らせることができる。また、構成情報は、一種のダウンリンク制御情報として他のスケジューリング情報と同様にＰＤＣＣＨ（Ｐｈｙｓｉｃａｌ  Ｄｏｗｎｌｉｎｋ  ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内のすべての端末に共通に送信されることもできる。
【００５４】
表２は、スペシャルサブフレームの構成（ＤｗＰＴＳ／ＧＰ／ＵｐＰＴＳの長さ）を示す。
【００５５】
【表２】
2019535174.tif 000004
【００５６】
図１の例示による無線フレームの構造は、１つの例示に過ぎず、無線フレームに含まれる副搬送波の数またはサブフレームに含まれるスロットの数、スロットに含まれるＯＦＤＭシンボルの数は、多様に変更されることができる。
【００５７】
図２は、本発明が適用されることができる無線通信システムにおける１つのダウンリンクスロットに対する資源グリッド（ｒｅｓｏｕｒｃｅ  ｇｒｉｄ）を示した図である。
【００５８】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００５９】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数Ｎ^DLは、ダウンリンク送信帯域幅（ｂａｎｄｗｉｄｔｈ）に従属する。
【００６０】
アップリンクスロットの構造は、ダウンリンクスロットの構造と同一でありうる。
【００６１】
図３は、本発明が適用されることができる無線通信システムにおけるダウンリンクサブフレームの構造を示す。
【００６２】
図３に示すように、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００６３】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００６４】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位階層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ ｅｌｅｍｅｎｔ ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００６５】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００６６】
図４は、本発明が適用されることができる無線通信システムにおけるアップリンクサブフレームの構造を示す。
【００６７】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザーデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００６８】
１つの端末に対するＰＵＣＣＨには、サブフレーム内に資源ブロック（ＲＢ：Ｒｅｓｏｕｒｃｅ  Ｂｌｏｃｋ）対が割り当てられる。ＲＢ対に属するＲＢは、２個のスロットの各々で互いに異なる副搬送波を占める。これをＰＵＣＣＨに割り当てられたＲＢ対は、スロット境界（ｓｌｏｔ  ｂｏｕｎｄａｒｙ）から周波数跳躍（ｆｒｅｑｕｅｎｃｙ  ｈｏｐｐｉｎｇ）されるという。
【００６９】
ＭＩＭＯ（Ｍｕｌｔｉ−Ｉｎｐｕｔ  Ｍｕｌｔｉ−Ｏｕｔｐｕｔ）
【００７０】
ＭＩＭＯ技術は、いままで一般に一個の送信アンテナと一個の受信アンテナを使用したことから脱皮して、多重送信（Ｔｘ）アンテナと多重受信（Ｒｘ）アンテナを使用する。言い換えれば、ＭＩＭＯ技術は、無線通信システムの送信端または受信端で多重入出力アンテナを使用して用量増大または性能改善を図る技術である。以下、「ＭＩＭＯ」を「多重入出力アンテナ」と称する。
【００７１】
さらに具体的に、多重入出力アンテナ技術は、１つの完全なメッセージ（ｔｏｔａｌ  ｍｅｓｓａｇｅ）を受信するために、一個のアンテナ経路に依存せず、いくつかのアンテナを介して受信した複数のデータ片を収集して完全なデータを完成させる。結果的に、多重入出力アンテナ技術は、特定システム範囲内でデータ送信率を増加させることができ、また特定データ送信率を介してシステム範囲を増加させることができる。
【００７２】
次世代移動通信は、従来の移動通信に比べて、はるかに高いデータ送信率を要求するので、効率的な多重入出力アンテナ技術が必ず必要であると予想される。このような状況でＭＩＭＯ通信技術は、移動通信端末と中継器などに幅広く使用できる次世代移動通信技術であり、データ通信拡大などにより限界状況に応じて他の移動通信の送信量限界を克服できる技術として関心を集めている。
【００７３】
一方、現在研究されている多様な送信効率向上技術のうち、多重入出力アンテナ（ＭＩＭＯ）技術は、追加的な周波数割り当てまたは電力増加がなくても、通信用量及び送受信性能を画期的に向上させることができる方法として、現在最も大きな注目を受けている。
【００７４】
図５は、一般的な多重入出力アンテナ（ＭＩＭＯ）通信システムの構成図である。
【００７５】
図５を参照すると、送信アンテナの数をＮ＿Ｔ個に、受信アンテナの数をＮ＿Ｒ個に同時に増やすようになると、送信機または受信機においてのみ多数のアンテナを使用するようになる場合とは異なり、アンテナ数に比例して理論的なチャネル送信用量が増加するので、送信レート（ｔｒａｎｓｆｅｒ  ｒａｔｅ）を向上させ、
周波数効率を画期的に向上させることができる。この場合、チャネル送信用量の増加に応じる送信レートは、１つのアンテナを用いる場合の最大送信レート（Ｒ＿ｏ）に次のようなレート増加率（Ｒ＿ｉ）がかけ算された分だけ理論的に増加できる。
【００７６】
【数１】
2019535174.tif 000005
【００７７】
すなわち、例えば、４個の送信アンテナと４個の受信アンテナを用いるＭＩＭＯ通信システムでは、単一アンテナシステムに比べて理論上４倍の送信レートを獲得できる。
【００７８】
このような多重入出力アンテナの技術は、多様なチャネル経路を通過したシンボルを利用して送信信頼度を高める空間ダイバーシチ（ｓｐａｔｉａｌ  ｄｉｖｅｒｓｉｔｙ）方式と、多数の送信アンテナを利用して多数のデータシンボルを同時に送信して送信率を向上させる空間マルチプレクス（ｓｐａｔｉａｌ  ｍｕｌｔｉｐｌｅｘｉｎｇ）方式とに分けられる。また、このような２種類の方式を適切に結合して、各々の長所を適切に得ようとする方式に対する研究も最近多く研究されている分野である。
【００７９】
各々の方式について、さらに詳細に述べると、以下のとおりである。
【００８０】
第１に、空間ダイバーシチ方式の場合には、時空間ブロック符号系列と、ダイバーシチ利得と符号化利得を同時に用いる時空間トレリス（Ｔｒｅｌｉｓ）符号系列方式がある。一般に、ビットエラー率改善性能と符号生成自由度は、トレリス符号方式が優秀であるが、演算複雑度は、時空間ブロック符号が簡単である。このような空間ダイバーシチ利得は、送信アンテナ数（Ｎ＿Ｔ）と受信アンテナ数（Ｎ＿Ｒ）とのかけ算（Ｎ＿Ｔ×Ｎ＿Ｒ）に該当する量を得ることができる。
【００８１】
第２に、空間マルチプレクス技法は、各送信アンテナで互いに異なるデータ列を送信する方法であって、ことのとき、受信機では、送信機から同時に送信されたデータ間に相互干渉が発生するようになる。受信機では、この干渉を適切な信号処理技法を利用して除去した後に受信する。ここに用いられる雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ−ｆｏｒｃｉｎｇ）受信機、ＭＭＳＥ（ｍｉｎｉｍｕｍ  ｍｅａｎ ｓｑｕａｒｅ  ｅｒｒｏｒ）受信機、Ｄ−ＢＬＡＳＴ（Ｄｉａｇｏｎａｌ−Ｂｅｌｌ Ｌａｂｏｒａｔｏｒｉｅｓ  Ｌａｙｅｒｅｄ  Ｓｐａｃｅ−Ｔｉｍｅ）、Ｖ−ＢＬＡＳＴ（Ｖｅｒｔｉｃａｌ−Ｂｅｌｌ  Ｌａｂｏｒａｔｏｒｉｅｓ  Ｌａｙｅｒｅｄ  Ｓｐａｃｅ−Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００８２】
第３に、空間ダイバーシチと空間マルチプレクスの結合された技法を例に挙げることができる。空間ダイバーシチ利得だけを得る場合、ダイバーシチ次数の増加に応じる性能改善利得が順次飽和され、空間マルチプレクス利得だけを取ると、無線チャネルにおいて送信信頼度が低下する。これを解決しながら２通りの利得を全部得る方式が研究されてきたし、このうち、時空間ブロック符号（Ｄｏｕｂｌｅ−ＳＴＴＤ）、時空間ＢＩＣＭ（ＳＴＢＩＣＭ）などの方式がある。
【００８３】
上述のような多重入出力アンテナシステムにおける通信方法をさらに具体的な方法で説明するために、これを数学的にモデリングする場合、以下のように表すことができる。
【００８４】
まず、図５に示すように、Ｎ＿Ｔ個の送信アンテナとＮ＿Ｒ個の受信アンテナが存在すると仮定する。
【００８５】
まず、送信信号について述べると、このようにＮ＿Ｔ個の送信アンテナがある場合、最大送信可能な情報は、Ｎ＿Ｔ個であるから、これを以下のようなベクトルで表すことができる。
【００８６】
【数２】
2019535174.tif 000006
【００８７】
一方、各々の送信情報ｓ＿１，ｓ＿２，．．．，ｓ＿Ｎ＿Ｔにおいて送信電力を異なるようにすることができ、このとき、各々の送信電力をＰ＿１，Ｐ＿２，．．．，Ｐ＿Ｎ＿Ｔとすると、送信電力が調整された送信情報は、次のようなベクトルで表すことができる。
【００８８】
【数３】
2019535174.tif 000007
【００８９】
また、式３の送信電力が調整された送信情報を以下のように送信電力の対角行列Ｐで表すことができる。
【００９０】
【数４】
2019535174.tif 000008
【００９１】
一方、式４の送信電力の調整された情報ベクトルは、その後に加重値行列Ｗがかけ算されて、実際送信されるＮ＿Ｔ個の送信信号ｘ＿１，ｘ＿２，．．．，ｘ＿Ｎ＿Ｔを構成する。ここで、加重値行列は、送信チャネル状況などによって送信情報を各アンテナに適切に分配する機能を行う。このような送信信号ｘ＿１，ｘ＿２，．．．，ｘ＿Ｎ＿Ｔをベクトルｘを利用して、以下のように表すことができる。
【００９２】
【数５】
2019535174.tif 000009
【００９３】
ここで、ｗ＿ｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプレコーディング行列（Ｐｒｅｃｏｄｉｎｇ  Ｍａｔｒｉｘ）と呼ぶ。
【００９４】
一方、上述のような送信信号（ｘ）は、空間ダイバーシチを使用する場合と空間マルチプレクッスを使用する場合とに分けて考えることができる。
【００９５】
空間マルチプレクッスを使用する場合は、互いに異なる信号を多重化して送信するようになるので、情報ベクトルｓの元素が全部異なる値を有するようになることに対し、空間ダイバーシチを使用するようになると、同じ信号を複数のチャネル経路を介して送信するようになるので、情報ベクトルｓの元素が全部同じ値を有するようになる。
【００９６】
もちろん、空間マルチプレックスと空間ダイバーシチを混合する方法も考慮可能である。すなわち、例えば、３個の送信アンテナを介して同じ信号を空間ダイバーシチを利用して送信し、残りは、各々異なる信号を空間マルチプレックスして送信する場合も考慮することができる。
【００９７】
次に、受信信号は、Ｎ＿Ｒ個の受信アンテナがある場合、各アンテナの受信信号ｙ＿１，ｙ＿２，．．．，ｙ＿Ｎ＿Ｒをベクトルｙで次のように表す。
【００９８】
【数６】
2019535174.tif 000010
【００９９】
一方、多重入出力アンテナ通信システムにおけるチャネルをモデリングする場合、各々のチャネルは、送受信アンテナインデックスに応じて区分でき、送信アンテナｊから受信アンテナｉを経るチャネルをｈ＿ｉｊで表示することにする。ここで、ｈ＿ｉｊのインデックスの順序が受信アンテナインデックスが先、送信アンテナのインデックスが後であることに留意する。
【０１００】
このようなチャネルは、いくつかを１つにグループ化してベクトル及び行列形態でも表示可能である。ベクトル表示の例を挙げて説明すると、以下のとおりである。
【０１０１】
図６は、多数の送信アンテナから１つの受信アンテナへのチャネルを示した図である。
【０１０２】
図６に示すように、総Ｎ＿Ｔ個の送信アンテナから受信アンテナｉへ到着するチャネルは、次のように表現可能である。
【０１０３】
【数７】
2019535174.tif 000011
【０１０４】
また、前記式７のような行列表現により、Ｎ＿Ｔ個の送信アンテナからＮ＿Ｒ個の受信アンテナを経るチャネルを全部表す場合、以下のように表すことができる。
【０１０５】
【数８】
2019535174.tif 000012
【０１０６】
一方、実際チャネルは、上のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加算されるので、Ｎ＿Ｒ個の受信アンテナの各々に加算される白色雑音ｎ＿１，ｎ＿２，．．．，ｎ＿Ｎ＿Ｒをベクトルで表現すると、以下のとおりである。
【０１０７】
【数９】
2019535174.tif 000013
【０１０８】
上述のような送信信号、受信信号、チャネル、及び白色雑音のモデリングを介して多重入出力アンテナ通信システムでの各々は、次のような関係を介して表すことができる。
【０１０９】
【数１０】
2019535174.tif 000014
【０１１０】
一方、チャネルの状態を表すチャネル行列Ｈの行と列の数は、送受信アンテナ数によって決定される。チャネル行列Ｈは、上述のように行の数は、受信アンテナの数Ｎ＿Ｒと同じくなり、列の数は、送信アンテナの数Ｎ＿Ｔと同じくなる。すなわち、チャネル行列Ｈは、Ｎ＿Ｒ×Ｎ＿Ｔ行列になる。
【０１１１】
一般に、行列のランク（ｒａｎｋ）は、互いに独立である（ｉｎｄｅｐｅｎｄｅｎｔ）行または列の数の中で最小数で定義される。したがって、行列のランクは、行または列の数より大きくなってはならない。数式的に例を挙げると、チャネル行列Ｈのランク（ｒａｎｋ（Ｈ））は、次のように制限される。
【０１１２】
【数１１】
2019535174.tif 000015
【０１１３】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の数で定義することができる。類似の方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の数で定義することができる。したがって、チャネル行列においてランクの物理的な意味は、与えられたチャネルで互いに異なる情報を送ることができる最大数ということができる。
【０１１４】
本明細書において、ＭＩＭＯ送信に対する「ランク（Ｒａｎｋ）」は、特定時点及び特定周波数資源において独立的に信号を送信できる経路の数を表し、「レイヤー（ｌａｙｅｒ）の数」は、各経路を介して送信される信号ストリームの数を表す。一般に、送信端は、信号送信に利用されるランク数に対応する数のレイヤーを送信するから、別の言及がない限り、ランクは、レイヤー数と同じ意味を有する。
【０１１５】
参照信号（ＲＳ：Ｒｅｆｅｒｅｎｃｅ  Ｓｉｇｎａｌ）
【０１１６】
無線通信システムにおけるデータは無線チャンネルを介して転送されるので、信号は転送中に歪曲されることがある。受信端で歪曲された信号を正確に受信するために、受信された信号の歪曲はチャンネル情報を用いて補正されなければならない。チャンネル情報を検出するために送信側と受信側の両方とも知っている信号転送方法と信号がチャンネルを介して転送される時、歪曲された程度を用いてチャンネル情報を検出する方法を主に用いる。前述した信号をパイロット信号または参照信号（ＲＳ：ｒｅｆｅｒｅｎｃｅ  ｓｉｇｎａｌ）という。
【０１１７】
また、最近、大部分の移動通信システムでパケットを転送する時、今まで１つの送信アンテナと１つの受信アンテナを使用したことから脱皮して、多重送信アンテナと多重受信アンテナを採択して送受信データ効率を向上させることができる方法を使用する。多重入出力アンテナを用いてデータを送受信する時、信号を正確に受信するために送信アンテナと受信アンテナとの間のチャンネル状態が検出されなければならない。したがって、各送信アンテナは個別的な参照信号を有しなければならない。
【０１１８】
移動通信システムにおけるＲＳはその目的によって２つに大別できる。チャンネル状態情報獲得のための目的のＲＳとデータ復調のために使われるＲＳがある。前者はＵＥがダウンリンクへのチャンネル状態情報を獲得することにその目的があるので、広帯域に転送されなければならず、特定サブフレームでダウンリンクデータを受信しないＵＥでもそのＲＳを受信し測定できなければならない。また、これはハンドオーバーなどの無線資源無線資源管理（ＲＲＭ：Ｒａｄｉｏ  Ｒｅｓｏｕｒｃｅ  Ｍａｎａｇｅｍｅｎｔ）測定などのためにも使われる。後者は、基地局がダウンリンクを送る時、該当リソースに共に送るＲＳであって、ＵＥは該当ＲＳを受信することによってチャンネル推定を行うことができ、したがって、データを復調できるようになる。このＲＳはデータが転送される領域に転送されなければならない。
【０１１９】
下向き参照信号はセル内の全ての端末が共有するチャンネル状態に対する情報獲得及びハンドオーバーの測定などのための１つの共通参照信号（ＣＲＳ：ｃｏｍｍｏｎ  ＲＳ）と特定端末のみのためにデータ復調のために使われる専用参照信号（ｄｅｄｉｃａｔｅｄ  ＲＳ）がある。このような参照信号を用いて復調（ｄｅｍｏｄｕｌａｔｉｏｎ）とチャンネル測定（ｃｈａｎｎｅｌ  ｍｅａｓｕｒｅｍｅｎｔ）のための情報を提供することができる。すなわち、ＤＲＳはデータ復調用のみに使われ、ＣＲＳはチャンネル情報獲得及びデータ復調の２つの目的に全て使われる。
【０１２０】
受信側（すなわち、端末）はＣＲＳからチャンネル状態を測定し、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャンネル品質と関連した指示子を送信側（すなわち、基地局）にフィードバックする。ＣＲＳは、セル特定基準信号（ｃｅｌｌ−ｓｐｅｃｉｆｉｃ  ＲＳ）ともいう。一方、チャンネル状態情報（ＣＳＩ：Ｃｈａｎｎｅｌ  Ｓｔａｔｅ  Ｉｎｆｏｒｍａｔｉｏｎ）のフィードバックと関連した参照信号をＣＳＩ−ＲＳと定義することができる。
【０１２１】
ＤＲＳは、ＰＤＳＣＨ上のデータ復調を必要とする場合、資源要素を通じて転送できる。端末は上位階層を通じてＤＲＳの存否を受信することができ、相応するＰＤＳＣＨがマッピングされた時のみに有効である。ＤＲＳを端末特定参照信号（ＵＥ−ｓｐｅｃｉｆｉｃ  ＲＳ）または復調参照信号（ＤＭＲＳ：Ｄｅｍｏｄｕｌａｔｉｏｎ  ＲＳ）ということができる。
【０１２２】
図７は、本発明が適用できる無線通信システムにおけるダウンリンク資源ブロック対にマッピングされた参照信号パターンを例示する。
【０１２３】
図７を参照すると、参照信号がマッピングされる単位でダウンリンク資源ブロック対は時間領域で１つのサブフレーム×周波数領域で１２個の副搬送波で示すことができる。すなわち、時間軸（ｘ軸）上で１つの資源ブロック対は一般循環前置（ｎｏｒｍａｌ  ＣＰ：ｎｏｒｍａｌ  Ｃｙｃｌｉｃ  Ｐｒｅｆｉｘ）の場合、１４個のＯＦＤＭシンボルの長さを有し（図７（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）の場合、１２個のＯＦＤＭシンボルの長さを有する（図７（ｂ）の場合）。資源ブロック格子で‘０’、‘１’、‘２’、及び‘３’と記載された資源要素（ＲＥｓ）は各々アンテナポートインデックス‘０’、‘１’、‘２’、及び‘３’のＣＲＳの位置を意味し、‘Ｄ’と記載された資源要素はＤＲＳの位置を意味する。
【０１２４】
以下、ＣＲＳに対してより詳細に記述すると、ＣＲＳは物理的アンテナのチャンネルを推定するために使われ、セル内に位置した全ての端末に共通的に受信できる参照信号として全体周波数帯域に分布する。すなわち、このＣＲＳはｃｅｌｌ−ｓｐｅｃｉｆｉｃなシグナルであって、広帯域に対して毎サブフレーム毎に転送される。また、ＣＲＳはチャンネル品質情報（ＣＳＩ）及びデータ復調のために利用できる。
【０１２５】
ＣＲＳは転送側（基地局）でのアンテナ配列によって多様なフォーマットに定義される。３ＧＰＰ  ＬＴＥシステム（例えば、リリーズ−８）では、基地局の転送アンテナ個数によって最大４個のアンテナポートに対するＲＳが転送される。ダウンリンク信号送信側は単一の送信アンテナ、２個の送信アンテナ、及び４個の送信アンテナのように、３種類のアンテナ配列を有する。例えば、基地局の送信アンテナの個数が２個の場合は０番と１番アンテナポートに対するＣＲＳが転送され、４個の場合は０〜３番アンテナポートに対するＣＲＳが各々転送される。基地局の送信アンテナが４個の場合、１つのＲＢでのＣＲＳパターンは図７の通りである。
【０１２６】
基地局が単一の送信アンテナを使用する場合、単一アンテナポートのための参照信号が配列される。
【０１２７】
基地局が２個の送信アンテナを使用する場合、２個の送信アンテナポートのための参照信号は時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を用いて配列される。すなわち、２個のアンテナポートのための参照信号は各々が区別されるために互いに異なる時間資源及び／又は互いに異なる周波数資源が割り当てられる。
【０１２８】
さらに、基地局が４個の送信アンテナを使用する場合、４個の送信アンテナポートのための参照信号は、ＴＤＭ及び／又はＦＤＭ方式を用いて配列される。ダウンリンク信号の受信側（端末）によって測定されたチャンネルの情報は、単一の送信アンテナ転送、送信ダイバーシチ、閉ループ空間多重化（ｃｌｏｓｅｄ−ｌｏｏｐ  ｓｐａｔｉａｌ  ｍｕｌｔｉｐｌｅｘｉｎｇ）、開ループ空間多重化（ｏｐｅｎ−ｌｏｏｐ  ｓｐａｔｉａｌ  ｍｕｌｔｉｐｌｅｘｉｎｇ）又は多重ユーザー−多重入出力アンテナ（Ｍｕｌｔｉ−Ｕｓｅｒ  ＭＩＭＯ（Ｍｕｌｔｉ  Ｉｎｐｕｔ  Ｍｕｌｔｉ  Ｏｕｔｐｕｔ））のような転送方式を用いて転送されたデータを復調するために用いられることができる。
【０１２９】
多重入出力アンテナが支援される場合、参照信号が特定のアンテナポートから転送される時、前記参照信号は、参照信号のパターンに応じて特定された資源要素の位置に転送され、他のアンテナポートのために特定された資源要素の位置に転送されない。即ち、互いに異なるアンテナ間の参照信号は互いに重ならない。
【０１３０】
以下、ＤＲＳについてより詳細に記述すると、ＤＲＳはデータを復調するために用いられる。多重入出力アンテナの転送において、特定の端末のために用いられる先行のプリコーディング（ｐｒｅｃｏｄｉｎｇ）の加重値は、端末が参照信号を受信した時に各送信アンテナから転送された転送チャンネルと結合されて相応するチャンネルを推定するために変更なく用いられる。
【０１３１】
３ＧＰＰ  ＬＴＥシステム（例えば、リリース８）は、最大４個の転送アンテナを支援し、ランク１のビームフォーミング（ｂｅａｍｆｏｒｍｉｎｇ）のためのＤＲＳが定義される。ランク１のビームフォーミングのためのＤＲＳはまた、アンテナポートインデックス５のための参照信号を示す。
【０１３２】
ＬＴＥシステムの進化発展した形態のＬＴＥ−Ａシステムで基地局のダウンリンクに最大８個の送信アンテナを支援することができるようにデザインされなければならない。従って、最大８個の送信アンテナに対するＲＳもやはり支援されなければならない。ＬＴＥシステムにおけるダウンリンクＲＳは、最大４個のアンテナポートに対するＲＳのみ定義されているので、ＬＴＥ−Ａシステムで基地局が４個以上最大８個のダウンリンクの送信アンテナを有する場合、これらのアンテナポートに対するＲＳがさらに定義されてデザインされなければならない。最大８個の送信アンテナポートに対するＲＳは、前記で説明したチャンネルの測定のためのＲＳとデータ復調のためのＲＳの二つが全てデザインされなければならない。
【０１３３】
ＬＴＥ−Ａシステムをデザインするに当たって、重要な考慮事項のうちの１つは、下位互換性（ｂａｃｋｗａｒｄ  ｃｏｍｐａｔｉｂｉｌｉｔｙ）、すなわちＬＴＥ端末がＬＴＥ−Ａシステムでも何の無理なく、よく動作しなければならず、システムもこれを支援しなければならないことである。ＲＳ転送の観点から見ると、ＬＴＥで定義されているＣＲＳが全帯域に毎サブフレーム毎に転送される時間−周波数領域で追加的に最大８個の送信アンテナポートに対するＲＳが追加的に定義されなければならない。ＬＴＥ−Ａシステムで既存ＬＴＥのＣＲＳのような方式により最大８個の送信アンテナに対するＲＳパターンを毎サブフレーム毎に全帯域に追加するようになれば、ＲＳオーバーヘッドが大きすぎるようになる。
【０１３４】
したがって、ＬＴＥ−Ａシステムで新しくデザインされるＲＳは２つに大別されるが、ＭＣＳ、ＰＭＩなどの選択のためのチャンネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳなど）と８個の転送アンテナに転送されるデータ復調のためのＲＳ（ＤＭ−ＲＳ：Ｄａｔａ  Ｄｅｍｏｄｕｌａｔｉｏｎ−ＲＳ）である。
【０１３５】
チャンネル測定目的のＣＳＩ−ＲＳは既存のＣＲＳがチャンネル測定、ハンドオーバーなどの測定などの目的と共に、データ復調のために使われることとは異なり、チャンネル測定中心の目的のためにデザインされる特徴がある。勿論これもまたハンドオーバーなどの測定などの目的に使われることもできる。ＣＳＩ−ＲＳがチャンネル状態に対する情報を得る目的のみに転送されるので、ＣＲＳとは異なり、毎サブフレーム毎に転送されなくてもよい。ＣＳＩ−ＲＳのオーバーヘッドを減らすためにＣＳＩ−ＲＳは時間軸上で間歇的に転送される。
【０１３６】
データ復調のために該当時間−周波数領域でスケジューリングされたＵＥに専用的（ｄｅｄｉｃａｔｅｄ）にＤＭ−ＲＳが転送される。すなわち、特定ＵＥのＤＭ−ＲＳは該当ＵＥがスケジューリングされた領域、すなわちデータの受信を受ける時間−周波数領域のみに転送されるものである。
【０１３７】
ＬＴＥ−Ａシステムで基地局のダウンリンクに最大８個の送信アンテナを支援する。ＬＴＥ−Ａシステムで既存ＬＴＥのＣＲＳのような方式により最大８個の送信アンテナに対するＲＳを毎サブフレーム毎に全帯域に転送するようになれば、ＲＳオーバーヘッドが大きすぎるようになる。したがって、ＬＴＥ−Ａシステムでは、ＭＣＳ、ＰＭＩなどの選択のためのＣＳＩ測定目的のＣＳＩ−ＲＳとデータ復調のためのＤＭ−ＲＳに分離されて２つのＲＳが追加された。ＣＳＩ−ＲＳはＲＲＭ測定などの目的に使われることもできるが、ＣＳＩ獲得の主目的のためにデザインされた。ＣＳＩ−ＲＳはデータ復調に使われないので、毎サブフレーム毎に転送される必要はない。したがって、ＣＳＩ−ＲＳのオーバーヘッドを減らすために時間軸上で間歇的に転送するようにする。すなわち、ＣＳＩ−ＲＳは１サブフレームの整数倍の周期で周期的に転送されるか、または特定転送パターンに転送できる。この際、ＣＳＩ−ＲＳが転送される周期やパターンはｅＮＢが設定することができる。
【０１３８】
データ復調のためには該当時間−周波数領域でスケジューリングされたＵＥにｄｅｄｉｃａｔｅｄにＤＭ−ＲＳが転送される。すなわち、特定ＵＥのＤＭ−ＲＳは該当ＵＥがスケジューリングされた領域、すなわちデータの受信を受ける時間−周波数領域のみに転送される。
【０１３９】
ＣＳＩ−ＲＳを測定するためにＵＥは必ず自身が属したセルの各々のＣＳＩ−ＲＳアンテナポートに対するＣＳＩ−ＲＳの転送サブフレームインデックス、転送サブフレーム内でＣＳＩ−ＲＳ資源要素（ＲＥ）時間−周波数の位置、そしてＣＳＩ−ＲＳシーケンスなどに対する情報を知っていなければならない。
【０１４０】
ＬＴＥ−ＡシステムにｅＮＢはＣＳＩ−ＲＳを最大８個のアンテナポートに対して各々転送しなければならない。互いに異なるアンテナポートのＣＳＩ−ＲＳ転送のために使われる資源は互いに直交（ｏｒｔｈｏｇｏｎａｌ）しなければならない。１つのｅＮＢが互いに異なるアンテナポートに対するＣＳＩ−ＲＳを転送する時、各々のアンテナポートに対するＣＳＩ−ＲＳを互いに異なるＲＥにマッピングすることによって、ＦＤＭ／ＴＤＭ方式によりこれらの資源を直交（ｏｒｔｈｏｇｏｎａｌ）に割り当てることができる。または、互いに異なるアンテナポートに対するＣＳＩ−ＲＳを互いに直交（ｏｒｔｈｏｇｏｎａｌ）なコードにマッピングさせるＤＭ方式により転送することができる。
【０１４１】
ＣＳＩ−ＲＳに関する情報をｅＮＢが自分のセルＵＥに知らせる時、まず各アンテナポートに対するＣＳＩ−ＲＳがマッピングされる時間−周波数に対する情報を知らせなければならない。具体的に、ＣＳＩ−ＲＳが転送されるサブフレーム番号、またはＣＳＩ−ＲＳが転送される周期、ＣＳＩ−ＲＳが転送されるサブフレームオフセットであり、特定アンテナのＣＳＩ−ＲＳ  ＲＥが転送されるＯＦＤＭシンボル番号、周波数間隔（ｓｐａｃｉｎｇ）、周波数軸でのＲＥのオフセット、またはシフト値などがある。
【０１４２】
ＣＳＩ−ＲＳは１個、２個、４個、または８個のアンテナポートを介して転送される。この際、使われるアンテナポートは、各々ｐ＝１５、ｐ＝１５、１６、ｐ＝１５，．．．，１８、ｐ＝１５，．．．，２２である。ＣＳＩ−ＲＳはサブキャリア間隔Δｆ＝１５ｋＨｚに対してのみ定義できる。
【０１４３】
ＣＳＩ−ＲＳ転送のために設定されたサブフレーム内で、ＣＳＩ−ＲＳシーケンスは以下の式１２のように各アンテナポート（ｐ）上の参照シンボル（ｒｅｆｅｒｅｎｃｅ  ｓｙｍｂｏｌ）として用いられる複素変調シンボル（ｃｏｍｐｌｅｘ−ｖａｌｕｅｄ  ｍｏｄｕｌａｔｉｏｎ  ｓｙｍｂｏｌ）ａ＿ｋ、ｌ^（ｐ）にマッピングされる。
【０１４４】
【数１２】
2019535174.tif 000016
【０１４５】
前記式１２で、（ｋ’、ｌ’）（ここで、ｋ’は資源ブロック内の副搬送波インデックスであり、ｌ’はスロット内のＯＦＤＭシンボルインデックスを示す。）及びｎ＿ｓの条件は以下の表３または表４のようなＣＳＩ−ＲＳ設定（ｃｏｎｆｉｇｕｒａｔｉｏｎ）によって決定される。
【０１４６】
表３は、一般ＣＰでＣＳＩ−ＲＳ構成から（ｋ’、ｌ’）のマッピングを例示する。
【０１４７】
【表３】
2019535174.tif 000017
【０１４８】
表４は、拡張ＣＰでＣＳＩ−ＲＳ構成から（ｋ'、ｌ'）のマッピングを例示する。
【０１４９】
【表４】
2019535174.tif 000018
【０１５０】
表３及び表４を参照すると、ＣＳＩ−ＲＳの転送において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ−ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０１５１】
ＣＳＩ−ＲＳ構成はセル内のアンテナポートの個数及びＣＰによって互いに異なり、隣接したセルは最大限互いに異なる構成を有することができる。また、ＣＳＩ−ＲＳ構成はフレーム構造によってＦＤＤフレームとＴＤＤフレームに全て適用する場合と、ＴＤＤフレームのみに適用する場合とに分けられる。
【０１５２】
表３及び表４に基づいてＣＳＩ−ＲＳ構成によって（ｋ’、ｌ’）及びｎ＿ｓが定まり、各ＣＳＩ−ＲＳアンテナポートによってＣＳＩ−ＲＳ転送に用いる時間−周波数資源が決定される。
【０１５３】
図８は、本発明が適用できる無線通信システムにおける参照信号がマッピングされる資源を例示する図である。
【０１５４】
図８（ａ）は１個または２個のＣＳＩ−ＲＳアンテナポートによるＣＳＩ−ＲＳ転送に使用可能な２０種類のＣＳＩ−ＲＳ構成を示すものであり、図８（ｂ）は４個のＣＳＩ−ＲＳアンテナポートにより使用可能な１０種類のＣＳＩ−ＲＳ構成を示すものであり、図８（ｃ）は８個のＣＳＩ−ＲＳアンテナポートによりＣＳＩ−ＲＳ転送に使用可能な５種類のＣＳＩ−ＲＳ構成を示すものである。
【０１５５】
このように、各ＣＳＩ−ＲＳ構成によってＣＳＩ−ＲＳが転送される無線資源（すなわち、ＲＥ対）が決定される。
【０１５６】
特定セルに対してＣＳＩ−ＲＳ転送のために１個あるいは２個のアンテナポートが設定されれば、図８（ａ）に図示された２０種類のＣＳＩ−ＲＳ構成のうち、設定されたＣＳＩ−ＲＳ構成に従う無線資源上でＣＳＩ−ＲＳが転送される。
【０１５７】
同様に、特定セルに対してＣＳＩ−ＲＳ転送のために４個のアンテナポートが設定されれば、図８（ｂ）に図示された１０種類のＣＳＩ−ＲＳ構成のうち、設定されたＣＳＩ−ＲＳ構成に従う無線資源上でＣＳＩ−ＲＳが転送される。また、特定セルに対してＣＳＩ−ＲＳ転送のために８個のアンテナポートが設定されれば、図８（ｃ）に図示された５種類のＣＳＩ−ＲＳ構成のうち、設定されたＣＳＩ−ＲＳ構成に従う無線資源上でＣＳＩ−ＲＳが転送される。
【０１５８】
２個のアンテナポート別（すなわち、｛１５，１６｝、｛１７，１８｝、｛１９，２０｝、｛２１，２２｝）に各々のアンテナポートに対するＣＳＩ−ＲＳは同一な無線資源にＣＤＭされて転送される。アンテナポート１５及び１６を例に挙げれば、アンテナポート１５及び１６に対する各々のＣＳＩ−ＲＳ複素シンボルは同一であるが、互いに異なる直交コード（例えば、ウォルシュコード（ｗａｌｓｈ  ｃｏｄｅ）がかけられて同一な無線資源にマッピングされる。アンテナポート１５に対するＣＳＩ−ＲＳの複素シンボルには［１，１］がかけられ、アンテナポート１６に対するＣＳＩ−ＲＳの複素シンボルには［１−１］がかけられて同一な無線資源にマッピングされる。これはアンテナポート｛１７，１８｝、｛１９，２０｝、｛２１，２２｝も同様である。
【０１５９】
ＵＥは転送されたシンボルにかけられたコードをかけて特定アンテナポートに対するＣＳＩ−ＲＳを検出することができる。すなわち、アンテナポート１５に対するＣＳＩ−ＲＳを検出するために、かけられたコード［１  １］をかけて、アンテナポート１６に対するＣＳＩ−ＲＳを検出するためにかけられたコード［１  −１］をかける。
【０１６０】
図８（ａ）〜（ｃ）を参照すると、同一なＣＳＩ−ＲＳ構成インデックスに該当すれば、アンテナポート数の多いＣＳＩ−ＲＳ構成に従う無線資源はＣＳＩ−ＲＳアンテナポート数の少ないＣＳＩ−ＲＳ構成に従う無線資源を含む。例えば、ＣＳＩ−ＲＳ構成０の場合、８個のアンテナポート数に対する無線資源は４個のアンテナポート数に対する無線資源と１または２個のアンテナポート数に対する無線資源を全て含む。
【０１６１】
１つのセルで複数のＣＳＩ−ＲＳ構成が使われることができる。ノン−ゼロ電力（ＮＺＰ：ｎｏｎ−ｚｅｒｏ  ｐｏｗｅｒ）ＣＳＩ−ＲＳは０個または１個のＣＳＩ−ＲＳ構成のみ用いられ、ゼロ電力（ＺＰ：ｚｅｒｏ  ｐｏｗｅｒ）ＣＳＩ−ＲＳは０個または多数個のＣＳＩ−ＲＳ構成が利用できる。
【０１６２】
上位階層により設定される１６ビットのビットマップであるＺＰ  ＣＳＩ−ＲＳ（ＺｅｒｏＰｏｗｅｒＣＳＩ−ＲＳ）で１に設定された各ビット別に、ＵＥは前記の表３及び表４の４個のＣＳＩ−ＲＳ列（ｃｏｌｕｍｎ）に該当するＲＥで（上位階層により設定されたＮＺＰ  ＣＳＩ−ＲＳを仮定するＲＥと重複する場合を除外）ゼロ転送電力を仮定する。最上位ビット（ＭＳＢ：Ｍｏｓｔ  Ｓｉｇｎｉｆｉｃａｎｔ  Ｂｉｔ）は最も低いＣＳＩ−ＲＳ構成インデックスに該当し、ビットマップ内でその次のビットは順に次のＣＳＩ−ＲＳ構成インデックスに該当する。
【０１６３】
ＣＳＩ−ＲＳは前記の表３及び表４で（ｎ＿ｓ  ｍｏｄ  ２）の条件を満たすダウンリンクスロット及びＣＳＩ−ＲＳサブフレーム構成を満たすサブフレームのみで転送される。
【０１６４】
フレーム構造タイプ２（ＴＤＤ）の場合、スペシャルサブフレーム、同期信号（ＳＳ）、ＰＢＣＨまたはＳＩＢ  １（ＳｙｓｔｅｍＩｎｆｏｒｍａｔｉｏｎＢｌｏｃｋＴｙｐｅ１）メッセージ転送と衝突するサブフレームまたはページングメッセージ転送のために設定されたサブフレームでＣＳＩ−ＲＳは転送されない。
【０１６５】
また、アンテナポートセットＳ（Ｓ＝｛１５｝、Ｓ＝｛１５，１６｝、Ｓ＝｛１７，１８｝、Ｓ＝｛１９，２０｝、またはＳ＝｛２１，２２｝）内に属する如何なるアンテナポートに対するＣＳＩ−ＲＳが転送されるＲＥは、ＰＤＳＣＨまたは他のアンテナポートのＣＳＩ−ＲＳ転送に使われない。
【０１６６】
ＣＳＩ−ＲＳ転送に使われる時間−周波数資源はデータ転送に使われることができないので、ＣＳＩ−ＲＳオーバーヘッドが増加するほどデータ処理量（ｔｈｒｏｕｇｈｐｕｔ）が減少するようになる。これを考慮してＣＳＩ−ＲＳは毎サブフレーム毎に転送されるように構成されず、多数のサブフレームに該当する所定の転送周期毎に転送されるように構成される。この場合、毎サブフレーム毎にＣＳＩ−ＲＳが転送される場合に比べてＣＳＩ−ＲＳ転送オーバーヘッドがたくさん低減できる。
【０１６７】
ＣＳＩ−ＲＳ転送のためのサブフレーム周期（以下、‘ＣＳＩ転送周期’と称する）（Ｔ＿ＣＳＩ−ＲＳ）及びサブフレームオフセット（Δ＿ＣＳＩ−ＲＳ）は、以下の表５の通りである。
【０１６８】
表５は、ＣＳＩ−ＲＳサブフレーム構成を例示する。
【０１６９】
【表５】
2019535174.tif 000019
【０１７０】
表５を参照すると、ＣＳＩ−ＲＳサブフレーム構成（Ｉ＿ＣＳＩ−ＲＳ）によってＣＳＩ−ＲＳ転送周期（Ｔ＿ＣＳＩ−ＲＳ）及びサブフレームオフセット（Δ＿ＣＳＩ−ＲＳ）が決定される。
【０１７１】
表５のＣＳＩ−ＲＳサブフレーム構成は、先の‘ＳｕｂｆｒａｍｅＣｏｎｆｉｇ’フィールド及び‘ｚｅｒｏＴｘＰｏｗｅｒＳｕｂｆｒａｍｅＣｏｎｆｉｇ’フィールドのうち、いずれか１つに設定できる。ＣＳＩ−ＲＳサブフレーム構成は、ＮＺＰ  ＣＳＩ−ＲＳ及びＺＰＣ  ＳＩ−ＲＳに対して個別的に（ｓｅｐａｒａｔｅｌｙ）設定できる。
【０１７２】
ＣＳＩ−ＲＳを含むサブフレームは、以下の式１３を満たす。
【０１７３】
【数１３】
2019535174.tif 000020
【０１７４】
式１３で、Ｔ＿ＣＳＩ−ＲＳはＣＳＩ−ＲＳ転送周期、Δ＿ＣＳＩ−ＲＳはサブフレームオフセット値、ｎ＿ｆはシステムフレームナンバー、ｎ＿ｓはスロットナンバーを意味する。
【０１７５】
サービングセルに対して転送モード９（ｔｒａｎｓｍｉｓｓｉｏｎ  ｍｏｄｅ  ９）が設定されたＵＥの場合、ＵＥは１つのＣＳＩ−ＲＳ資源構成が設定できる。サービングセルに対して転送モード１０（ｔｒａｎｓｍｉｓｓｉｏｎ  ｍｏｄｅ  １０）が設定されたＵＥの場合、ＵＥは１つまたはその以上のＣＳＩ−ＲＳ資源構成が設定できる。
【０１７６】
現在のＬＴＥ標準でＣＳＩ−ＲＳ構成は、アンテナポート個数（ａｎｔｅｎｎａＰｏｒｔｓＣｏｕｎｔ）、サブフレーム構成（ｓｕｂｆｒａｍｅＣｏｎｆｉｇ）、資源構成（ｒｅｓｏｕｒｃｅＣｏｎｆｉｇ）などで構成されているので、ＣＳＩ−ＲＳがいくつのアンテナポートから転送されるのか、ＣＳＩ−ＲＳが転送されるサブフレームの周期及びオフセットがどうなるのか、そして該当サブフレームでどんなＲＥ位置（すなわち、周波数とＯＦＤＭシンボルインデックス）で転送されるのかを知らせてくれる。
【０１７７】
具体的に、各ＣＳＩ−ＲＳ（資源）構成のための以下のようにパラメータが上位階層シグナリングを通じて設定される。
【０１７８】
−転送モード１０が設定された場合、ＣＳＩ−ＲＳ資源構成識別子
【０１７９】
−ＣＳＩ−ＲＳポート個数（ａｎｔｅｎｎａＰｏｒｔｓＣｏｕｎｔ）：ＣＳＩ−ＲＳ転送のために使われるアンテナポートの個数を示すパラメータ（例えば、１ＣＳＩ−ＲＳポート、２ＣＳＩ−ＲＳポート、４ＣＳＩ−ＲＳポート、８ＣＳＩ−ＲＳポート）
【０１８０】
−ＣＳＩ−ＲＳ構成（ｒｅｓｏｕｒｃｅＣｏｎｆｉｇ）（表３及び表４参照）：ＣＳＩ−ＲＳ割当資源位置に関するパラメータ
【０１８１】
−ＣＳＩ−ＲＳサブフレーム構成（ｓｕｂｆｒａｍｅＣｏｎｆｉｇ、すなわちＩ＿ＣＳＩ−ＲＳ）（表５参照）：ＣＳＩ−ＲＳが転送されるサブフレーム周期及び／又はオフセットに関するパラメータ
【０１８２】
−転送モード９が設定された場合、ＣＳＩフィードバックのための転送パワー（Ｐ＿Ｃ）：フィードバックのための参照ＰＤＳＣＨ転送パワーに対するＵＥの仮定と関連して、ＵＥがＣＳＩフィードバックを導出し、１ｄＢ段階サイズに［−８，１５］ｄＢ範囲内で値を取る時、Ｐ＿ＣはＰＤＳＣＨ  ＲＥ当たりエネルギー（ＥＰＲＥ：Ｅｎｅｒｇｙ  Ｐｅｒ  Ｒｅｓｏｕｒｃｅ  Ｅｌｅｍｅｎｔ）とＣＳＩ−ＲＳ  ＥＰＲＥの割合で仮定される。
【０１８３】
−転送モード１０が設定された場合、各ＣＳＩプロセスに対してＣＳＩフィードバックのための転送パワー（Ｐ＿Ｃ）。ＣＳＩプロセスに対してＣＳＩサブフレームセットＣ＿ＣＳＩ、０、及びＣ＿ＣＳＩ、１が上位階層により設定されれば、Ｐ＿ＣはＣＳＩプロセスの各ＣＳＩサブフレームセット別に設定される。
【０１８４】
−任意ランダム（ｐｓｅｕｄｏ−ｒａｎｄｏｍ）シーケンス発生器パラメータ（ｎ＿ＩＤ）
【０１８５】
−転送モード１０が設定された場合、ＱＣＬ（ＱｕａｓｉＣｏ−Ｌｏｃａｔｅｄ）タイプＢ  ＵＥ仮定のためのＱＣＬスクランブリング識別子（ｑｃｌ−ＳｃｒａｍｂｌｉｎｇＩｄｅｎｔｉｔｙ−ｒ１１）、ＣＲＳポートカウント（ｃｒｓ−ＰｏｒｔｓＣｏｕｎｔ−ｒ１１）、ＭＢＳＦＮサブフレーム設定リスト（ｍｂｓｆｎ−ＳｕｂｆｒａｍｅＣｏｎｆｉｇＬｉｓｔ−ｒ１１）パラメータを含む上位階層パラメータ（‘ｑｃｌ−ＣＲＳ−Ｉｎｆｏ−ｒ１１’）
【０１８６】
ＵＥが導出したＣＳＩフィードバック値が［−８，１５］ｄＢ範囲内の値を有する時、Ｐ＿ＣはＣＳＩ−ＲＳ  ＥＰＲＥに対するＰＤＳＣＨ  ＥＰＲＥの割合で仮定される。ここで、ＰＤＳＣＨ  ＥＰＲＥはＣＲＳ  ＥＰＲＥに対するＰＤＳＣＨ  ＥＰＲＥの割合がρ＿Ａであるシンボルに該当する。
【０１８７】
サービングセルの同一なサブフレームでＣＳＩ−ＲＳとＰＭＣＨが共に設定されない。
【０１８８】
フレーム構造タイプ２で４個のＣＲＳアンテナポートが設定された場合、ＵＥは一般ＣＰの場合は［２０−３１］セット（表３参照）、または拡張ＣＰの場合は［１６−２７］セット（表４参照）に属するＣＳＩ−ＲＳ構成インデックスが設定されない。
【０１８９】
ＵＥはＣＳＩ−ＲＳ資源構成のＣＳＩ−ＲＳアンテナポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）に対してＱＣＬ関係を有すると仮定することができる。
【０１９０】
転送モード１０、そしてＱＣＬタイプＢが設定されたＵＥは、ＣＳＩ−ＲＳ資源構成に該当するアンテナポート０−３とＣＳＩ−ＲＳ資源構成に該当するアンテナポート１５−２２がドップラー拡散（Ｄｏｐｐｌｅｒ  ｓｐｒｅａｄ）、ドップラーシフト（Ｄｏｐｐｌｅｒ  ｓｈｉｆｔ）に対してＱＣＬ関係と仮定することができる。
【０１９１】
転送モード１−９が設定されたＵＥの場合、サービングセルに対してＵＥは１つのＺＰ  ＣＳＩ−ＲＳ資源構成が設定できる。転送モード１０が設定されたＵＥの場合、サービングセルに対してＵＥは１つまたはその以上のＺＰ  ＣＳＩ−ＲＳ資源構成が設定できる。
【０１９２】
上位階層シグナリングを通じてＺＰ  ＣＳＩ−ＲＳ資源構成のための以下のようなパラメータが設定できる。
【０１９３】
−  ＺＰ  ＣＳＩ−ＲＳ構成リスト（ｚｅｒｏＴｘＰｏｗｅｒＲｅｓｏｕｒｃｅＣｏｎｆｉｇＬｉｓｔ）（表３及び表４参照）：ゼロ−パワーＣＳＩ−ＲＳ構成に関するパラメータ
【０１９４】
−  ＺＰ  ＣＳＩ−ＲＳサブフレーム構成（ｅｒｏＴｘＰｏｗｅｒＳｕｂｆｒａｍｅＣｏｎｆｉｇ、すなわちＩ＿ＣＳＩ−ＲＳ）（表５参照）：ゼロ−パワーＣＳＩ−ＲＳが転送されるサブフレーム周期及び／又はオフセットに関するパラメータ
【０１９５】
サービングセルの同一なサブフレームでＺＰ  ＣＳＩ−ＲＳとＰＭＣＨが同時に設定されない。
【０１９６】
転送モード１０が設定されたＵＥの場合、サービングセルに対して１つまたはその以上のＣＳＩ−ＩＭ（Ｃｈａｎｎｅｌ−Ｓｔａｔｅ  Ｉｎｆｏｒｍａｔｉｏｎ−ｉｎｔｅｒｆｅｒｅｎｃｅ  Ｍｅａｓｕｒｅｍｅｎｔ）資源構成が設定できる。
【０１９７】
上位階層シグナリングを通じて各ＣＳＩ−ＩＭ資源構成のための以下のようなパラメータが設定できる。
【０１９８】
−  ＺＰ  ＣＳＩ−ＲＳ構成（表３及び表４参照）
【０１９９】
−  ＺＰ  ＣＳＩ  ＲＳサブフレーム構成（Ｉ＿ＣＳＩ−ＲＳ）（表５参照）
【０２００】
ＣＳＩ−ＩＭ資源構成は設定されたＺＰ  ＣＳＩ−ＲＳ資源構成のうちのいずれか１つと同一である。
【０２０１】
サービングセルの同一なサブフレーム内のＣＳＩ−ＩＭ資源とＰＭＣＨが同時に設定されない。
【０２０２】
サウンディング参照信号（ＳＲＳ：Ｓｏｕｎｄｉｎｇ  Ｒｅｆｅｒｅｎｃｅ  Ｓｉｇｎａｌ）
【０２０３】
ＳＲＳは主にアップリンクの周波数−選択的スケジューリングを遂行するためにチャンネルの品質測定に用いられ、アップリンクデータ及び／又は制御情報の転送と関連しない。しかし、これに限定されず、ＳＲＳは電力制御の向上、又は最近スケジュールされていない端末の多様なスタートアップ（ｓｔａｒｔ−ｕｐ）機能を支援するための多様な異なる目的のために用いられることができる。スタートアップ機能の一例として、初期の変調及び符号化方式（ＭＣＳ：Ｍｏｄｕｌａｔｉｏｎ  ａｎｄ  Ｃｏｄｉｎｇ  Ｓｃｈｅｍｅ）、データ転送のための初期の電力制御、タイミングアドバンス（ｔｉｍｉｎｇ  ａｄｖａｎｃｅ）及び周波数半選択的（ｓｅｍｉ−ｓｅｌｅｃｔｉｖｅ）スケジューリングが含まれることができる。この時、周波数半選択的なスケジューリングは、サブフレームの一番目のスロットに選択的に周波数リソースを割り当て、二番目のスロットでは他の周波数に擬似ランダム（ｐｓｅｕｄｏ−ｒａｎｄｏｍｌｙ）にホップし、周波数リソースを割り当てるスケジューリングをいう。
【０２０４】
また、ＳＲＳは、アップリンクとダウンリンクとの間に無線チャンネルが相互的（ｒｅｃｉｐｒｏｃａｌ）であるという仮定の下に、ダウンリンクチャンネルの品質を測定するために用いられることができる。このような仮定は、アップリンクとダウンリンクが同一の周波数スペクトルを共有し、時間領域では分離された時分割複信（ＴＤＤ：Ｔｉｍｅ  Ｄｉｖｉｓｉｏｎ  Ｄｕｐｌｅｘ）システムで特に有効である。
【０２０５】
セル内である端末により転送されるＳＲＳのサブフレームは、セル−特定の放送信号により示すことができる。４ビットのセル−特定‘ｓｒｓＳｕｂｆｒａｍｅＣｏｎｆｉｇｕｒａｔｉｏｎ’のパラメータは、ＳＲＳが各無線フレームを介して転送されることができる１５個の可能なサブフレームの配列を示す。このような配列により、配備シナリオ（ｄｅｐｌｏｙｍｅｎｔ  ｓｃｅｎａｒｉｏ）によってＳＲＳオーバーヘッド（ｏｖｅｒｈｅａｄ）の調整に対する流動性を提供することになる。
【０２０６】
このうち、１６番目の配列はセル内で完全にＳＲＳのスイッチをオフし、これは主に高速端末をサービングするサービングセルに好適である。
【０２０７】
図９は、本発明が適用できる無線通信システムにおけるサウンディング参照信号シンボルを含むアップリンクサブフレームを例示する。
【０２０８】
図９を参照すると、ＳＲＳは配列されたサブフレーム上で常に最後のＳＣ−ＦＤＭＡシンボルを介して転送される。従って、ＳＲＳとＤＭＲＳは異なるＳＣ−ＦＤＭＡシンボルに位置することになる。
【０２０９】
ＰＵＳＣＨデータ転送は、ＳＲＳの転送のための特定のＳＣ−ＦＤＭＡシンボルでは許可されず、結果としてサウンディング（ｓｏｕｎｄｉｎｇ）のオーバーヘッドが最も高い場合、即ち、全てのサブフレームにＳＲＳシンボルが含まれる場合であっても、サウンディングのオーバーヘッドは約７％を超えない。
【０２１０】
各ＳＲＳシンボルは、与えられた時間単位と周波数帯域に関する基本シーケンス（ランダムシーケンス又はＺａｄｏｆｆ−ｃｈ（ＺＣ）に基づいたシーケンスセット）により生成され、同一のセル内の全ての端末は、同一の基本シーケンスを用いる。この時、同一の周波数帯域と同一の時間で同一のセル内の複数の端末からのＳＲＳの転送は、基本シーケンスの互いに異なる循環シフト（ｃｙｓｌｉｃ  ｓｈｉｆｔ）により直交（ｏｒｔｈｏｇｏｎａｌ）し、互いに区別される。
【０２１１】
各々のセル毎に互いに異なる基本シーケンスが割り当てられることによって、互いに異なるセルからのＳＲＳシーケンスが区別できるが、互いに異なる基本シーケンスの間で直交性は保障しない。
【０２１２】
より多くの通信機器がより大きな通信容量を要求することになり、これに伴って既存の無線アクセス技術（ＲＡＴ：Ｒａｄｉｏ  Ａｃｃｅｓｓ  Ｔｅｃｈｎｏｌｏｇｙ）に比べて向上した移動広帯域（ｍｏｂｉｌｅ  ｂｒｏａｄｂａｎｄ）通信に対する必要性が台頭している。また、多数の機器及びモノを連結し、いつどこでも多様なサービスを提供するｍａｓｓｉｖｅ  ＭＴＣ（ｍａｓｓｉｖｅ  Ｍａｃｈｉｎｅ  Ｔｙｐｅ  Ｃｏｍｍｕｎｉｃａｔｉｏｎｓ）もやはり、次世代の通信で考慮されるべき主要なイシューの一つである。だけでなく、信頼度（ｒｅｌｉａｂｉｌｉｔｙ）及び遅延（ｌａｔｅｎｃｙ）に敏感なサービス／ＵＥを考慮した通信システムのデザインが議論されている。
【０２１３】
このように進化した移動広帯域通信（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、  ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代ＲＡＴの導入が議論されており、本発明では、便宜上、該当技術を新たなＲＡＴ（ｎｅｗ  ＲＡＴ）と称する。
【０２１４】
自己完結型（Ｓｅｌｆ−ｃｏｎｔａｉｎｅｄ）サブフレームの構造
【０２１５】
図１０は、本発明が適用できる無線通信システムにおける自己完結型（Ｓｅｌｆ−ｃｏｎｔａｉｎｅｄ）サブフレームの構造を例示する図である。
【０２１６】
ＴＤＤシステムにおけるデータ転送の遅延（ｌａｔｅｎｃｙ）を最小化するために、５世代（５Ｇ：５  ｇｅｎｅｒａｔｉｏｎ）の新たなＲＡＴでは、図１０のような自己完結型（ｓｅｌｆ−ｃｏｎｔａｉｎｅｄ）サブフレームの構造を考慮している。
【０２１７】
図１０における斜線領域（シンボルインデックス０）は、ダウンリンク（ＤＬ）の制御領域を示し、黒色部分（シンボルインデックス１３）は、アップリンク（ＵＬ）の制御領域を示す。陰影の表示のない領域は、ＤＬのデータ転送のために用いられてもよく、又はＵＬのデータ転送のために用いられてもよい。このような構造の特徴は、一つのサブフレーム内でＤＬの転送とＵＬの転送が順次進められ、サブフレーム内でＤＬのデータが転送され、ＵＬ  ＡＣＫ／ＮＡＣＫも受信されることができる。結果として、データ転送のエラー発生時にデータの再転送までかかる時間を減らすことになり、このため、最終のデータ伝達の遅延を最小化することができる。
【０２１８】
このような自己完結型サブフレームの構造において、基地局とＵＥが送信モードから受信モードへの切り替え過程、又は受信モードから送信モードへの切り替え過程のための時間ギャップ（ｔｉｍｅ  ｇａｐ）が必要である。このために、自己完結型サブフレームの構造において、ＤＬからＵＬに切り替えられる時点の一部のＯＦＤＭシンボルがガード区間（ＧＰ：Ｇｕａｒｄ  ｐｅｒｉｏｄ）に設定されることになる。
【０２１９】
アナログビームフォーミング（Ａｎａｌｏｇ  ｂｅａｍｆｏｒｍｉｎｇ）
【０２２０】
ミリ波（Ｍｉｌｌｉｍｅｔｅｒ  Ｗａｖｅ、ｍｍＷ）では、波長が短くなり、同じ面積に多数個のアンテナエレメント（ｅｌｅｍｅｎｔ）の設置が可能になる。即ち、３０ＧＨｚ帯域での波長は１ｃｍであって、４  ｘ  ４（４  ｂｙ  ４）ｃｍのパネル（ｐａｎｅｌ）に０．５ラムダ（ｌａｍｂｄａ）（即ち、波長）間隔で二次元配列の形態で総６４（８ｘ８）のアンテナエレメントの設置が可能である。従って、ｍｍＷでは、多数個のアンテナエレメントを用いて、ビームフォーミング（ＢＦ：ｂｅａｍｆｏｒｍｉｎｇ）の利得を高めて、カバレッジを増加させたり、スループット（ｔｈｒｏｕｇｈｐｕｔ）を高めようとする。
【０２２１】
この場合、アンテナエレメント別に転送パワー及び位相調節が可能なように、トランシーバーユニット（ＴＸＲＵ：Ｔｒａｎｓｃｅｉｖｅｒ  Ｕｎｉｔ）を有すると、周波数リソース別に独立のビームフォーミングが可能である。しかし、１００個余りのアンテナエレメントに全てＴＸＲＵを設置するには、価格面において実効性が低いという問題を有することになる。従って、一つのＴＸＲＵに多数個のアンテナエレメントをマッピングし、アナログ位相シフタ（ａｎａｌｏｇ  ｐｈａｓｅ  ｓｈｉｆｔｅｒ）でビーム（ｂｅａｍ）の方向を調節する方式が考慮されている。このようなアナログＢＦ方式は、全帯域において一つのビーム方向のみを作ることができ、周波数選択的ＢＦを行うことができないという短所がある。
【０２２２】
デジタル（Ｄｉｇｉｔａｌ）ＢＦとアナログＢＦの中間形態で、Ｑ個のアンテナエレメントより少ない個数であるＢ個のＴＸＲＵを有するハイブリッドビームフォーミング（ｈｙｂｒｉｄ  ＢＦ）を考慮することができる。この場合、Ｂ個のＴＸＲＵとＱ個のアンテナエレメントの連結方式によって差はあるが、同時に転送することができるビームの方向は、Ｂ個以下に制限されることになる。
【０２２３】
以下、図面を参照し、ＴＸＲＵとアンテナエレメントの連結方式の代表的な一例を見る。
【０２２４】
図１１は、本発明が適用できる無線通信システムにおけるトランシーバーユニットのモデルを例示する。
【０２２５】
ＴＸＲＵの仮想化（ｖｉｒｔｕａｌｉｚａｔｉｏｎ）モデルは、ＴＸＲＵの出力信号とアンテナエレメントの出力信号の関係を示す。アンテナエレメントとＴＸＲＵとの相関関係によって、図１１（ａ）のように、ＴＸＲＵの仮想化（ｖｉｒｔｕａｌｉｚａｔｉｏｎ）モデルのオプション−１：サブアレイ分割モデル（ｓｕｂ−ａｒｒａｙ  ｐａｒｔｉｔｉｏｎ  ｍｏｄｅｌ）と、図１１（ｂ）のように、ＴＸＲＵの仮想化モデルのオプション−２：全域連結（ｆｕｌｌ−ｃｏｎｎｅｃｔｉｏｎ）のモデルとに区分できる。
【０２２６】
図１１（ａ）を参照すると、サブアレイ分割モデル（ｓｕｂ−ａｒｒａｙ  ｐａｒｔｉｔｉｏｎ  ｍｏｄｅｌ）の場合、アンテナエレメントは多重のアンテナエレメントグループに分割され、各ＴＸＲＵはグループのうち一つと連結される。この場合、アンテナエレメントは一つのＴＸＲＵにのみ連結される。
【０２２７】
図１１（ｂ）を参照すると、全域連結（ｆｕｌｌ−ｃｏｎｎｅｃｔｉｏｎ）モデルの場合、多重のＴＸＲＵの信号が結合され、単一のアンテナエレメント（又はアンテナエレメントの配列）に伝達される。即ち、ＴＸＲＵが全てのアンテナエレメントに連結された方式を示す。この場合、アンテナエレメントは全てのＴＸＲＵに連結される。
【０２２８】
図１１において、ｑは、一つの列（ｃｏｌｕｍｎ）内のＭ個の同じ偏波（ｃｏ−ｐｏｌａｒｉｚｅｄ）を有するアンテナエレメントの送信信号ベクトルである。ｗは、広帯域ＴＸＲＵの仮想化加重値ベクトル（ｗｉｄｅｂａｎｄ  ＴＸＲＵ  ｖｉｒｔｕａｌｉｚａｔｉｏｎ  ｗｅｉｇｈｔ  ｖｅｃｔｏｒ）であり、Ｗは、アナログ位相シフタ（ａｎａｌｏｇ  ｐｈａｓｅ  ｓｈｉｆｔｅｒ）により掛けられる位相ベクトルを示す。即ち、Ｗによりアナログビームフォーミングの方向が決定される。ｘは、Ｍ＿ＴＸＲＵ個のＴＸＲＵの信号ベクトルである。
【０２２９】
ここで、アンテナポートとＴＸＲＵとのマッピングは、一対一（１−ｔｏ−１）または一対多（１−ｔｏ−ｍａｎｙ）であり得る。
【０２３０】
図１１において、ＴＸＲＵとアンテナエレメントとの間のマッピング（ＴＸＲＵ−ｔｏ−ｅｌｅｍｅｎｔ  ｍａｐｐｉｎｇ）は一つの例示を示すだけであり、本発明がこれに限定されるものではなく、ハードウェアの観点で、この他に多様な形態で具現できるＴＸＲＵとアンテナエレメントとの間のマッピングにも本発明が同様に適用できる。
【０２３１】
チャンネル状態情報（ＣＳＩ：Ｃｈａｎｎｅｌ  Ｓｔａｔｅ  Ｉｎｆｏｒｍａｔｉｏｎ）フィードバック
【０２３２】
３ＧＰＰ  ＬＴＥ／ＬＴＥ−Ａシステムでは、ユーザー装置（ＵＥ）がチャンネル状態情報（ＣＳＩ）を基地局（ＢＳ又はｅＮＢ）に報告するように定義された。
【０２３３】
ＣＳＩは、ＵＥとアンテナポートとの間に形成される無線チャンネル（或いはリンクともいう）の品質を示せる情報を通称する。例えば、ランク指示子（ＲＩ：ｒａｎｋ  ｉｎｄｉｃａｔｏｒ）、プリコーディング行列指示子（ＰＭＩ：ｐｒｅｃｏｄｉｎｇ  ｍａｔｒｉｘ  ｉｎｄｉｃａｔｏｒ）、チャンネル品質指示子（ＣＱＩ：Ｃｈａｎｎｅｌ  Ｑｕａｌｉｔｙ  Ｉｎｄｉｃａｔｏｒ）等がこれに該当する。
【０２３４】
ここで、ＲＩはチャンネルのランク（ｒａｎｋ）情報を示し、これは、ＵＥが同一の時間−周波数リソースを介して受信するストリームの個数を意味する。この値は、チャンネルの長い周期（ｌｏｎｇ  ｔｅｒｍ）のフェーディング（ｆａｄｉｎｇ）によって従属されて決定されるので、ＰＭＩ、ＣＱＩより通常さらに長い周期を持ってＵＥからＢＳにフィードバックされる。ＰＭＩはチャンネルの空間特性を反映した値であって、信号対干渉雑音比（ＳＩＮＲ：Ｓｉｇｎａｌ−ｔｏ−Ｉｎｔｅｒｆｅｒｅｎｃｅ−ｐｌｕｓ−Ｎｏｉｓｅ  Ｒａｔｉｏ）等のメトリック（ｍｅｔｒｉｃ）を基準に、ＵＥが好むプリコーディングインデックスを示す。ＣＱＩはチャンネルの強度を示す値であって、通常、ＢＳがＰＭＩを用いたときに得られる受信のＳＩＮＲを意味する。
【０２３５】
３ＧＰＰ  ＬＴＥ／ＬＴＥ−Ａシステムで、基地局は多数個のＣＳＩプロセス（ｐｒｏｃｅｓｓ）をＵＥに設定し、各プロセスに対するＣＳＩの報告を受けることができる。ここで、ＣＳＩプロセスは基地局からの信号品質の測定のためのＣＳＩ−ＲＳとの干渉測定のためのＣＳＩ−干渉測定（ＣＳＩ−ＩＭ：ＣＳＩ−Ｉｎｔｅｒｆｅｒｅｎｃｅ  Ｍｅａｓｕｒｅｍｅｎｔ）リソースで構成される。
【０２３６】
参照信号（ＲＳ：Ｒｅｆｅｒｅｎｃｅ  Ｓｉｇｎａｌ）仮想化（ｖｉｒｔｕａｌｉｚａｔｉｏｎ）
【０２３７】
ｍｍＷでアナログビームフォーミングにより、一つの時点に一つのアナログビームの方向のみにＰＤＳＣＨ転送されることができる。この場合、該当方向にある一部少数のＵＥにのみ基地局からデータの転送が可能になる。よって、必要に応じて、アンテナポート別にアナログビームの方向を異なって設定することによって、様々なアナログビームの方向にある多数のＵＥに同時にデータの転送が遂行されることができる。
【０２３８】
図１２は、本発明が適用できる無線通信システムにおけるトランシーバーユニット別のサービス領域を例示する図である。
【０２３９】
図１２では、２５６のアンテナエレメントを４等分し、４個のサブアレイ（ｓｕｂ−ａｒｒａｙ）を形成し、前記図１１のようにサブアレイ（ｓｕｂ−ａｒｒａｙ）にＴＸＲＵを連結した構造を例に挙げて説明する。
【０２４０】
各サブアレイが二次元（ｄｉｍｅｎｓｉｏｎ）配列の形態で総６４（８ｘ８）のアンテナエレメントが構成されると、特定のアナログビームフォーミングにより１５度の水平角領域と１５度の垂直角領域に該当する地域をカバーすることができる。即ち、基地局がサービスすべき地域を多数個の領域に分け、一度に一つずつサービスすることになる。
【０２４１】
以下の説明で、ＣＳＩ−ＲＳアンテナポートとＴＸＲＵは、一対一（１−ｔｏ−１）マッピングされたと仮定する。従って、アンテナポートとＴＸＲＵは以下の説明で同じ意味を有する。
【０２４２】
図１２（ａ）のように、全てのＴＸＲＵ（アンテナポート、サブアレイ）（即ち、ＴＸＲＵ  ０、１、２、３）が同一のアナログビームフォーミングの方向（即ち、領域１（ｒｅｇｉｏｎ  １））を有すると、より高い分解能（ｒｅｓｏｌｕｔｉｏｎ）を有するデジタルビームを形成し、該当地域のスループット（ｔｈｒｏｕｇｈｐｕｔ）を増加させることができる。また、該当地域に転送データのランクを増加させて、該当地域のスループットを増加させることができる。
【０２４３】
図１２（ｂ）及び図１２（ｃ）のように、各ＴＸＲＵ（アンテナポート、サブアレイ）（即ち、ポート（ｐｏｒｔ）０、１、２、３）が異なるアナログビームフォーミングの方向（即ち、領域１又は領域２）を有すると、より広い領域に分布されたＵＥに該当サブフレーム（ＳＦ：ｓｕｂｆｒａｍｅ）で同時にデータ転送が可能になる。
【０２４４】
図１２（ｂ）及び図１２（ｃ）の例示のように、４個のアンテナポートのうち２個は、領域１にあるＵＥ１にＰＤＳＣＨ転送のために使用され、残りの２個は領域２にあるＵＥ２にＰＤＳＣＨ転送のために使用されることができる。
【０２４５】
特に、図１２（ｂ）では、ＵＥ１に転送されるＰＤＳＣＨ１とＵＥ２に転送されるＰＤＳＣＨ２が空間分割多重化（ＳＤＭ：Ｓｐａｔｉａｌ  Ｄｉｖｉｓｉｏｎ  Ｍｕｌｔｉｐｌｅｘｉｎｇ）された例示を示す。これと異なり、図１２（ｃ）のように、ＵＥ１に転送されるＰＤＳＣＨ１とＵＥ２に転送されるＰＤＳＣＨ２が周波数分割多重化（ＦＤＭ：Ｆｒｅｑｕｅｎｃｙ  Ｄｉｖｉｓｉｏｎ  Ｍｕｌｔｉｐｌｅｘｉｎｇ）されて転送されることもできる。
【０２４６】
全てのアンテナポートを使用して一つの領域をサービスする方式と、アンテナポートを分けて様々な領域を同時にサービスする方式のうち、セルスループット（ｃｅｌｌ  ｔｈｒｏｕｇｈｐｕｔ）を最大化するためにＵＥにサービスするランク、並びに変調、及びコーディング技法（ＭＣＳ：Ｍｏｄｕｌａｔｉｏｎ  ａｎｄ  Ｃｏｄｉｎｇ  Ｓｃｈｅｍｅ）によって好まれる方式が変わり得る。また、各ＵＥに転送するデータの量によって、好まれる方式が変わり得る。
【０２４７】
基地局は、全てのアンテナポートを使用し、一つの領域をサービスするときに得られるセルスループットまたはスケジューリングメトリック（ｓｃｈｅｄｕｌｉｎｇ  ｍｅｔｒｉｃ）を計算し、アンテナポートを分けて二つの領域をサービスするときに得られるセルスループットまたはスケジューリングメトリックを計算する。基地局は各方式を介して得られるセルスループットまたはスケジューリングメトリックを比較し、最終の転送方式を選択することができる。結果、サブフレームの単位で（ＳＦ−ｂｙ−ＳＦ）でＰＤＳＣＨの転送に参加するアンテナポートの個数が変動し得る。基地局がアンテナポートの個数によるＰＤＳＣＨの転送ＭＣＳを計算し、スケジューリングのアルゴリズムに反映するために、これに好適なＵＥからのＣＳＩフィードバックが要求される。
【０２４８】
ビーム参照信号（ＢＲＳ：Ｂｅａｍ  Ｒｅｆｅｒｅｎｃｅ  Ｓｉｇｎａｌ）
【０２４９】
ビーム参照信号（ＢＲＳ）は、一つ又はそれ以上のアンテナポート（ｐ＝｛０、１、．．．、７｝上で転送されることができる。
【０２５０】
参照信号のシーケンス‘ｒ＿ｌ（ｍ）’は、下記式１４のように定義されることができる。
【０２５１】
【数１４】
2019535174.tif 000021
【０２５２】
ここで、ｌ＝０、１、．．．、１３はＯＦＤＭシンボルの番号である。Ｎ＿ＲＢ＾ｍａｘ、ＤＬは、最も大きなダウンリンクバンドの設定を示し、Ｎ＿ｓｃ＾ＲＢの倍数で表現される。Ｎ＿ｓｃ＾ＲＢは、周波数ドメインで資源ブロックの大きさを示し、サブキャリアの数で表現される。
【０２５３】
式１４において、ｃ（ｉ）は、擬似乱数（ｐｓｅｕｄｏ−ｒａｎｄｏｍ）のシーケンスであって、予め定義されることができる。擬似乱数のシーケンス発生器は、下記式１５を用いて、毎ＯＦＤＭシンボルを始める際に初期化されることができる。
【０２５４】
【数１５】
2019535174.tif 000022
【０２５５】
ここで、Ｎ＿ＩＤ＾ｃｅｌｌは物理層のセル識別子を示す。ｎ＿ｓ＝ｆｌｏｏｒ（ｌ／７）であり、ｆｌｏｏｒ（ｘ）はｘ以下の最大の整数を導出する床関数（ｆｌｏｏｒ  ｆｕｎｃｔｉｏｎ）を示す。ｌ’＝ｌ  ｍｏｄ  ７であり、  ｍｏｄはモジュロ（ｍｏｄｕｌｏ）演算を示す。
【０２５６】
ビーム補正参照信号（ＢＲＲＳ：Ｂｅａｍ  Ｒｅｆｉｎｅｍｅｎｔ  Ｒｅｆｅｒｅｎｃｅ  Ｓｉｇｎａｌ）
【０２５７】
ビーム補正参照信号（ＢＲＲＳ）は、最大８個のアンテナポート（ｐ＝６００、．．．、６０７）上で転送されることができる。ＢＲＲＳの送信及び受信は、ｘＰＤＣＣＨ上のダウンリンクリソース割当内でスケジューリングされることができる。
【０２５８】
参照信号のシーケンス‘ｒ＿ｌ、ｎｓ（ｍ）’は、下記式１６のように定義されることができる。
【０２５９】
【数１６】
2019535174.tif 000023
【０２６０】
ここで、ｎ＿ｓは無線フレーム内のスロットの番号である。ｌは、スロット内のＯＦＤＭシンボルの番号である。ｃ（ｉ）は、擬似乱数（ｐｓｅｕｄｏ−ｒａｎｄｏｍ）のシーケンスであって、予め定義されることができる。擬似乱数のシーケンス発生器は、下記式１７を用いて、毎ＯＦＤＭシンボルを始める際に初期化されることができる。
【０２６１】
【数１７】
2019535174.tif 000024
【０２６２】
ここで、Ｎ＿ＩＤ＾ＢＲＲＳはＲＲＣシグナリングを介してＵＥに設定される。
【０２６３】
ダウンリンクの位相雑音補償参照信号（ＤＬ  Ｐｈａｓｅ  Ｎｏｉｓｅ  Ｃｏｍｐｅｎｓａｔｉｏｎ  Ｒｅｆｅｒｅｎｃｅ  Ｓｉｇｎａｌ）
【０２６４】
ｘＰＤＳＣＨと関連した位相雑音補償参照信号は、ＤＣＩ内でシグナリングによってアンテナポートｐ＝６０及び／又はｐ＝６１上で転送されることができる。また、ｘＰＤＳＣＨと関連した位相雑音補償参照信号は、ｘＰＤＳＣＨの転送が該当アンテナポートと関連する時にのみ位相雑音補償のための有効な参照として存在することができる。また、ｘＰＤＳＣＨと関連した位相雑音補償参照信号は、該当ｘＰＤＳＣＨがマッピングされた物理資源ブロック及びシンボル上でのみ転送されることができる。また、ｘＰＤＳＣＨと関連した位相雑音補償参照信号は、ｘＰＤＳＣＨの割り当てによって、全てのシンボルで同一であり得る。
【０２６５】
あるアンテナポートｐ∈｛６０、６１｝において、参照信号のシーケンス‘ｒ（ｍ）’は、下記式１８のように定義される。
【０２６６】
【数１８】
2019535174.tif 000025
【０２６７】
ここで、ｃ（ｉ）は、擬似乱数（ｐｓｅｕｄｏ−ｒａｎｄｏｍ）のシーケンスであって、予め定義されることができる。擬似乱数のシーケンス発生器は、下記数式１９を用いて、毎サブフレームを始める際に初期化されることができる。
【０２６８】
【数１９】
2019535174.tif 000026
【０２６９】
ここで、ｎ＿ＳＣＩＤは異なって特定されない限り０である。ｘＰＤＳＣＨの転送において、ｎ＿ＳＣＩＤはｘＰＤＳＣＨの転送と関連したＤＣＩフォーマット内で与えられる。
【０２７０】
ｎ＿ＩＤ＾（ｉ）（ここで、ｉ＝０、１）は次のように与えられる。ｎ＿ＩＤ＾ＰＣＲＳ、ｉの値が上位層によって提供されないと、 ｎ＿ＩＤ＾（ｉ）はＮ＿ＩＤ＾ｃｅｌｌの通りである。そうでなければ、ｎ＿ＩＤ＾（ｉ）はｎ＿ＩＤ＾ＰＣＲＳ、ｉの通りである。
【０２７１】
新たなＲＡＴ（ＮＲ：Ｎｅｗ  Ｒａｔ）のアップリンク（ＵＬ：Ｕｐｌｉｎｋ）  ＭＩＭＯ（Ｍｕｌｔｉ−Ｉｎｐｕｔ  Ｍｕｌｔｉ−Ｏｕｔｐｕｔ）のために次のような技術が議論されている。
【０２７２】
ｉ）データチャンネルのためのアップリンクの送信／受信技法
【０２７３】
−非相互性（Ｎｏｎ  ｒｅｃｉｐｒｏｃｉｔｙ）ベースのＵＬ  ＭＩＭＯ（例えば、ＰＭＩベース）
【０２７４】
−相互性（ｒｅｃｉｐｒｏｃｉｔｙ）ベースのＵＬ  ＭＩＭＯ（例えば、ＵＥがダウンリンクＲＳの測定に基づいてプリコーダ（ｐｒｅｃｏｄｅｒ）を導出する）（部分的な（ｐａｒｔｉａｌ）相互性を含む）
【０２７５】
−多重ユーザー（ＭＵ：Ｍｕｌｔｉ  Ｕｓｅｒ）−ＭＩＭＯ支援
【０２７６】
−開ループ（Ｏｐｅｎ−ｌｏｏｐ）／閉ループ（Ｃｌｏｓｅ−ｌｏｏｐ）の単一／多重ポイント空間多重化（ＳＭ：Ｓｐａｔｉａｌ  Ｍｕｌｔｉｐｌｅｘｉｎｇ）
【０２７７】
例えば、多重ポイントＳＭの場合、多層（ｍｕｌｔｉ  ｌａｙｅｒ）が互いに異なる転送受領ポイント（ＴＲＰ：Ｔｒａｎｓｍｉｔ  Ｒｅｃｅｐｔｉｏｎ  Ｐｏｉｎｔ）により一緒に（ｊｏｉｎｔｌｙ）又は独立に受信される。
【０２７８】
多重ポイントＳＭの場合、多重ポイントが連合（ｃｏｏｒｄｉｎａｔｉｏｎ）されることができる。
【０２７９】
−単一／多重パネル（ｐａｎｅｌ）空間ダイバーシチ（ｓｐａｔｉａｌ  ｄｉｖｅｒｓｉｔｙ）
【０２８０】
−ＵＬのアンテナ／パネルスイッチング（ＵＥ側面）
【０２８１】
−アナログ具現のためのＵＬのビームフォーミング管理
【０２８２】
−前記技術の組み合わせ
【０２８３】
ｉｉ）次のような機能を考慮したＵＬ  ＲＳの設計
【０２８４】
−サウンディング（ｓｏｕｎｄｉｎｇ）
【０２８５】
−復調（Ｄｅｍｏｄｕｌａｔｉｏｎ）
【０２８６】
−位相雑音補償（Ｐｈａｓｅ  ｎｏｉｓｅ  ｃｏｎｐｅｎｓａｔｉｏｎ）
【０２８７】
ｉｉｉ）ＵＬ  ＭＩＭＯのコンテキスト内ＵＬの転送パワー／タイミングアドバンス（ｔｉｍｉｎｇ  ａｄｖａｎｃｅ）の制御
【０２８８】
ｉｖ）ＵＬの制御情報を運ぶための転送技法
【０２８９】
ｖ）他のＵＬ  ＭＩＭＯ及び関連技術が制限されない。
【０２９０】
ＵＬ  ＭＩＭＯ転送のための次のような側面が支援されなければならない。
【０２９１】
ｉ）相互（ｒｅｃｉｐｒｏｃｉｔｙ）補正された（ｃａｌｉｂｒａｔｅｄ）  ＵＥ、相互非補正された（ｎｏｎ−ｃａｌｉｂｒａｔｅｄ）ＵＥ、及び非相互／部分相互の場合に対する転送技法／方法
【０２９２】
−必要であれば、ＵＬ相互ベース動作と関連したシグナリングが導入される。例えば、補正（ｃａｌｉｂｒａｔｉｏｎ）の正確性を指示するＵＥの能力（ｃａｐａｂｉｌｉｔｙ）
【０２９３】
−非相互と相互非補正されたＵＥを区別するか否かについて議論される予定である。
【０２９４】
−転送技法／方法の数はさらに議論されることができる。
【０２９５】
ｉｉ）次の候補技法／方法の少なくとも一つが支援される。
【０２９６】
−候補１：コードブックベース転送
【０２９７】
大きなシステム帯域幅のためにデジタルドメイン（ｄｉｇｉｔａｌ  ｄｏｍａｉｎ）で周波数選択的（ｓｅｌｅｃｔｉｖｅ）及び周波数非選択的（ｎｏｎ−ｓｅｌｅｃｔｉｖｅ）プリコーディングが考慮されることができる。周波数選択的プリコーディングの支援は、ＮＲ波形（ｗａｖｅｆｏｒｍ）の決定によって決定される。大きなシステム帯域幅の値を後日議論される。
【０２９８】
例えば、ＬＴＥと類似した（ａｎａｌｏｇｏｕｓ）基地局−中心（ＢＳ（Ｂａｓｅ  Ｓｔａｔｉｏｎ）−ｂａｓｅｄ）のメカニズム
【０２９９】
例えば、ＵＥ−補助（ＵＥ−ａｉｄｅｄ）及びＢＳ−中心（ＢＳ−ｃｅｎｔｒｉｃ）のメカニズム：ＵＥはＤＬ  ＲＳ測定に基づいて、予め定義されたコードブックから候補ＵＬのプリコーダをＢＳに推薦する。そして、ＢＳはコードブックから用いる最終のプリコーダを決定する。
【０３００】
例えば、ＵＥ−中心（ＵＥ−ｃｅｎｔｒｉｃ）及びＢＳ−補助（ＢＳ−ａｉｄｅｄ）のメカニズム：ＢＳはＣＳＩ（例えば、チャンネル応答、間接−関連情報）をＵＥに提供する。そして、ＵＥはＢＳから受信した情報に基づいて、最終のプリコーダを決定する。
【０３０１】
−候補１：非コードブック（ｎｏｎ−ｃｏｄｅｂｏｏｋ）ベース転送
【０３０２】
大きなシステム帯域幅のためにデジタルドメイン（ｄｉｇｉｔａｌ  ｄｏｍａｉｎ）で周波数選択的（ｓｅｌｅｃｔｉｖｅ）及び周波数非選択的（ｎｏｎ−ｓｅｌｅｃｔｉｖｅ）プリコーディングが考慮されることができる。周波数選択的プリコーディングの支援は、ＮＲ波形（ｗａｖｅｆｏｒｍ）の決定によって決定される。大きなシステム帯域幅の値を後日議論される。
【０３０３】
例えば、補正されたＵＥのみのための相互ベース（ＤＬ  ＲＳベース）転送
【０３０４】
例えば、ＵＥ−補助及びＢＳ−中心のメカニズム：ＵＥはＤＬ  ＲＳ測定に基づいて、候補ＵＬのプリコーダをＢＳに推薦する。そして、ＢＳは最終のプリコーダを決定する。
【０３０５】
例えば、ＵＥ−中心及びＢＳ−補助のメカニズム：ＢＳはＣＳＩ（例えば、チャンネル応答、干渉−関連情報）をＵＥに提供する。そして、ＵＥはＢＳから受信した情報に基づいて、最終のプリコーダを決定する。
【０３０６】
−他の転送技法／方法が制限されない。
【０３０７】
ｉ）周波数選択的／非選択的プリコーディングのためのＵＬのプリコーダシグナリングに関する議論
【０３０８】
−例題１：ＤＬの制御及び／又はデータチャンネルを介した単一又は多重のＰＭＩのシグナリング
【０３０９】
多重のＰＭＩは、単一のＤＣＩ又は多重−レベルのＤＣＩ（第１レベルのＤＣＩは第２レベルのＤＣＩの位置の指示を含む）を介してシグナリングされることができる。
【０３１０】
−例題２：ＴＤＤの場合、ＵＥでＤＬ  ＲＳベースのプリコーダの計算
【０３１１】
周波数選択的プリコーディングの具現は、ＲＡＮ１の決定（例えば、ＮＲフレームの構造、波形）によって決定される。
【０３１２】
異なるシステム設計側面への影響（例えば、ＤＬの制御チャンネルデコーディングの性能／複雑度）が考慮されなければならない。
【０３１３】
ｉｉ）プリコーダの循環（ｃｙｃｌｉｎｇ）を含むプリコーディングされた転送のためにＵＬの周波数選択的プリコーディングの使用に関する議論
【０３１４】
ｉｉｉ）周波数選択的プリコーディングの場合、次のような側面を考慮したＵＬのプリコーディング単位（ｇｒａｎｕｌａｒｉｔｙ）（即ち、ＵＬサブバンドの大きさ）に関する議論
【０３１５】
−暗示的な（ｉｍｐｌｉｃｉｔ）（標準規格による定義）又は明示的な（ｅｘｐｌｉｃｉｔ）（ｅＮＢ／ＵＥによる決定）シグナリングの支援
【０３１６】
−ＤＬと整列（ａｌｉｇｎ）するか否か
【０３１７】
ｉｖ）評価は、ＵＬの波形等によるキュービックメトリック（ＣＭ：Ｃｕｂｉｃ  Ｍｅｔｒｉｃ）分析のようなＵＬ特定（ＵＥ  ｓｐｅｃｉｆｉｃ）の側面を含まなければならない。
【０３１８】
ｖ）周波数非選択的プリコーディングに関する議論は、最優先順位（ｈｉｇｈｅｒ−ｐｒｉｏｒｉｔｙ）である。
【０３１９】
既存のＬＴＥ標準では、ＵＥのＵＬ−ＭＩＭＯ転送のためのアップリンクグラント（ＵＬ  ｇｒａｎｔ）（例えば、ＤＣＩのフォーマット４）を基地局がＵＥに転送する時、プリコーディングの情報を共に伝達（例えば、ＤＣＩのフォーマットに含む）する。これによって、ＵＥは指示された（単一広帯域  （ｓｉｎｇｌｅ  ｗｉｄｅｂａｎｄ））プリコーダ（ｐｒｅｃｏｄｅｒ）をスケジューリングされた物理資源ブロック（ＰＲＢ：Ｐｈｙｓｉｃａｌ  Ｒｅｓｏｕｒｃｅ  Ｂｌｏｃｋ）に適用してＵＬの転送を遂行する。
【０３２０】
前述したように、ＵＬでも周波数選択的プリコーダ（ｆｒｅｑｕｅｎｃｙ  ｓｅｌｅｃｔｉｖｅ  ｐｒｅｃｏｄｅｒ）を指示するための方法が議論されている。これを通じて、サブバンド（ｓｕｂｂａｎｄ）別により最適化されたＵＬプリコーダを適用するようにすることで、転送スループットの性能を改善することができる。
【０３２１】
しかし、ＤＬと異なり、ＵＬは基地局がＵＬグラントの時にこのようなサブバンドのプリコーダを直接指示しなければならず、これはサブバンドの数に比例し、過度な制御チャンネルのオーバーヘッド（ｏｖｅｒｈｅａｄ）を引き起こし得る。
【０３２２】
従って、本発明では、アップリンクと関連した（ＵＬ−ｒｅｌａｔｅｄ）  ＤＣＩのオーバーヘッドを最小化させると共に、前記ＵＬサブバンドのプリコーディングを適用することができるようにする方法を提案する。
【０３２３】
本発明では、基本的に特定のＵＬプリコーダ‘Ｐ’をＰ  ＝  Ｕ１  ＊  Ｕ２の形態等と区分して説明する。ここで、Ｕ１は、相対的に広帯域（ｗｉｄｅｂａｎｄ）（及び／又は長期（ｌｏｎｇ−ｔｅｒｍ））のプリコーダ属性であり、Ｕ２は、相対的にサブバンド（ｓｕｂｂａｎｄ）（及び／又は短期（ｓｈｏｒｔ−ｔｅｒｍ））のプリコーダ属性に分離されるように区分できる。
【０３２４】
但し、本発明がこれに限定されるわけではなく、単一のＰＭＩ（例えば、ＴＰＭＩ）、プリコーダベースでも以下で説明する本発明の動作が遂行されることができる。
【０３２５】
Ｕ１の情報は、サブバンドにかけて共通（ｃｏｍｍｏｎ）するように指示し、Ｕ２の情報のみをサブバンド別に指示する形態でＵＬのスケジューリング時に（又はこれと関連して）ＵＥに指示されることができるようにする方法を提案する。
【０３２６】
例えば、完全なＰが６ビットであり、Ｕ１が４ビット、Ｕ２が２ビットである状況を仮定すると、本発明で提案する階層化された構造を適用しなくては、各サブバンド別に６ビットを割り当てる全てのサブバンドに対するＵＬのプリコーダを指示しなければならない。総サブバンドの数がＮであるとすれば、総６Ｎビットが該当ＵＬのプリコーダの指示に消耗される。反面、本発明の提案方式に従うと、６  ＋  ２Ｎ  ｂｉｔｓが消耗されるので、サブバンドの数Ｎが増加することによって、制御チャンネルのオーバーヘッドの節減に大きく寄与することになる。
【０３２７】
本明細書で説明の便宜上、特定の周波数軸のリソース単位を“サブバンド（ｓｕｂｂａｎｄ）”と称するが、これに本発明が限定されるわけではなく、特定の周波数軸のリソース単位を通称する用語と理解されるべきである。例えば、サブバンドという用語は、ＲＢ、ＰＲＢ、ＰＲＢグループ（例えば、ＰＲＧ（ＰＲＢ  Ｇｒｏｕｐ））等と、本発明の全ての／一部の説明で互いに変更／混用され得る。
【０３２８】
Ｕ１の情報関連
【０３２９】
前記で説明した例示において、Ｕ１が４ビットというのは、総１６個の異なるＵ１の情報が指示され得るということを意味する。各々のＵ１の情報は、前記Ｕ２で選択する対象になる特定のビームベクトル（ｂｅａｍ  ｖｅｃｔｏｒ）を含むことができる。一例として、ＵＥのＵＬの転送アンテナポートの数（例えば、このアンテナポートの数だけに事前にＵＥがＳＲＳの形態等で転送することができる）だけの離散フーリエ変換 （ＤＦＴ：Ｄｉｓｃｒｅｔｅ  Ｆｏｕｒｉｅｒ  Ｔｒａｎｓｆｏｒｍ）ベクトルの集合で、各々のＵ１が構成されることができる。
【０３３０】
このとき、各々のＵ１のインデックスは、密接な間隔のビームグループ（ｃｌｏｓｅｌｙ−ｓｐａｃｅｄ  ｂｅａｍ  ｇｒｏｕｐ）の形態で設計されることができる。結局のところ、基地局が該当ＵＥをＵＬスケジューリングする際に、指示しようとする最終の特定のビーム方向を含んで、周辺の候補ビームベクトルでＵ１を構成して指示することが有用である。即ち、Ｕ１は相対的に広帯域（及び／又は長期）のプリコーダ属性であって、各サブバンド別に最適化された最終のビームを選択／指示するための対象となるビームがＵ１に含まれるほど有利であるので、このような効果が適切に示されることができるように各Ｕ１の情報が設計されることが好ましい。
【０３３１】
万が一、チャンネルの特性上、各サブバンド別に密接な間隔のビーム（ｃｌｏｓｅｌｙ−ｓｐａｃｅｄ  ｂｅａｍ）のうち適切に選択的に特定のビームが指示されることが有利な環境ではなく、各サブバンド別に広い間隔のビーム（ｗｉｄｅｌｙ−ｓｐａｃｅｄ  ｂｅａｍ）のうち選択されるようにすることが有利な環境など（例えば、開ループ（ｏｐｅｎ−ｌｏｏｐ）方式と類似し、端末の速度が大きい場合等）のためには、Ｕ１のコードブックが広い間隔のビームで構成されることもできる。
【０３３２】
本発明では、“密接な間隔のビームグループ（ｃｌｏｓｅｌｙ−ｓｐａｃｅｄ  ｂｅａｍ  ｇｒｏｕｐ）”、“広い間隔のビームグループ（ｗｉｄｅｌｙ−ｓｐａｃｅｄ  ｂｅａｍ  ｇｒｏｕｐ）”及び／又は“特定の形態（例えば、ｅＮＢにより設定される）で構成されたビームグループ”等の異なるコードブックが少なくとも一つ定義／設定されることができる。また、基地局が前記ＵＬのスケジューリング時に（例えば、ＤＣＩにより）、或いはそれに先だって別途のシグナリングでどんなＵ１及び／又はＵ２のコードブックを端末が適用すべきかを設定／指示することができる。結局のところ、このようなＵ１のコードブック自体も一つで固定されることもできるが、本発明のように基地局の設定／指示により変更／活性／再活性することもできるようにする機能を支援することによって、より柔軟なコードブックの運用を可能にするという長所がある。
【０３３３】
Ｕ２の情報関連
【０３３４】
前記で説明した例示において、Ｕ２が２ビットというのは、総４個の異なるＵ２の情報が指示され得るということを意味する。前記先に指示されたＵ１インデックスに該当するビームグループが４個の特定のビームベクトルを含むことができ、各々のＵ２の情報は、このビームのうち最終的に各サブバンド別に適用するビームが何か、前記２ビット選択のインデックス方式で各サブバンド別に指示することができる。
【０３３５】
また、前記で説明した例示において、Ｕ１が４ビットであるとき、Ｕ２が２ビット超であることもある。例えば、Ｕ２が４ビットであれば、全４個の異なるＵ２の情報が指示されることができるように、“ビーム選択（ｂｅａｍ  ｓｅｌｅｃｔｏｒ）”のために２ビットが割り当てられ、該当選択されたビームを位相一致（ｃｏ−ｐｈａｓｉｎｇ）の形態で連結する（一例として、ＱＰＳＫ（Ｑｕａｄｒａｔｕｒｅ  Ｐｈａｓｅ  Ｓｈｉｆｔ  Ｋｅｙｉｎｇ）“ｃｏ−ｐｈａｓｉｎｇ”）２ビットが割り当てられることによって、総Ｕ２が４ビットで設定されることもできる。このような位相一致は、端末の特定の（二つの）転送アンテナポートグループ間に互いに交差−偏波（ｃｒｏｓｓ−ｐｏｌａｒｉｚｅｄ）アンテナの形態等で構成され、同一のビームを前記ポートグループ間にグループ−位相（ｇｒｏｕｐ−ｐｈａｓｅ）を適用することによって、位相一致の形態でプリコーダを構成するようにする方式で適用されることができる。
【０３３６】
また、“位相一致”のために１ビットのみを割り当て、一例として ＢＰＳＫ（Ｂｉｎａｒｙ  Ｐｈａｓｅ  Ｓｈｉｆｔ  Ｋｅｙｉｎｇ）の位相一致が適用されることもでき、“ビーム選択（ｂｅａｍ  ｓｅｌｅｃｔｏｒ）”のビット幅（ｂｉｔ  ｗｉｄｔｈ）も、端末の送信アンテナポートの構成及びＵ１／Ｕ２のコードブックの構造によって、変形／変更され得ることは自明である。
【０３３７】
このような前記Ｕ２の情報は、各サブバンド別にマッピング／指示され、これは該当ＵＥにスケジューリングされるＵＬの資源割当（ＲＡ：Ｒｅｓｏｕｒｃｅ  Ａｌｌｏｃａｔｉｏｎ）フィールドと連動し、共に設定／指示されることができる。
【０３３８】
例えば、該当ＵＬグラントのメッセージのリソース割当の情報が特定のＰＲＢビットマップの形態で構成されれば（例えば、ビットマップの各ビットが‘１’であると、該当ＰＲＢ（即ち、該当ビットの位置に対応するＰＲＢ）がスケジューリングされたＰＲＢに含まれ、‘０’であると含まれない）、これを単純に‘１’又は‘０’のビットマップで構成されず、各ＰＲＢのインデックス別にＫビットの情報を含むことができるように拡張できる。即ち、ビットマップ内のＫビット別に一つのＰＲＢに対応し得る。このように、本発明の一実施例では、各ＰＲＢ別に該当２＾Ｋの状態（ｓｔａｔｅ）を通じて、前記Ｕ２の情報を伝達することができるようにする構造を提案する。
【０３３９】
例えば、Ｋ＝２であれば、各ＰＲＢ別に特定の基本状態（ｄｅｆａｕｌｔ  ｓｔａｔｅ）であって、次のように定義／設定されることができる。
【０３４０】
−‘００’は、“該当ＰＲＢがスケジューリングされたＰＲＢに含まれないこと”を指示する
【０３４１】
−‘０１’は、“該当ＰＲＢがスケジューリングされたＰＲＢに含まれ、Ｕ１内の第１プリコーダを適用すること”を指示する
【０３４２】
−‘１０’は、“該当ＰＲＢがスケジューリングされたＰＲＢに含まれ、Ｕ１内の第２プリコーダを適用すること”を指示する
【０３４３】
−‘１１’は、“該当ＰＲＢがスケジューリングされたＰＲＢに含まれ、Ｕ１内の第３プリコーダを適用すること”を指示する
【０３４４】
前記のようなエンコーディング（ｅｎｃｏｄｉｎｇ）方式は一つの例示に過ぎず、‘０１’、 ‘１０’ ‘１１’等のような状態の説明は、他の形態で定義されることもでき、又はＲＲＣシグナリングのような上位層の信号により基地局が変更／設定することもできる。このように、各状態に関する説明が基地局により設定可能なパラメータ（例えば、ＲＲＣシグナリングにより）の形態として定義／支援されると、基地局の設定の柔軟性（ｆｌｅｘｉｂｉｌｉｔｙ）を向上させることができるという長所がある。
【０３４５】
前記のように、スケジューリングの情報とＵ２の情報が一つのビットマップ内でジョイントエンコーディングされることによって、スケジューリングの情報を伝達するためのビットマップとＵ２の情報を伝達するためのビットマップを各々構成する場合に比べて、シグナリングのオーバーヘッドを減らすことができるという効果がある。
【０３４６】
また、ＲＡフィールドは、１ビット単位のビットマップに維持し、前記サブバンド別（ＰＲＢ／ＰＲＧ別）のＵ２の情報を伝達するＫビット単位のビットマップを別途のフィールドとして共に提供（又は、別途のＤＣＩとして（独立した時点に）別に提供）する形態も適用されることができる。即ち、ＲＡフィールドで指示しているスケジューリングされたＰＲＢ領域に特定のＰＲＢ単位で対応する各サブバンド別にＫビット（Ｕ２）のプリコーダ情報を指示する別途のフィールドが定義／設定されることができる。
【０３４７】
（リンク適応（ＬＡ：Ｌｉｎｋ  Ａｄａｐｔａｔｉｏｎ）用）特定のアップリンク参照信号（ＵＬ  ＲＳ）（例えば、ＳＲＳ等）との連係動作関連
【０３４８】
−本発明で提案された動作と（一部）連係し、前記ＵＬのプリコーダを基地局で決定するために、端末によって特定のアップリンクＲＳ（例えば、ＳＲＳ等）転送が設定／実施されることができる。
【０３４９】
以下、説明の便宜上、アップリンクＲＳをＳＲＳと称して説明するが、本発明がこれに限定されるわけではない。
【０３５０】
１）タイプ１のＵＬ−ＬＡ  ＵＥ（プリコーディングされた（Ｐｒｅｃｏｄｅｄ）ＳＲＳ転送を開始としてＵＬ−ＬＡのプロセス動作）：
【０３５１】
このようなＳＲＳに関して、ＵＥは特定のプリコーディングされたＳＲＳ（又はビームフォーミングされたＳＲＳ）を転送するように定義／設定されることができる。この場合、該当特定のポートのプリコーディングされたＳＲＳを基地局が測定し、前記提案されたＵ１及び／又はＵ２の情報を基地局が決定することができる。その後、基地局はこれを伴ったＵＬスケジューリンググラント（例えば、Ｕ１の場合、別途に分離されたＤＣＩ（フィールド）あるいは別途の特定の制御情報伝達用メッセージコンテナーを介して（層１（Ｌ１：Ｌａｙｅｒ  １）及び／又は層２（Ｌ２：Ｌａｙｅｒ  ２）のシグナリングにより）端末に別途に伝達されることもできる）端末に別途に伝達されることもできる）を端末に転送することができる。これによって、本発明で考慮する周波数選択的なＵＬ−ＭＩＭＯのスケジューリングが開始されることができる。
【０３５２】
このように、特定のプリコーディングされない（Ｎｏｎ−ｐｒｅｃｏｄｅｄ）ＳＲＳの転送手続なく（即ち、省略し）、プリコーディングされたＳＲＳの転送を開始としてＵＬリンク適応（ＵＬ−ＬＡ）のプロセスが開始される形態をタイプ１のＵＬ−ＬＡ動作（又はＵＥ）と称することができる。
【０３５３】
言い換えると、該当特定のプリコーディングされたＳＲＳを介して、ＵＥが既に特定の方向に、例えばアナログビームフォーミングを適用したプリコーディングされた／ビームフォーミングされた（ｂｅａｍｆｏｒｍｅｄ）ＳＲＳポートを転送することができる。また、このような（アナログ）ビームフォーミングされたＳＲＳポートを基地局が測定し、これについて適切なＵ１及び／又はＵ２を導出した後、これを前記のような方法でＵＥに知らせることによって、ＵＥがＵＬ転送に適用させることができる。
【０３５４】
より特徴的に、ＵＥがこのようにプリコーディングされた／ビームフォーミングされたＳＲＳに適用すべき該当ビームフォーミングベクトル（ｂｅａｍｆｏｒｍｉｎｇ  ｖｅｃｔｏｒ）／係数（ｃｏｅｆｆｉｃｉｅｎｔ）は次のように決定されることができる。まず、基地局が転送するＤＬの特定ＲＳ（例えば、ＲＲＭ−ＲＳ（Ｒａｄｉｏ  Ｒｅｓｏｕｒｃｅ  Ｍａｎａｇｅｍｅｎｔ−ＲＳ）、ＢＲＳ、ＢＲＲＳ等）をＵＥが測定することができる。また、ＵＥが最適の（ｂｅｓｔ）“サービング−ビーム（ｓｅｒｖｉｎｇ−ｂｅａｍ）”を見付け（これを報告することもできる）、これに対するＵＥが自身の（ペアされた（ｐａｉｒｅｄ））最適の“Ｒｘ−受信−ビーム（Ｒｘ−ｒｅｃｅｉｖｉｎｇ−ｂｅａｍ）”を決定することができる。また、ＵＥはＤＬ／ＵＬチャンネルの相互的（ｒｅｃｉｐｒｏｃｉｔｙ）特性（又はビームペアリンク（ｂｅａｍ  ｐａｉｒ  ｌｉｎｋ））を用いて、このような最適の“Ｒｘ−受信−ビーム（Ｒｘ−ｒｅｃｅｉｖｉｎｇ−ｂｅａｍ）”を逆に（例えば、エルミート（Ｈｅｒｍｉｔｉａｎ）取って）自身のプリコーディングされた／ビームフォーミングされたＳＲＳを転送する際に、該当ビームフォーミングベクトル／係数を適用してＳＲＳを転送することができる。即ち、ＳＲＳ転送は、特定のＤＬ  ＲＳ（例えば、最適の“サービング−ビーム（ｓｅｒｖｉｎｇ−ｂｅａｍ）”）の受信のために用いられた空間的フィルタリング（ｓｐａｔｉａｌ  ｆｉｌｔｅｒｉｎｇ）と同一の空間的フィルタリングで遂行されることができる。このようなＵＥの動作が予め定義されるか、ＵＥに設定されることができる。
【０３５５】
または、必ず前記最適の“サービング−ビーム（ｓｅｒｖｉｎｇ−ｂｅａｍ）”に対応する“Ｒｘ−受信−ビーム（Ｒｘ−ｒｅｃｅｉｖｉｎｇ−ｂｅａｍ）”のみを適用するように限定されないことがある。例えば、ＵＥが二番目に最適な（ｓｅｃｏｎｄ−ｂｅｓｔ）“サービング−ビーム（ｓｅｒｖｉｎｇ−ｂｅａｍ）”に対応する“Ｒｘ−受信−ビーム（Ｒｘ−ｒｅｃｅｉｖｉｎｇ−ｂｅａｍ）”を適用したプリコーディングされた／ビームフォーミングされたＳＲＳを転送するように、基地局が指示／トリガすることができるように動作が支援されることもある。
【０３５６】
前記のような方式が一般化され、三番目に最適な（ｔｈｉｒｄ−ｂｅｓｔ）  “サービング−ビーム（ｓｅｒｖｉｎｇ−ｂｅａｍ）”に対応する、又は四番目に最適な（ｆｏｕｒｔｈ−ｂｅｓｔ）“サービング−ビーム（ｓｅｒｖｉｎｇ−ｂｅａｍ）”に対応する、．．．のような方式で、ＵＥが該当の何番目の“サービング−ビーム（ｓｅｒｖｉｎｇ−ｂｅａｍ）”であることを認知することができるようにする特定の識別子（例えば、ビーム状態情報（ＢＳＩ：Ｂｅａｍ  Ｓｔａｔｅ  Ｉｎｆｏｒｍａｔｉｏｎ）等）が基地局からＵＥに指示されることができる。このような形態で前記プリコーディングされた／ビームフォーミングされたＳＲＳを転送する際に、ＵＥが適用すべきビームフォーミングベクトル／係数が設定／指示されることができる。
【０３５７】
言い換えると、ＵＥはＳＲＳを転送する際に、特定のＤＬ  ＲＳの受信のために用いられた空間的フィルタリング（ｓｐａｔｉａｌ  ｆｉｌｔｅｒｉｎｇ）と同一の空間的フィルタリングを用いて転送することができる。即ち、各々のＤＬ  ＲＳ別に、端末はＤＬ  ＲＳの受信のために最適な空間的フィルタリングを具現することができ、基地局は端末が特定のＤＬ  ＲＳの受信のために用いられた空間的フィルタリングと同一の空間的フィルタリングで特定のＳＲＳリソースの転送を遂行するように指示することができる。
【０３５８】
または、前記プリコーディングされたＳＲＳを転送する際に、ＵＥが適用すべきビームフォーミングベクトル／係数を基地局が直接ＵＥに設定／指示する方法も適用可能である（例えば、基地局の具現によって、例えば、他の特定の方法を通じたチャンネル相互性（ｃｈａｎｎｅｌ  ｒｅｃｉｐｒｏｃｉｔｙ）に基づいて、このような情報を基地局が獲得することができる場合等）。このようなビームフォーミングベクトル／係数は、該当プリコーディングされたＳＲＳの転送をトリガする特定のＤＣＩ等の制御チャンネルを介して基地局がＵＥに直接知らせることができ、或いは別途に分離された特定の層１（Ｌ１：Ｌａｙｅｒ  １）、層２（Ｌ２：Ｌａｙｅｒ  ２）及び／又は層３（Ｌ３：Ｌａｙｅｒ  ３）（例えば、ＲＲＣによる半静的）シグナリングを介して基地局がＵＥに知らせることができる。
【０３５９】
結局のところ、このような動作が可能な前記タイプ１のＵＬ−ＬＡ  ＵＥは、ｉ）“チャンネル相互補正された（ｃｈａｎｎｅｌ−ｒｅｃｉｐｒｏｃｉｔｙ  ｃａｌｉｂｒａｔｅｄ）ＵＥ”（例えば、ＮＲ（又は５Ｇ）ＵＥ、３ＧＰＰリリース（ｒｅｌｅａｓｅ）−１５を含むその後のＵＥ等）、ｉｉ）“ＵＥの  ＴＸ（Ｔｒａｎｓｍｉｔｔｅｒ）（及び／又はＴＲＸ（Ｔｒａｎｓｍｉｔｔｅｒ  ａｎｄ  Ｒｅｃｅｉｖｅｒ））アンテナポートに全体的にデジタルビームフォーミングが可能ではないＵＥ”、ｉｉｉ）“アナログビームフォーミングをＵＬ  ＴＸポートに適用するＵＥ”、及び／又はｉｖ）及び／又は“ＴＤＤで動作するＵＥ”に限定されることができる。
【０３６０】
及び／又は、ＵＥがこれに関する自身の特定の能力（ｃａｐａｂｉｌｉｔｙ）と関連した情報（例えば、前記タイプ１関連の支援可能可否等）を事前に基地局に提供することによって、前記動作／プロセスが設定／開始されることもできる。
【０３６１】
２）タイプ２のＵＬ−ＬＡ  ＵＥ（Ｎｏｎ−ｐｒｅｃｏｄｅｄ  ＳＲＳ転送を開始としてＵＬ−ＬＡのプロセス動作）：
【０３６２】
又は、このようなＳＲＳに関して、ＵＥはプリコーディングされないＳＲＳ（Ｎｏｎ−ｐｒｅｃｏｄｅｄ  ＳＲＳ）（又はビームフォーミングされないＳＲＳ）を転送するように定義／設定されることができる。この場合、該当特定のポートのプリコーディングされないＳＲＳを基地局が測定し、前記提案されたＵ１及び／又はＵ２の情報を基地局が決定することができる。その後、基地局はこれを伴ったＵＬのスケジューリンググラント（例えば、Ｕ１の場合、別途に分離されたＤＣＩ（フィールド）あるいは別途の特定の制御情報伝達用メッセージコンテナーを介して（Ｌ１及び／又はＬ２のシグナリングにより）ＵＥに別途に伝達されることもできる）をＵＥに転送することができる。これによって、本発明で考慮する周波数選択的なＵＬ−ＭＩＭＯのスケジューリングが開始されることができる。
【０３６３】
このように、特定のプリコーディングされないＳＲＳの転送だけでＵＬ−ＬＡプロセスが開始され、このような特定のポートのプリコーディングされないＳＲＳを基地局が測定して決定したＵ１及び／又はＵ２等の最終のＵＬのプリコーダを基地局がＵＬのスケジューリングの際にＵＥに知らせる形態をタイプ２のＵＬ−ＬＡ動作（又はＵＥ）と称することができる。
【０３６４】
より特徴的に、このようなタイプ２のＵＥは、ＵＥのＴＸ（及び／又はＴＲＸ）アンテナポートが全体的なデジタルビームフォーミング（ｆｕｌｌｙ−ｄｉｇｉｔａｌ−ｂｅａｍｆｏｒｍｉｎｇ）が可能なＵＥという意味を有することができる。
【０３６５】
結局のところ、このような動作が可能な前記タイプ2のＵＬ−ＬＡ  ＵＥは、ｉ）“チャンネル相互補正されない（ｃｈａｎｎｅｌ−ｒｅｃｉｐｒｏｃｉｔｙ  ｎｏｎ−ｃａｌｉｂｒａｔｅｄ）ＵＥ”（例えば、ＬＴＥ／ＬＴＥ−Ａ  ＵＥ、３ＧＰＰリリース（ｒｅｌｅａｓｅ）−１４までのＵＥ）、ｉｉ）“全体的にデジタルビームフォーミング（ｆｕｌｌｙ−ｄｉｇｉｔａｌ−ｂｅａｍｆｏｒｍｉｎｇ）が可能なＵＥ”、及び／又はｉｉｉ）及び／又は“ＦＤＤ（及び／又はＴＤＤ）で動作するＵＥ”等に限定されることもできる。
【０３６６】
及び／又は、ＵＥがこれに関する自身の特定の能力（ｃａｐａｂｉｌｉｔｙ）と関連した情報（例えば、前記タイプ２関連の支援可能可否等）を事前に基地局に提供することによって、前記動作／プロセスが設定／開始されることもできる。
【０３６７】
３）タイプ３のＵＬ−ＬＡ  ＵＥ（（Ｓ１ポート）プリコーディングされないＳＲＳ転送を開始として基地局からの特定のビームフォーミング情報の受信を受けて、これを適用した（Ｓ２（＜＝Ｓ１）ポートのプリコーディングされたＳＲＳ転送を開始し、ＵＬ−ＬＡのプロセス動作）：
【０３６８】
またはこのようなＳＲＳに関して、ＵＥが特定の（Ｓ１ポート）プリコーディングされないＳＲＳを一次的に（長い（ｌｏｎｇ−ｔｅｒｍ）周期を有し）  転送するように設定／指示することによって、基地局が一次的なビームフォーミングベクトル／係数を導出することができる。また、基地局はこれをＵＥに指示することによって、ＵＥが二次的な特定の（Ｓ２（＜＝Ｓ１）ポート）プリコーディングされたＳＲＳを転送するように定義／設定されることができる。この場合も、前記１）の方法と比較し、前記一次的なプリコーディングされないＳＲＳによる粗いビーム（ｃｏａｒｓｅ  ｂｅａｍ）推定の動作が追加されるという差異のみ有することができる。言い換えると、該当（Ｓ２（＜＝Ｓ１）ポート）のプリコーディングされたＳＲＳを基地局が測定し、前記提案されたＵ１及び／又はＵ２の情報を基地局が決定することができる。その後、基地局はこれを伴ったＵＬスケジューリンググラント（例えば、Ｕ１の場合、別途に分離されたＤＣＩ（フィールド）あるいは別途の特定の制御情報伝達用メッセージコンテナーを介して（Ｌ１及び／又はＬ２のシグナリングにより）ＵＥに別途に転送されることもできる）を転送することができる。これによって、本発明で考慮する周波数選択的なＵＬ−ＭＩＭＯのスケジューリングが開始されることができる。
【０３６９】
この時、前記“プリコーディングされないＳＲＳを基地局が受信して）導出されたビームフォーミングベクトル／係数を該当プリコーディングされたＳＲＳに適用するようにＵＥに設定／指示”する方法であって、基地局は該当プリコーディングされたＳＲＳの転送をトリガする特定のＤＣＩ等の制御チャンネルを介してＵＥに直接知らせることができ、或いは基地局は別途に分離された特定のＬ１、Ｌ２、及び／又はＬ３（例えば、ＲＲＣによる半静的）シグナリングを介してＵＥに知らせることができる。
【０３７０】
このようにＵＥの特定のプリコーディングされないＳＲＳの転送を伴い、これに対してＵＥが基地局からのビームフォーミング適用に関する情報を受信し、これを適用した特定のプリコーディングされたＳＲＳの転送が開始され、該当プリコーディングされたＳＲＳを基地局が測定して決定したＵ１及び／又はＵ２等の最終のＵＬのプリコーダを基地局がＵＬスケジューリングの際にＵＥに知らせる形態をタイプ３のＵＬ−ＬＡ動作（又はＵＥ）と称することができる。
【０３７１】
より特徴的に、このようなタイプ３のＵＥは、ＵＥのＴＸ（及び／又はＴＲＸ）アンテナポートが全体的に全体的にデジタルビームフォーミングが可能なＵＥという意味を有することができる。
【０３７２】
結局のところ、このような動作が可能な前記タイプ３のＵＬ−ＬＡ  ＵＥは、ｉ）“チャンネル相互補正されない（ｃｈａｎｎｅｌ−ｒｅｃｉｐｒｏｃｉｔｙ  ｎｏｎ−ｃａｌｉｂｒａｔｅｄ）ＵＥ”、ｉｉ）“ＵＥのＴＸ（及び／又はＴＲＸ）アンテナポートに全体的にデジタルビームフォーミングが可能ではないＵＥ”、ｉｉｉ）“アナログビームフォーミング”をＵＬ  ＴＸポートに適用するＵＥ”、及び／又はｉｖ）“ＦＤＤ（及び／又はＴＤＤ）で動作するＵＥ”等に限定されることもできる。
【０３７３】
及び／又は、ＵＥがこれに関する自身の特定の能力（ｃａｐａｂｉｌｉｔｙ）と関連した情報（例えば、前記タイプ３関連の支援可能可否等）を事前に基地局に提供することによって、前記動作／プロセスが設定／開始されることもできる。
【０３７４】
−及び／又は、事前に特定のＳＲＳリソースがＵＥに設定され、ＵＥは各ＳＲＳリソース（ｒｅｓｏｕｒｃｅ）別の設定に基づいて、別途のプリコーディングされたＳＲＳを転送するように設定されることができる。このとき、各ＳＲＳリソース当たりのＳＲＳポートの数は、１であってもよく、それ以上であってもよい。
【０３７５】
即ち、ＵＥは各ＳＲＳリソースに該当するＳＲＳポートの数及び該当設定に基づいてＳＲＳ転送を遂行することができる。
【０３７６】
このとき、ＳＲＳポートに適用するビームフォーミングベクトル／係数は、基地局の指示に従うか、或いはＵＥが任意に（基地局−トランスペアレント（ｅＮＢ−ｔｒａｎｓｐａｒｅｎｔ）するように、又は任意に（ｒａｎｄｏｍ））選択し、各ＳＲＳリソース別にプリコーディングされたＳＲＳを転送することができる。この場合、基地局はこのような各ＳＲＳリソースに対するＳＲＳ測定を通じて、最も受信の品質がよいＳＲＳリソースを優先選別し、このようなＳＲＳリソース内のＳＲＳポートに対して、前記Ｕ１及び／又はＵ２を導出してＵＥに指示することができる。即ち、基地局は該当ＳＲＳリソース内のＳＲＳポートに適用するＵ１及び／又はＵ２を導出してＵＥに指示することができる。
【０３７７】
この場合、前記提案されたＵ１及び／又はＵ２の情報だけでなく、前記最適のＳＲＳリソース指示子（ＳＲＩ：ＳＲＳ  ｒｅｓｏｕｒｃｅ  ｉｎｄｉｃａｔｏｒ）を伴ったＵＬスケジューリンググラント（ｓｃｈｅｄｕｌｉｎｇ  ｇｒａｎｔ）（例えば、Ｕ１及び／又はＳＲＩの場合、別途に分離されたＤＣＩ（フィールド）あるいは別途の特定の制御情報伝達用メッセージコンテナーを介して（例えば、Ｌ１、Ｌ２、及び／又はＬ３（例えば、ＲＲＣによる半静的）シグナリング）によりＵＥに別途に転送されることもできる）がＵＥに転送されることによって、本発明で考慮する周波数選択的なＵＬ−ＭＩＭＯのスケジューリングが開始されることができる。
【０３７８】
言い換えると、基地局がＵＥに多重のＳＲＳリソースを設定し、ＵＥは各ＳＲＳリソース別に互いに異なるビーム方向性を有するプリコーディングされたＳＲＳを基地局に転送することができる。また、基地局はＵＥにアップリンクスケジューリンググラント（ＤＣＩ）内の以前の時間インスタンス（ｉｎｓｔａｎｃｅ）でＵＥによって転送されたＳＲＩとプリコーディングの指示（例えば、Ｕ１及び／又はＵ２、又はＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）を含んで転送することができる。この時、プリコーディングの指示は、ＳＲＩによって選択されたＳＲＳリソース内のＳＲＳポートにかけて（又はＳＲＳポート上に）適用される好みのプリコーダを指示するために用いられることができる（Ｔｈｅ  Ｐｒｅｃｏｄｉｎｇ  ｉｎｄｉｃａｔｉｏｎ  ｍａｙ  ｂｅ  ｕｓｅｄ  ｔｏ  ｉｎｄｉｃａｔｅ  ｐｒｅｆｅｒｒｅｄ  ｐｒｅｃｏｄｅｒ  ｏｖｅｒ  ｔｈｅ  ＳＲＳ  ｐｏｒｔｓ  ｉｎ  ｔｈｅ  ｓｅｌｅｃｔｅｄ  ＳＲＳ  ｒｅｓｏｕｒｃｅ  ｂｙ  ｔｈｅ  ＳＲＩ）。
【０３７９】
例えば、特定のＳＲＳリソースが１−ポートのＳＲＳを転送するように設定されたのであれば、万が一ＵＥがＸ個の送信アンテナ／ポートを具現している場合、ＵＥは特定のＸ  ｘ  １（即ち、Ｘ−ｂｙ−１）のビームフォーミングベクトル／係数を適用し、一種の“ランク１  ｐｒｅｃｏｄｅｄ  ＳＲＳ”を転送するように定義／設定されたものであり得る。
【０３８０】
同様に、特定のＳＲＳリソースがｖ（＞１）−ポートのＳＲＳを転送するように設定されたのであれば、万が一ＵＥがＸ（＞＝ｖ）個の送信アンテナ／ポートを具現している場合、ＵＥは特定のＸ  ｘ  ｖ（即ち、Ｘ−ｂｙ−ｖ）のビームフォーミングベクトル／係数を適用し、一種の“ランクｖ  ｐｒｅｃｏｄｅｄ  ＳＲＳ”を転送するように定義／設定されたものであり得る。
【０３８１】
即ち、前記ＳＲＳリソース別に設定された該当“ＳＲＳポートの数＝（ターゲット）ランクの数”の特徴があり得る。
【０３８２】
従って、基地局が前記のようなＳＲＩをＵＥに設定／指示するようになる場合、このようなＳＲＩが一種のランク指示子（ｒａｎｋ  ｉｎｄｉｃａｔｉｏｎ）の意味も含むものと認識されることができる。また、このような指示されたランクに基づいて、該当ＵＬグラント内の他のフィールドを解釈する際に適用するように定義／設定されることができる。
【０３８３】
言い換えると、各ＳＲＳリソース別にＳＲＳのアンテナポートの数が予め定義されるか設定されることができ（例えば、ＲＲＣ等上位層のシグナリングにより）、基地局がＳＲＩを含むＵＬグラントをＵＥに転送するとき、ＵＥのアップリンクデータ（例えば、ＰＵＳＣＨ）の転送のためのランクの数はＳＲＩによって指示されたＳＲＳリソースに対応するアンテナポートの数で決定されることができる。
【０３８４】
また別の一例として、前記ＳＲＩの情報指示を省略し、ＵＬグラント等で指示されるランク指示（フィールド）を通じて、前記どんなＳＲＳリソースインデックスが指示されているかが自動で連動されることができ、該当暗示的に（ｉｍｐｌｉｃｉｔｌｙ）−指示されるＳＲＳリソースインデックスが適用されたプリコーダをＵＥがＵＬを転送する際に適用するように動作が定義されるか、又は設定／指示されることができる（但し、このときは、特定のランク当たりこれに連動されるＳＲＳリソースがただ１個ずつのみ１対１連結（ｌｉｎｋａｇｅ）されているように限定されることが好ましい）。
【０３８５】
または、より柔軟なＵＬのスケジューリング関連のシグナリングのために、基地局がＵＥにランク指示（例えば、ＴＲＩ（Ｔｒａｎｓｍｉｔｔｅｄ  Ｒａｎｋ  Ｉｎｄｉｃａｔｉｏｎ））だけでなく、ＳＲＩも共に独立して知らせるように定義されるか、ＵＥに設定されることもできる。これは、代表的に特定のターゲットランクごとに１個またはそれ以上のＳＲＳリソースが設定されることができる場合に該当し得る。このように基地局が特定のランクに複数個のＳＲＳリソースを設定する理由としては、同一のランクに対する異なるビームフォーミングベクトル／係数をＵＥが適用し、ＳＲＳを数回転送してみるようにするためであり得る。即ち、同一のランクに対して異なるビーム係数が適用されたプリコーディングされたＳＲＳを基地局が全て測定することによって、該当ランクを最終選択する場合も、どんなＵＬのプリコーダがさらに（性能の側面で）有利であるかを判断し、これを指示することができるという柔軟性（ｆｌｅｘｉｂｉｌｉｔｙ）を提供することができるという長所がある。
【０３８６】
及び／又は、前記ＵＥが特定の“ビームフォーミングベクトル／係数を該当プリコーディングされたＳＲＳに適用する時”、このような“ビームフォーミングベクトル／係数”を広帯域（ｗｉｄｅｂａｎｄ）属性で転送帯域にかけて共通的なビームフォーミングベクトル／係数に適用するように定義されるか、ＵＥに設定されることができる。
【０３８７】
または、転送帯域にかけて周波数選択的に特定のサブバンド（又はＰＲＢ（グループ））の単位で異なる／独立したビームフォーミングベクトル／係数を適用する形態で該当ＳＲＳリソースに対するサブバンドのプリコーディングされたＳＲＳを転送する動作が定義されるか、又はＵＥに設定されることもできる。
【０３８８】
また、該当プリコーディングされたＳＲＳを広帯域のプリコーディングを適用するようにするか、サブバンドプリコーディングを適用するようにするかの可否も、基地局がＵＥにＬ１（ＤＣＩにより）、Ｌ２（ＭＡＣ制御要素（ＣＥ：  Ｃｏｎｔｒｏｌ  Ｅｌｅｍｅｎｔ）により）、及び／又はＬ３（ＲＲＣにより）シグナリングで指定することができる。
【０３８９】
このとき、特定の“周波数選択的な（サブバンド）ビームフォーミングベクトル／係数”を特定のプリコーディングされたＳＲＳを転送する際に適用するようにすることにおいても、次のような動作が定義されるか、又はＵＥに設定されることができる。
【０３９０】
ｉ）該当“周波数選択的な（サブバンド）ビームフォーミングベクトル／係数”を基地局が（別途に或いは該当ＳＲＳ転送の指示／トリガリング時に）知らせ、これをＵＥが従うようにすることができる。
【０３９１】
ｉｉ）或いは、ＵＥが任意に（基地局−トランスペアレント（ｅＮＢ−ｔｒａｎｓｐａｒｅｎｔ）するように、任意に（ｒａｎｄｏｍ））選択し、各ＳＲＳリソース別に（周波数選択的な）プリコーディングされたＳＲＳを転送することができる。
【０３９２】
ｉｉｉ）或いは、基地局が転送するＤＬ特定のＲＳ（例えば、ＲＲＭ−ＲＳ、  ＢＲＳ、ＢＲＲＳ等）のポートＹ（例えば、Ｙ＝１）個を測定することによって、ＵＥが最適の“サービング−ビーム”を見付けることができる（または見つけてこれを報告することができる）。これと共に（或いは該当ビーム管理（ｂｅａｍ  ｍａｎａｇｅｍｅｎｔ）過程以降に）、これに対するＵＥが自身の（ペアされた（ｐａｉｒｅｄ））最適の“ＲＸ−受信−ビーム（Ｒｘ−ｒｅｃｅｉｖｉｎｇ−ｂｅａｍ）”を決定するとき、前記各サブバンド別に周波数選択的に（ＵＥのＴＲＸアンテナ／ポート個数のＸ個だけの次元（ｄｉｍｅｎｓｉｏｎ）に）Ｘ  ｘ  Ｙ（即ち、Ｘ−ｂｙ−Ｙ）のプリコーダ／ビームフォーマ （ｂｅａｍｆｏｒｍｅｒ）ベクトル／係数を決定し、これを逆に（例えば、エルミート取って）該当プリコーディングされたＳＲＳを転送する際に適用することができる。
【０３９３】
このようなＲＲＭ−ＲＳの形態（例えば、ＢＲＳ、ＢＲＲＳ等）が用いられるときは、Ｙ＝１に限定され、ＵＥの転送ＳＲＳがランク１のプリコーディングされたＳＲＳのみに限定されることができる。
【０３９４】
また、ある特定のＲＲＭ−ＲＳ（例えば、ＢＲＳ、ＢＲＲＳ等）に対して、前記Ｘ−ｂｙ−Ｙのプリコーダを計算するかＵＥに明示的に指示されることができる。また、該当特定のＲＲＭ−ＲＳ（例えば、ＢＲＳ、ＢＲＲＳ等）（ポート）がＱＣＬ（Ｑｕａｓｉ  Ｃｏ−ｌｏｃａｔｅｄ）シグナリングの形態として指示されることもできる。
【０３９５】
ｉｖ）或いは基地局が転送するＤＬ特定の（ＣＳＩ測定用）ＲＳ（例えば、ＣＳＩ−ＲＳ）ポート（又は資源、例えば、ＣＳＩ−ＲＳリソース別にＣＳＩ−ＲＳポートが定められ得る）Ｚ（＞＝１）個を測定することによって、ＵＥが自身のペアされた最適の“Ｒｘ−受信−ビーム”を決定することができる。このとき、ＵＥは前記各サブバンド別に周波数選択的に（ＵＥのＴＲＸアンテナ／ポートの個数Ｘ個だけの次元に）Ｘ−ｂｙ−Ｚのプリコーダ／ビームフォーマベクトル／係数を決定し、これを逆に（例えば、エルミート取って）該当プリコーディングされたＳＲＳを転送する際に適用することができる。このような動作が定義されるかＵＥに設定されることができる。
【０３９６】
言い換えると、ＵＥは特定のサブバンドでＳＲＳの転送時に特定のＤＬ  ＲＳの受信のために用いられた空間的フィルタリング（ｓｐａｔｉａｌ  ｆｉｌｔｅｒｉｎｇ）と同一の空間的フィルタリングを用いて転送することができる。即ち、各々のＤＬ  ＲＳ別に端末はＤＬ  ＲＳの受信のために最適な空間的フィルタリングを具現することができ、基地局は、端末が特定のＤＬ  ＲＳの受信のために用いていた空間的フィルタリングと同一の空間的フィルタリングで特定のサブバンドでＳＲＳリソースの転送を遂行するように指示することができる。
【０３９７】
このようにＣＳＩ−ＲＳが用いられるときは、Ｚ＞１と限定されるか、柔軟するようにＺ＞＝１と定義されるか、ＵＥに設定されることができる。前記ＲＲＭ−ＲＳ（例えば、ＢＲＳ、ＢＲＲＳ）を用いない理由が、これが単一ポートに限定され得るため、ランク１のみに制限され得るので、ランク ＞１を支援するためにＣＳＩ−ＲＳが用いられることが効果的であり得る。
【０３９８】
また、ある特定のＣＳＩ−ＲＳ（ポート）に対して、前記Ｘ−ｂｙ−Ｚのプリコーダを計算するかＵＥに明示的に指示されることができる。また、該当特定のＣＳＩ−ＲＳ（ポート）がＱＣＬシグナリングの形態で指示されることもできる。及び／又は該当ＣＳＩ−ＲＳ（ポート）がどんなＲＲＭ−ＲＳ（例えば、ＢＲＳ、ＢＲＲＳ）とのＱＣＬ連結（ｌｉｎｋａｇｅ）があるかが、共に又は別途に事前に定義されるか、又はＵＥに設定されることもできる。
【０３９９】
−前記ＳＲＳと関連した提案の動作はいずれも（或いは一部）、前記Ｕ１及び／又はＵ２の構造に従わない（例えば、単一のＰＭＩ（例えば、ＴＰＭＩ）、プリコーダベース方式）にも適用できることは自明である。例えば、特定の単一ＵＬのプリコーダＵを決定するためにも、前記（ＳＲＳリソースに基づいた設定による）プリコーディングされない／プリコーディングされたＳＲＳ転送に対して、特定のＵＬのプリコーダの指示が与えられる等の動作に変形／適用されることができる。
【０４００】
−前記使用した“ＳＲＳリソース”という表現は、便宜上付与した名称であり、このように実際のＳＲＳリソース単位当たり特定のインデクスが付与される形態でＵＥにシグナリング／指示されることもできる。または、ＵＥが転送可能な（全体）ＳＲＳポートに対して特定のグルーピングによりグループ化された特定／一部／仮想化されたポートを束ねて、前記“ＳＲＳリソース”という概念を代替したまた別の名称／パラメータにより本発明の動作が適用されることができる。
【０４０１】
追加提案事項
【０４０２】
前記動作で、サブベンド別Ｕ２の情報は全て削除する形態で（半（ｓｅｍｉ）−）開ループ（ＯＬ：Ｏｐｅｎ  Ｌｏｏｐ）ＵＬの転送がＵＥに設定／指示されることができる。
【０４０３】
例えば、基地局は特定の（別途の）シグナリングで（又は前記Ｕ１インデックスのうち何れかを用いて）、このようにＵ２の情報がない形態のＵＬグラントをＵＥに転送することができ、これがＵＥに特定の（Ｓｅｍｉ−）ＯＬ  ＵＬの転送を指示するように動作されることができる。
【０４０４】
このようにＵＥに設定／指示されると、ＵＥはＵＬグラント内Ｕ２の情報が存在しても、該当情報は無視することができる。、
【０４０５】
または、このように設定／指示されると、該当（ＵＬ−関連）ＤＣＩは、Ｕ２の情報が存在できたペイロード（ｐａｙｌｏａｄ）が削除されることができる。この場合、ＵＥがＵ２の情報が存在する場合に備えて、該当ＤＣＩの全体ペイロードのサイズが減った形態で異なるペイロードの大きさに対するブラインド検出（ＢＤ：ｂｌｉｎｄ  ｄｅｔｅｃｔｉｏｎ）を遂行するように定義されるか設定されることができる。
【０４０６】
また、Ｕ１及び／又はＵ２のうち特定（空間（ｓｐａｔｉａｌ））次元の方向のプリコーダの情報のみを削除する形態で（半−）ＯＬ  ＵＬの転送が指示されることもできる。
【０４０７】
例えば、ＵＥが垂直（ｖｅｒｔｉｃａｌ）方向にはチャンネルの変化が微々たるものと判断され、水平（ｈｏｒｉｚｏｎｔａｌ）方向には相対的にチャンネルの変化が激しければ、水平方向成分の特定のプリコーダの情報が削除される形態（又は無視したり他の情報に代替し得る）で前記Ｕ１及び／又はＵ２の情報がＵＬスケジューリングと連係して指示されることができる。この場合、ＵＥは、該当部分は特定の予め定義された／指示されたＯＬ−プリコーディング方式によって、プリコーダサイクリング（ｐｒｅｃｏｄｅｒ  ｃｙｃｌｉｎｇ）等のＯＬ技法を適用してＵＬ転送することができる。また、ＵＥはＵ１及び／又はＵ２の情報が提供された特定の（ｓｐａｔｉａｌ）次元に対しては、指示を受けた通りプリコーダ部分を適用してＵＬ転送することができる。
【０４０８】
前記のように、特定（ｓｐａｔｉａｌ）次元のプリコーダの情報が削除されて指示されると、該当ペイロード部分が削除されることができる。この場合、ＵＥが既存に対して該当ＤＣＩの全体ペイロードが減った形態で異なるペイロードの大きさに対するＢＤを遂行するように定義されるか設定されることができる。
【０４０９】
以上で、Ｕ１、Ｕ２等のペイロードの大きさ及び該当情報のマッピングは（これに連動し）事前に転送した該当ＵＥのＵＬ（リンク適応（ｌｉｎｋ  ａｄａｐｔａｔｉｏｎ）用）特定のＲＳ（例えば、ＳＲＳ）ポートの数に対応して定義されるか、ＵＥに設定／指示されることができる。
【０４１０】
ＵＬ  ＭＩＭＯの設計フレームワーク（ｆｒａｍｅｗｏｒｋ）
【０４１１】
ＬＴＥ  ＵＬ  ＭＩＭＯで、ネットワークはＵＥにプリコーダを指示し、ＵＥは指示されたプリコーダを適用し、ＤＭＲＳ及びデータを転送する。ＮＲ  ＵＬ  ＭＩＭＯで、ＤＭＲＳ及び物理データチャンネルに全て同一のプリコーダが適用されるプリコーディングされた（ｐｒｅｃｏｄｅｄ）ＲＳベースの転送がＤＭＲＳのオーバーヘッドの側面で依然として好ましい。これは、殆どの場合、転送子（ｓｃａｔｔｅｒｅｒ）の不足により、ＴＸＲＵの数より転送ランクが小さいためである。
【０４１２】
従って、ＤＭＲＳ及び物理データチャンネルに全て同一のプリコーダが適用されるプリコーディングされたＲＳベースの転送がＮＲ  ＵＬ  ＭＩＭＯで基本（ｂａｓｅｌｉｎｅ）になることが好ましい。
【０４１３】
転送技術に関して、ＵＬ  ＤＭＲＳベース空間多重化（単一のユーザー（ＳＵ：Ｓｉｎｇｌｅ  Ｕｓｅｒ）ＭＩＭＯ／ＭＵ−ＭＩＭＯ）を支援するように合意された。ＵＬの多地点協調（ＣｏＭＰ：Ｃｏｏｒｄｉｎａｔｅｄ  Ｍｕｌｔｉ−Ｐｏｉｎｔ）転送もまた支援されることができる。即ち、ＵＬの受信ポイントは、ＵＥにトランスペアレント（ｔｒａｎｓｐａｒｅｎｔ）することができる。
【０４１４】
ＵＬ  ＳＵ−ＭＩＭＯにおいて、プリコーダの情報がネットワークによりＵＥにシグナリングされない開ループ（ＯＬ：ｏｐｅｎ  ｌｏｏｐ）技術、且つプリコーダの情報の一部がネットワークによりＵＥにシグナリングされる半−開ループ（ｓｅｍｉ−ＯＬ：ｓｅｍｉ−ｏｐｅｎ−ｌｏｏｐ）技術がプリコーダの全ての情報（即ち、ＰＭＩ及びＲＩ）がネットワークによりＵＥにシグナリングされる既存の閉ループ（ｃｌｏｓｅｄ  ｌｏｏｐ）技術に加えて考慮されることができる。全体又は部分的なＤＬ／ＵＬの相互性が有効であるとき、ＯＬ及び半−ＯＬ  ＭＩＭＯは有用であり得る。ＵＬ  ＭＵ−ＭＩＭＯは閉ループの運営に基づくことができるが、これに制限されない。
【０４１５】
ＵＬ  ＭＩＭＯの転送技術は、ネットワークからＵＥにシグナリングされるプリコーダの情報の完全性（ｃｏｍｐｌｅｔｅｎｅｓｓ）及び存在によって、次のように分類できる。
【０４１６】
−Ｃｌｏｓｅｄ  ｌｏｏｐ：全体のプリコーダの情報がＵＥにシグナリング
【０４１７】
−Ｏｐｅｎ  ｌｏｏｐ：プリコーダの情報がＵＥにシグナリングされない
【０４１８】
−Ｓｅｍｉ−ｏｐｅｎ  ｌｏｏｐ：プリコーダの情報の一部がＵＥにシグナリング
【０４１９】
また、ＤＬ  ＳＵ−ＭＩＭＯ及びＤＬ  ＭＵ−ＭＩＭＯの全てのために少なくとも８個の直交するＤＬ  ＤＭＲＳポートを支援するように合意された。ＤＬと同様に、基本的に（ｂａｓｅｌｉｎｅ）ＵＬ  ＳＵ−ＭＩＭＯ及びＵＬ  ＭＵ−ＭＩＭＯの全てのために少なくとも４個の直交するＤＭＲＳポートを支援するように提案するために、ＬＴＥを参照することができる。ＳＵ−ＭＩＭＯの観点から見ると、実際の環境（即ち、高周波帯域で制限された数の主光線（ｄｏｍｉｎａｎｔ  ｒａｙ）及びＵＥでの制限された数のＴＸＲＵ）で上位ランクの可能性を考慮することによって、既存のＬＴＥより高いレイヤーを支援するための動機が明らかではないことがある。しかし、順方向互換性（ｆｏｒｗａｒｄ  ｃｏｍｐａｔｉｂｉｌｉｔｙ）を考慮すると、最大のレイヤーを初期から増加させることを考慮することができる（例えば、大きなＵＥ類型を考慮し、ＵＬ  ＳＵ−ＭＩＭＯの場合、８レイヤー）。ＭＵ−ＭＭＯの観点から見ると、ＮＲは目標スペクトルの効率を達成するために、高次元（ｈｉｇｈｅｒ  ｏｒｄｅｒ）のＭＵ−ＭＩＭＯを達成するための明らかな動機を有する。しかし、合理的な範囲内でＤＭＲＳのオーバーヘッドを管理するために、非直交ＤＭＲＳポート（例えば、スクランブリングシーケンス）を用いることによって、特定の数（例えば、４又は８）を超えるＭＵ多重化レイヤーを支援することが好ましい。
【０４２０】
従って、ＳＵ−ＭＩＭＯ及びＭＵ−ＭＩＭＯの全てのために少なくとも４個の直交するＵＬ  ＤＭＲＳポートが支援されることが好ましい。
【０４２１】
空間多重化のためのコードワード（ｃｏｄｅｗｏｒｄ）の数に関しては、リンク適応の柔軟性と制御シグナリングのオーバーヘッドとの間のトレードオフ（ｔｒａｄｅ−ｏｆｆ）の関係を考慮し、ＬＴＥのように最大二つのコードワードを支援することが合理的であり得る。
【０４２２】
従って、ＮＲ  ＵＬ  ＭＩＭＯで基本的に２つのコードワードまで支援することが好ましい。
【０４２３】
ＵＬ  ＭＩＭＯのための周波数選択的なプリコーディング
【０４２４】
ｅＭＢＢ（（ｅｎｈａｎｃｅｄ  Ｍｏｂｉｌｅ  ＢｒｏａｄＢａｎｄ））及びＵＲＬＬＣ（ｕｌｔｒａ−ｒｅｌｉａｂｌｅ  ｌｏｗ  ｌａｔｅｎｃｙ  ｃｏｍｍｕｎｉｃａｔｉｏｎ）サービスの場合、少なくとも４０ＧＨｚまでＵＬ  ＮＲ波形が支援されるように特定された低いピーク電力対平均電力比（ＰＡＰＲ：Ｐｅａｋ  ｔｏ  Ａｖｅｒａｇｅ  Ｐｏｗｅｒ  Ｒａｔｉｏ）／キュービックメトリック（ＣＭ：Ｃｕｂｉｃ  Ｍｅｔｒｉｃ）の技術がない、循環プレフィックス−ＯＦＤＭ（ＣＰ−ＯＦＤＭ：Ｃｙｃｌｉｃ  Ｐｒｅｆｉｘ  ＯＦＤＭ）が勧告されると合意された。
【０４２５】
ＮＲでＣＰ−ＯＦＤＭ波形及び支援可能なシステム帯域幅を考慮するとき、周波数選択的なプリコーディングはＵＬ  ＭＩＭＯのために導入されたものと見なされることができる。しかし、指示するサブ帯域のＰＭＩにより増加された制御チャンネルのオーバーヘッドは、そのような周波数選択的なＵＬ−ＭＩＭＯのプリコーディングを適用するための重要な問題であり得る。ＵＬ関連のＤＣＩとは別途に様々なＰＭＩをシグナリングし、そのようなシグナリングを指示するためにＤＣＩにポインターフィールド（ｐｏｉｎｔｅｒ  ｆｉｅｌｄ）を含むことが考慮され得るが、このような種類の２段階の接近法は、第一の段階でサブバンドの単位で多重ＰＭＩの全体情報を提供するための遅延（ｌａｔｅｎｃｙ）により、好ましくないことがある。言い換えると、そのような周波数選択的なＵＬのプリコーダを導入しようとする動機は、周波数領域を用いる速いＵＬリンクの適応を達成するものであるため、プリコーダ情報の全体セットは、ＵＬの転送のためにスケジューリングされるときにＵＥに瞬間的に伝達されることが要求される。
【０４２６】
周波数選択的なＵＬ−ＭＩＭＯのスケジューリングに対する制御チャンネルのオーバーヘッドの問題を解決するために、このＵＬの場合（例えば、４−Ｔｘの場合）と同様に、ＤＬでのように二重のコードブック構造を適用することが検討される必要がある。ＵＬに対して合意されたＣＰ−ＯＦＤＭの構造を考慮すると、サブバンド当たり最終のＵＬプリコーダ（Ｗ）は、広帯域ＰＭＩ成成分（Ｗ＿１）及び対応するサブバンドのＰＭＩ成分（Ｗ＿２）に分解されることができる。次に、ＵＬスケジューリングＤＣＩにおいて、Ｗ＿１の情報は一度含まれるのに充分であり、同一のＤＣＩ内のリソース割当フィールドにより与えられたスケジューリングされたＲＢ領域によって、多数のＷ＿２が含まれる必要がある。Ｗ＿１とＷ＿２に対するコードブックを定義する方法は後日の研究のためのものであるが、基本（ｂａｓｅｌｉｎｅ）はＲｅｌ−１２  ＤＬ  ４−Ｔｘコードブックを再使用することが好ましい。既存のＬＴＥ  ２−Ｔｘ  ＤＬコードブックは、２−Ｔｘ  ＵＬの場合に対してそのまま再使用でき、全体のサブバンド当たりのＰＭＩがＵＬスケジューリンググラントで提供される必要がある。また、ＤＦＴ−スプレッド−ＯＦＤＭ（ＤＦＴ−Ｓ−ＯＦＤＭ：ＤＦＴ  ｓｐｒｅａｄ  ＯＦＤＭ）ベースＵＬ−ＭＩＭＯのプリコーダが支援されるか否か、及びこの場合、前記議論されたように、ＣＰ−ＯＦＤＭベースＵＬのプリコーダを使用するか、ＤＦＴ−Ｓ−ＯＦＤＭベースＵＬ  のプリコーダを使用してＵＥを設定する方法を検討しなければならない。
【０４２７】
即ち、ＵＥは、ＣＰ−ＯＦＤＭベースのコードブック１（例えば、前記二重のコードブック構造）とＤＦＳ−Ｓ−ＯＦＤＭベースのコードブック２（例えば、ＣＭＰ（ｃｕｂｉｃ−ｍｅｔｒｉｃ  ｐｒｅｓｅｒｖｉｎｇ）コードブック等）の少なくとも一つを基地局から設定を受けることができる。また、端末は、このうちどんなコードブックに基づいたＵＬプリコーディングを遂行すべきか、Ｌ１（例えば、ＤＣＩにより）、Ｌ２（例えば、ＭＡＣ  ＣＥにより）、及び／又はＬ３（例えば、ＲＲＣにより）に基地局から設定／指示されることができる。
【０４２８】
特徴的には、ＵＥはＣＰ−ＯＦＤＭベースＵＬの転送が設定／指示されるときはコードブック１とコードブック２のうち一つを基地局から設定／指示  （ａｎｄ／ｏｒ  ｓｗｉｔｃｈｉｎｇ）を受けて適用することができ、逆にＤＦＳ−Ｓ−ＯＦＤＭベースＵＬの転送が設定／指示されるときは、常にコードブック２のみを適用できるように限定されることができる。これは、ＤＦＳ−Ｓ−ＯＦＤＭベースの下では、コードブック１の適用がＰＡＰＲを大きく増幅させるなど、不適切であることがあるためである。
【０４２９】
より特徴的には、特定のランク値に連動し、前記どんなコードブックが適用されるかが定義されるか、ＵＥに設定されることもできる。例えば、ランクＸ（例えば、Ｘ＝１）の転送の場合には、ＰＡＰＲイシュー等、転送パワーの側面で有利であるようにコードブック２が適用されるように定義されるか、ＵＥに設定することができる。反面、ランクＹ（例えば、Ｙ＝２）またはそれ以上の場合には、コードブック１が適用されるように設定されることによって（例えば、一般的にセル−エッジ（ｃｅｌｌ−ｅｄｇｅ）の領域ではないＵＥ）転送パワーの側面よりもスループット（ｔｈｒｏｕｇｈｐｕｔ）を極大化することができるプリコーダを適用するように定義されるか、ＵＥに設定することができる。
【０４３０】
このような動作が適用されれば、前記ＵＬグラントなどを通じてランクが指示されるとき、ＵＥは自動でこれに連動し、このように異なるコードブックを適用した状態で指示されたＰＭＩ／プリコーダを解釈／適用することができる。
【０４３１】
前記説明では、一例として特定の波形（ｗａｖｅｆｏｒｍ）に基づいて（例えば、ＣＰ−ＯＦＤＭベース又はＤＦＳ−Ｓ−ＯＦＤＭベース）設定を受けることに連動し、特定のコードブック（例えば、コードブック１またはコードブック２、．．．）が適用される動作を説明した。
【０４３２】
但し、これに限定されず、ＵＥのＵＬを転送する際に、特定の波形と関係なく、ＵＥが特定の候補コードブック１（例えば、ＤＦＴベースコードブック）、コードブック２（例えば、グラスマン（ｇｒａｓｓｍａｎｎｉａｎ）コードブック）、又はコードブック３（例えば、ハウスホルダー（ｈｏｕｓｅｈｏｌｄｅｒ）コードブック）等のうち基地局の指示下に特定のコードブックを適用し、ＵＬ転送を開始するように前記動作が定義されるか、ＵＥに設定／指示されることもできる。
【０４３３】
より具体的な実施例として、候補コードブック１は、ＵＥのアンテナ構成  （ｃｏｎｆｉｇｕｒａｔｉｏｎ）によるアンテナ間の配置／間隔が相対的に等間隔及び／又は密接な間隔（ｃｌｏｓｅｌｙ−ｓｐａｃｅｄ）の形態で具現されているときにより好適なものであって、ＤＦＴ−ベクトル等を使用する特定のＤＦＴベースのコードブック（例えば、ＬＴＥ−Ａコードブックを含む二重のコードブック構造）の形態で定義されるか、ＵＥに設定されることができる。また、候補コードブック２は、ＵＥのアンテナの構成（ｃｏｎｆｉｇｕｒａｔｉｏｎ）によるアンテナ間の配置／間隔が相対的に不規則的であるか、広い間隔（ｗｉｄｅｌｙ−ｓｐａｃｅｄ）の形態で具現されているときにより好適なものであって、グラスマンコードブック等のコードベクトル間の等間隔（ｅｑｕａｌ  ｄｉｓｔａｎｃｅ）を最大限に有することができるように最適化したコードブックの形態で定義／設定されることができる。また、候補コードブック３は、（ＵＥのアンテナ構成によって）前記コードブック１及びコードブック２等の異なる属性及び目的を有する他のコードブック間に一部のコードベクトルを抜粋して作る形態で、特定の混合形態のコードブック、例えば、ハウスホルダーコードブック等の形態で定義されるか、ＵＥに設定されることができる。
【０４３４】
結局のところ、端末は事前に特定の基地局に接続する際にＵＥ能力のシグナリングを介して、自身がＵＬを転送する際に適用できる（前記）特定の候補コードブックのうち少なくとも一つのどんなコードブックが具現されているか、または支援するかを基地局に能力シグナリングするように定義されるか、ＵＥに設定されることができる。及び／又はこのように具現／支援されるコードブックが二つ以上であるとき、ＵＥはそのうちでもＵＥがより好むコードブックが何かを（特定の形態で加重値（ｗｅｉｇｈｔｉｎｇ）を付与する式で細分化した好みの情報を提供することもできる）基地局に知らせることができる。これは、該当ＵＥの前記具現されたアンテナ構成の特性に基づくとき、どんなコードブックがより好適であるか決定されることができ、このように具現／支援されるコードブックのうち、より性能の側面において有利な効果を出すコードブックが何かと関連する情報を基地局に提供するという効果がある。
【０４３５】
また、基地局はこのような情報に基づき、前記ＵＥがＵＬを転送する際に適用するコードブックを設定／指示するようにする。このとき、端末が具現／支援可能であると能力シグナリングをしたコードブックのうち、該当基地局が具現／支援しないコードブックも存在し得る。この場合、基地局は自身が具現／支援するコードブックのみを（ＵＥが報告した前記コードブック間の好みの情報と関係なく）ＵＥが用いるように設定することもできる。または、基地局も多数のコードブックをＵＥに設定／指示することができる能力があるとしても（即ち、全て具現されているとしても）、該当セルに接続した多数のＵＥのコードブックの具現／支援状態、及び／又はコードブックの好みの状態等を総合的に考慮し、セル−特定又は端末グループ−特定するように共通に適用する前記特定のコードブックを設定／指示することもできる（例えば、ＵＬ  ＭＵ−ＭＩＭＯの転送等にさらに容易にする目的のために）。
【０４３６】
前記特定のコードブックをＵＬを転送する際に適用するように基地局が該当端末に設定／指示する方法において、ＲＲＣシグナリング（及び／又はＭＡＣ  ＣＥシグナリング）等による相対的に準静的の設定方法も適用可能である。前記で説明したように、特定のＵＬのスケジューリンググラントに連動し、相対的にさらに動的なシグナリング／指示によってどんな前記特定のコードブックをＵＥに適用するようにするかを動的に指示されることもできる。このような動的指示は、該当ＵＬグラント等の制御シグナリング内の特定のフィールドを介して明示的に及び／又は（特徴のフィールド情報と連動し）暗示的に指示されることができる。
【０４３７】
より特徴的には、前記言及したように特定のランク別に連動し、どんなコードブックが適用されるか事前に定義されるか、ＵＥに設定されることもできる。例えば、ランク１のＵＬの転送をスケジューリングするＵＬグラントが転送されると、ＵＥは常にこれに連動された特定のコードブック（例えば、コードブック２）を適用してＵＬの転送を開始するように定義されるか、ＵＥに設定されることができる。また、ランクＸ（例えば、Ｘ＞１）のＵＬの転送をスケジューリングするＵＬグラントが転送されると、ＵＥは常にこれに連動された特定のコードブック（例えば、コードブック１）を適用してＵＬの転送を開始するように定義されるか、ＵＥに設定されることができる。
【０４３８】
従って、支援されれば、全体のサブバンドＵＬ−ＭＩＭＯのプリコーダは、ＵＬのスケジューリンググラント内で、直ちに（ｉｎｓｔａｎｔａｎｅｏｕｓｌｙ）ＵＥに提供されることが好ましく、このとき、広帯域成分（ｗｉｄｅｂａｎｄ  ｃｏｍｐｏｎｅｎｔ）は制御チャンネルのオーバーヘッドの減少のために一度だけ含まれることができる。
【０４３９】
ＵＬ  ＭＩＭＯのためのプリコーディングされたＳＲＳベース転送
【０４４０】
ＵＬのリンク適応（ＬＡ：ｌｉｎｋ  ａｄａｐｔａｔｉｏｎ）において、ＬＴＥはＵＥがＳＲＳ関連のパラメータの異なる多数のセットでＳＲＳを転送するように設定し、ここで特に設定されたＳＲＳポートの数がＵＥの総送信（Ｔｘ：ｔｒａｎｓｍｉｔ）アンテナポートより小さいとき、ＵＥは具現された特定のプリコーディング／選択を適用することができる。Ｒｅｌ−１３／１４  （ｅ）ＦＤ−ＭＩＭＯ（（ｅｎｈａｎｃｅｄ）Ｆｕｌｌ  Ｄｉｍｅｎｓｉｏｎ−ＭＩＭＯ）ビームフォーミングされたＣＳＩ−ＲＳベースの動作と比較するとき、ＵＬ  ＬＡに対するプリコーディング／ビームフォーミングされたＳＲＳの転送は、ＮＲで徹底的に検討されることが好ましい。説明の便宜上、次のようにＵＬ  ＬＡプロセスの観点から、３つのＵＥタイプが存在することができる：
【０４４１】
１）タイプ１のＵＥ（プリコーディングされたＳＲＳの転送で開始されるＵＬ−ＬＡ）
【０４４２】
−ＵＥは一つ以上のＳＲＳリソースに設定されることができ、ＴＲＰ（Ｔｒａｎｓｍｉｔ  ａｎｄ  Ｒｅｃｅｐｔｉｏｎ  Ｐｏｉｎｔ）により指示されたビームフォーミング又はＴＲＰトランスペアレント（ｔｒａｎｓｐａｒｅｎｔ）  のビームフォーミングが各ＳＲＳリソース上でのＳＲＳ転送に適用される。
【０４４３】
−ＵＥの転送されたプリコーディングされたＳＲＳリソースの測定に基づき、ＴＲＰはＳＲＳリソースの指示子（ＳＲＩ：ＳＲＳリソースの指示子）（多重の設定されたＳＲＳリソースの場合）、ＭＣＳ及び／又はＳＲＩ内のＳＲＳポートにかけて（又はＳＲＳポート上に）適用されるプリコーダを決定し、ＵＬスケジューリンググラントがＵＥに伝達されるときにこれらをＵＥに指示する。
【０４４４】
２）タイプ２のＵＥ（プリコーディングされない（ｎｏｎ−ｐｒｅｃｏｄｅｄ）ＳＲＳの転送で開始されるＵＬ−ＬＡ）
【０４４５】
−ＵＥは一つのＳＲＳリソースで設定されることができ、ＵＥはプリコーディングされない（ｎｏｎ−ｐｒｅｃｏｄｅｄ）ＳＲＳを転送する。
【０４４６】
−ＵＥの転送されたプリコーディングされない（ｎｏｎ−ｐｒｅｃｏｄｅｄ）ＳＲＳポートの測定に基づき、ＴＲＰはＭＣＳ及び／又はＳＲＳポートにかけて（又はＳＲＳポート上に）適用されるプリコーダを決定し、ＵＬスケジューリンググラントがＵＥに伝達されるときにこれらをＵＥに指示する。
【０４４７】
４−Ｔｘ  ＵＥ及びＣＰ−ＯＦＤＭの場合、前述した二重のコードブック構造が周波数選択的なＵＬ−ＭＩＭＯのプリコーダに使用されることができる。
【０４４８】
３）タイプ３のＵＥ（プリコーディングされない（ｎｏｎ−ｐｒｅｃｏｄｅｄ）ＳＲＳの転送で開始されるＵＬ−ＬＡ及びＴＲＰの指示によるプリコーディングされたＳＲＳの転送）
【０４４９】
−ＵＥのプリコーディングされない（ｎｏｎ−ｐｒｅｃｏｄｅｄ）ＳＲＳ  Ｋ＿１ポートの測定に基づき、ＴＲＰは粗いビームフォーマ（ｃｏａｒｓｅ  ｂｅａｍｆｏｒｍｅｒ）を決定し、これをつながるプリコーディングされたＳＲＳ  Ｋ＿２  （≦Ｋ＿１）ポートの転送に適用するようにＵＥに指示する。また、ＵＥの転送されたプリコーディングされたＳＲＳポートの測定に基づき、ＴＲＰはＭＣＳ及び／又はプリコーダを決定し、ＵＬのスケジューリンググラントがＵＥに伝達されるときにこれらを指示する。
【０４５０】
ＵＥにより報告されることができる前述した分類されたタイプに基づき、ある類型のＳＲＳ転送がＵＥにより遂行されるかを含んで、異なるＵＬ−ＬＡのプロセスがＵＥ−特定するように設定されることができる。プリコーディングされたＳＲＳ転送のケース（例えば、タイプ１及び／又はタイプ３）に関して、多数のＳＲＳリソースがＵＥに設定されることができ、ここで、ＵＥは各々の設定されたＳＲＳリソース上で異なってビームフォーミングされたＳＲＳポートを転送する。ＴＲＰは、そのようなビームフォーマの情報（ｂｅａｍｆｏｒｍｅｒ  ｉｎｆｏｒｍａｔｉｏｎ）をＵＥに指示することができ、またはＵＥはＳＲＳ転送のためにＴＲＰトランスペアレントビームフォーマ（ｔｒａｎｓｐａｒｅｎｔ  ｂｅａｍｆｏｒｍｅｒ）を適用するように許可されることができる。また、ＵＬのスケジューリンググラントがＵＥに与えられるとき、ＴＲＰはスケジューリングされたＵＬの転送のために、ＵＥが指示されたＳＲＳリソースに対応するＳＲＳの転送に使用されたものと同一のビームフォーマを適用するようにＳＲＳリソースの指示子をＵＥに指示することができる。また、選択されたＳＲＳリソース上で、ＴＲＰは指示されたＳＲＳ資源内のＳＲＳポートを介して、デジタルプリコーディングの情報（例えば、ＵＬ  ＰＭＩ）をさらに指示することができる。各ＳＲＳリソースに対して設定されたＳＲＳポートの数は、ＵＥのＵＬの転送で目標ランクとして解釈され得ることを注目しなければならない。従って、ＴＲＰはランク１乃至４をカバーするために、各ＳＲＳリソースは互いに異なるランクに相応する多重のＳＲＳリソースを設定することができる（例えば、ｖ番目のＳＲＳリソースのために設定されたｖ−ポートのＳＲＳ（ここで、ｖ＝１、２、３、４））。
【０４５１】
従って、ＵＬのリンク適応プロセスの側面で互いに異なるＵＥタイプに基づき、プリコーディングされない及び／又はプリコーディングされたＳＲＳ転送に関する手続がさらに検討される必要がある。
【０４５２】
図１３は、本発明の一実施例に係るアップリンクの送受信方法を例示する図である。
【０４５３】
図１３では、本発明の動作を簡単に例示しており、これに関するより詳細な説明は前述した動作に従うことができる。
【０４５４】
図１３を参照すると、ＵＥは基地局からダウンリンクの制御情報（ＤＣＩ）を受信する（Ｓ１３０３）。
【０４５５】
ＤＣＩはＳＲＳリソースの指示（ＳＲＩ：ＳＲＳ  Ｒｅｓｏｕｒｃｅ  Ｉｎｄｉｃａｔｉｏｎ）、プリコーディングの指示（例えば、Ｕ１及び／又はＵ２、又はＴＰＭＩ）及び／又はランクの指示（例えば、ＴＲＩ）を含むことができる。
【０４５６】
例えば、プリコーディングの指示は、広帯域属性を有する第１プリコーディングの指示（即ち、Ｕ１）及びサブバンド別に指示される第２プリコーディングの指示（Ｕ２）に区分できる。このとき、第２プリコーディングの指示（Ｕ２）はＵＥにスケジューリングされるアップリンクリソース割当情報とジョイントエンコーディング（ｊｏｉｎｔ  ｅｎｃｏｄｉｎｇ）されて転送されることができる。即ち、第２プリコーディングの指示（Ｕ２）は、ＵＬ  ＲＡのフィールドと連動されて、共に設定／指示されることができる。
【０４５７】
ＵＥはＳＲＩによって選択されたＳＲＳリソース内で転送されたＳＲＳのアンテナポート上にプリコーディングの指示により指示されたプリコーディングを適用し、基地局にアップリンクを転送する（Ｓ１３０４）。
【０４５８】
前記アップリンクの転送のためのランクの数は、ＤＣＩにより明示的に指示されてもよく、またはＤＣＩ内のＳＲＩにより選択されたＳＲＳリソース内で転送されたＳＲＳのアンテナポートの数で暗示的に決定されてもよい。
【０４５９】
一方、前記Ｓ１３０３の段階以前に、ＵＥは基地局からダウンリンク参照信号（ＤＬ  ＲＳ）（例えば、ＣＳＩ−ＲＳ等）を受信することができる（Ｓ１３０１）。
【０４６０】
また、ＵＥは、ＵＥに設定された一つ以上のＳＲＳリソース別にプリコーディングされたＳＲＳを基地局に転送することができる（Ｓ１３０２）。
【０４６１】
この場合、基地局は各ＳＲＳリソースに対するＳＲＳ測定を通じて、最も受信品質のよいＳＲＳリソースを選択し、選択されたＳＲＳリソース内のＳＲＳポートに対してプリコーディングの指示（例えば、Ｕ１及び／又はＵ２、又はＴＰＭＩ）を導出してＵＥに指示することができる。
【０４６２】
また、プリコーディングされたＳＲＳの転送のために適用されるビームフォーミングベクトル及び／又はビームフォーミング係数は、制御チャンネルのシグナリグにより基地局によって設定されるか、又はＵＥが任意に決定することができる。
【０４６３】
また、ＳＲＳリソース内のプリコーディングされたＳＲＳ転送のために適用されるビームフォーミングベクトル及び／又はビームフォーミング係数は、ＤＬ  ＲＳ（例えば、ＣＳＩ−ＲＳ等）の受信のために用いたビームフォーミングベクトル及び／又はビームフォーミング係数に基づいて決定されることができる。
【０４６４】
より具体的に、基地局が転送するＤＬ  ＲＳをＵＥが測定し、最適の“サービング−ビーム（ｓｅｒｖｉｎｇ−ｂｅａｍ）”を見付けることができる（また、これを報告することもできる）。また、ＵＥは最適の“サービング−ビーム（ｓｅｒｖｉｎｇ−ｂｅａｍ）”に対する自身の（ペアされた（ｐａｉｒｅｄ））最適の“Ｒｘ−受信−ビーム（Ｒｘ−ｒｅｃｅｉｖｉｎｇ−ｂｅａｍ）”を決定することができる。さらに、ＵＥはＤＬ／ＵＬのチャンネル相互（ｒｅｃｉｐｒｏｃｉｔｙ）特性（又はビームペアリンク（ｂｅａｍ  ｐａｉｒ  ｌｉｎｋ））を用いて、このような最適の“Ｒｘ−受信−ビーム（Ｒｘ−ｒｅｃｅｉｖｉｎｇ−ｂｅａｍ）”を逆に（例えば、エルミート（Ｈｅｒｍｉｔｉａｎ）取って）自身のプリコーディングされた／ビームフォーミングされたＳＲＳを転送する際に、該当ビームフォーミングベクトル／係数を適用してプリコーディングされたＳＲＳを転送することができる。即ち、プリコーディングされたＳＲＳの転送は、特定のＤＬ  ＲＳ（例えば、最適の“サービング−ビーム（ｓｅｒｖｉｎｇ−ｂｅａｍ）”）の受信のために用いられた空間的フィルタリング（ｓｐａｔｉａｌ  ｆｉｌｔｅｒｉｎｇ）と同一の空間的フィルタリングで遂行されることができる。
【０４６５】
もし、ＤＬ−ＲＳがＣＳＩ−ＲＳである場合、プリコーディングされたＳＲＳ転送のために適用されるビームフォーミングベクトル及び／又はビームフォーミング係数を決定するために用いられるＣＳＩ−ＲＳリソースは基地局により指示されることができる。
【０４６６】
また、ＵＥがＳＲＳリソース内で遂行されるプリコーディングされたＳＲＳの転送は、サブバンド別に独立して遂行されることができる。
【０４６７】
例えば、ＳＲＳリソース内でプリコーディングされたＳＲＳの転送のために各サブバンド別に独立したビームフォーミングベクトル及び／又はビームフォーミング係数が適用されることができる。
【０４６８】
また、ＳＲＳリソース内のサブバンド別にプリコーディングされたＳＲＳの転送のために適用されるビームフォーミングベクトル及び／又はビームフォーミング係数は、ＤＬ  ＲＳ（例えば、ＣＳＩ−ＲＳ等）の受信のために用いたビームフォーミングベクトル及び／又はビームフォーミング係数に基づいて決定されることができる。
【０４６９】
より具体的に、基地局が転送するＤＬ  ＲＳをＵＥが測定し、最適の“サービング−ビーム（ｓｅｒｖｉｎｇ−ｂｅａｍ）”を見付けることができる（また、これを報告することもできる）。また、ＵＥは最適の“サービング−ビーム（ｓｅｒｖｉｎｇ−ｂｅａｍ）”に対する自身の（ペアされた（ｐａｉｒｅｄ））最適の“Ｒｘ−受信−ビーム（Ｒｘ−ｒｅｃｅｉｖｉｎｇ−ｂｅａｍ）”を決定することができる。さらに、ＵＥはＤＬ／ＵＬのチャンネル相互（ｒｅｃｉｐｒｏｃｉｔｙ）特性（又はビームペアリンク（ｂｅａｍ  ｐａｉｒ  ｌｉｎｋ））を用いて、このような最適の“Ｒｘ−受信−ビーム（Ｒｘ−ｒｅｃｅｉｖｉｎｇ−ｂｅａｍ）”を逆に（例えば、エルミート（Ｈｅｒｍｉｔｉａｎ）取って）自身のプリコーディングされた／ビームフォーミングされたＳＲＳを転送する際に、該当ビームフォーミングベクトル／係数を適用して、各サブバンド別にプリコーディングされたＳＲＳを転送することができる。即ち、特定のサブバンドでプリコーディングされたＳＲＳの転送は、特定のＤＬ  ＲＳ（例えば、最適の“サービング−ビーム（ｓｅｒｖｉｎｇ−ｂｅａｍ）”）の受信のために用いられた空間的フィルタリング（ｓｐａｔｉａｌ  ｆｉｌｔｅｒｉｎｇ）と同一の空間的フィルタリングで遂行されることができる。
【０４７０】
この場合、もしＤＬ−ＲＳがＣＳＩ−ＲＳである場合、プリコーディングされたＳＲＳの転送のために適用されるビームフォーミングベクトル及び／又はビームフォーミング係数を決定するために用いられるＣＳＩ−ＲＳリソースは基地局により指示されることができる。
【０４７１】
本発明が適用できる装置の一般
【０４７２】
図１４は、本発明の一実施形態に係る無線通信装置のブロック構成図を例示する。
【０４７３】
図１４を参照すると、無線通信システムは基地局１４１０と基地局１４１０領域内に位置した多数の端末１４２０を含む。
【０４７４】
基地局１４１０は、プロセッサ（ｐｒｏｃｅｓｓｏｒ）１４１１、メモリ（ｍｅｍｏｒｙ）１４１２、及びＲＦ部（ｒａｄｉｏ  ｆｒｅｑｕｅｎｃｙ  ｕｎｉｔ）１４１３を含む。プロセッサ１４１１は先の図１から図１３で提案された機能、過程及び／又は方法を具現する。無線インターフェースプロトコルの階層はプロセッサ１４１１により具現できる。メモリ１４１２はプロセッサ１４１１と連結されて、プロセッサ１４１１を駆動するための多様な情報を格納する。ＲＦ部１４１３はプロセッサ１４１１と連結されて、無線信号を送信及び／又は受信する。
【０４７５】
端末１４２０は、プロセッサ１４２１、メモリ１４２２、及びＲＦ部１４２３を含む。プロセッサ１４２１は先の図１から図１３で提案された機能、過程及び／又は方法を具現する。無線インターフェースプロトコルの階層はプロセッサ１４２１により具現できる。メモリ１４２２はプロセッサ１４２１と連結されて、プロセッサ１４２１を駆動するための多様な情報を格納する。ＲＦ部１４２３はプロセッサ１４２１と連結されて、無線信号を送信及び／又は受信する。
【０４７６】
メモリ１４１２、１４２２はプロセッサ１４１１、１４２１の内部または外部にいることができ、よく知られた多様な手段によりプロセッサ１４１１、１４２１と連結できる。また、基地局１４１０及び／又は端末１４２０は１つのアンテナ（ｓｉｎｇｌｅ  ａｎｔｅｎｎａ）または多重アンテナ（ｍｕｌｔｉｐｌｅ  ａｎｔｅｎｎａ）を有することができる。
【０４７７】
以上で説明された実施形態は本発明の構成要素と特徴が所定の形態に結合されたものである。各構成要素または特徴は、別途の明示的な言及がない限り、選択的なものとして考慮されなければならない。各構成要素または特徴は他の構成要素や特徴と結合されない形態に実施できる。また、一部構成要素及び／又は特徴を結合して本発明の実施形態を構成することも可能である。本発明の実施形態で説明される動作の順序は変更可能である。ある実施形態の一部構成や特徴は他の実施形態に含まれることができ、または他の実施形態の対応する構成または特徴と取替えできる。特許請求範囲で明示的な引用関係がない請求項を結合して実施形態を構成するか、または出願後の補正により新たな請求項に含めることができることは明らかである。
【０４７８】
本発明に従う実施形態は多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現できる。
【０４７９】
ファームウエアやソフトウェアによる具現の場合、本発明の一実施形態は以上で説明された機能または動作を遂行するモジュール、手続、関数などの形態に具現できる。ソフトウェアコードは、メモリに格納されてプロセッサにより駆動できる。前記メモリは、前記プロセッサ内部または外部に位置し、既に公知された多様な手段により前記プロセッサとデータをやり取りすることができる。
【０４８０】
本発明は、本発明の必須的特徴を逸脱しない範囲で他の特定の形態に具体化できることは当業者に明らかである。したがって、前述した詳細な説明は全ての面から制約的に解析されてはならず、例示的なものとして考慮されなければならない。本発明の範囲は添付の請求項の合理的解析により決定されなければならず、本発明の等価的範囲内での全ての変更は本発明の範囲に含まれる。
【産業上の利用可能性】
【０４８１】
本発明は、３ＧＰＰ  ＬＴＥ／ＬＴＥ−Ａシステム又は５Ｇシステムに適用される例を中心に説明したが、３ＧＰＰ  ＬＴＥ／ＬＴＥ−Ａシステム又は５Ｇシステム以外にも、様々な無線通信システムに適用することが可能である。
【図１】
2019535174.tif 000027
【図２】
2019535174.tif 000028
【図３】
2019535174.tif 000029
【図４】
2019535174.tif 000030
【図５】
2019535174.tif 000031
【図６】
2019535174.tif 000032
【図７】
2019535174.tif 000033
【図８】
2019535174.tif 000034
【図９】
2019535174.tif 000035
【図１０】
2019535174.tif 000036
【図１１】
2019535174.tif 000037
【図１２】
2019535174.tif 000038
【図１３】
2019535174.tif 000039
【図１４】
2019535174.tif 000040
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
無線通信システムにおいて、ユーザー装置（ＵＥ）がアップリンク送信を実行する方法であって、
前記ＵＥに対して設定されるサウンディング参照信号（ＳＲＳ）リソースのそれぞれに対するＳＲＳを基地局に送信するステップと、
（ｉ）前記ＳＲＳリソースの内の１つのＳＲＳリソースを示すＳＲＳリソースの指示（ＳＲＩ）、及び（ｉｉ）前記ＳＲＩにより示される前記ＳＲＳリソースに対応し、前記アップリンク送信のためのプリコーダを示すプリコーディングの指示を含むダウンリンク制御情報（ＤＣＩ）を前記基地局から受信するステップと、
前記プリコーディングの指示により示され、前記ＳＲＩにより示される前記ＳＲＳリソースに対応する前記プリコーダを適用することにより、前記基地局への前記アップリンク送信を実行するステップと、を含む、アップリンク送信の実行方法。
【請求項２】
前記アップリンク送信に対し、（ｉ）アップリンクビームフォーミングベクトル、又は（ｉｉ）アップリンクビームフォーミング係数の少なくとも１つは、制御チャンネルシグナリングを介して前記基地局により設定されるか、又は前記ＵＥにより決定される、請求項１に記載のアップリンク送信の実行方法。
【請求項３】
アップリンクビームフォーミングベクトル又はアップリンクビームフォーミング係数の少なくとも１つは、前記基地局からのダウンリンク参照信号（ＤＬ  ＲＳ）の受信のために用いられるダウンリンクビームフォーミングベクトル又はダウンリンクビームフォーミング係数の少なくとも１つに基づいて決定される、請求項１に記載のアップリンク送信の実行方法。
【請求項４】
前記ＤＬ  ＲＳは、チャンネル状態情報参照信号（ＣＳＩ−ＲＳ）であり、
前記アップリンクビームフォーミングベクトル又は前記アップリンクビームフォーミング係数の少なくとも１つを決定するために用いられるＣＳＩ−ＲＳリソースは、前記基地局により示される、請求項３に記載のアップリンク送信の実行方法。
【請求項５】
アップリンクビームフォーミングベクトル又はアップリンクビームフォーミング係数の少なくとも１つは、アップリンクのための各サブバンドに独立して適用される、請求項１に記載のアップリンク送信の実行方法。
【請求項６】
前記各サブバンドに対する前記アップリンク送信に適用される前記アップリンクビームフォーミングベクトル又は前記アップリンクビームフォーミング係数の少なくとも１つは、前記基地局からのダウンリンク参照信号（ＤＬ  ＲＳ）の受信のために用いられるダウンリンクビームフォーミングベクトル又はダウンリンクビームフォーミング係数の少なくとも１つに基づいて決定される、請求項５に記載のアップリンク送信の実行方法。
【請求項７】
前記ＤＬ  ＲＳは、チャンネル状態情報参照信号（ＣＳＩ−ＲＳ）であり、
前記ダウンリンクビームフォーミングベクトル又は前記ダウンリンクビームフォーミング係数の少なくとも１つを決定するために用いられるＣＳＩ−ＲＳリソースは、前記基地局により示される、請求項６に記載のアップリンク送信の実行方法。
【請求項８】
前記ＤＣＩは、前記アップリンク送信のためのランク指示をさらに含む、請求項１に記載のアップリンク送信の実行方法。
【請求項９】
前記アップリンク送信のためのランクの数は、前記ＳＲＩにより示される前記ＳＲＳリソース内で送信される前記ＳＲＳのアンテナポートの数として決定される、請求項１に記載のアップリンク送信の実行方法。
【請求項１０】
前記プリコーディングの指示は、第１プリコーディングの指示及び第２プリコーディングの指示を含み、
前記第２プリコーディングの指示は、前記ＵＥにスケジューリングされるアップリンクリソース割当情報とジョイントエンコーディングされる、請求項１に記載のアップリンク送信の実行方法。
【請求項１１】
無線通信システムにおいて、アップリンク送信を実行するよう構成されたユーザー装置（ＵＥ）であって、
ＲＦユニットと、
少なくとも１つのプロセッサと、
前記少なくとも１つのプロセッサに動作可能に接続でき、コンピュータ命令を格納する少なくとも１つのコンピュータメモリと、を含み、
前記コンピュータ命令は、実行された際に、前記少なくとも１つのプロセッサに、
前記ＵＥに対して設定されるサウンディング参照信号（ＳＲＳ）リソースのそれぞれに対するＳＲＳを基地局に送信し、
（ｉ）前記ＳＲＳリソースの内の１つのＳＲＳリソースを示すＳＲＳリソースの指示（ＳＲＩ）、及び（ｉｉ）前記ＳＲＩにより示される前記ＳＲＳリソースに対応し、前記アップリンク送信のためのプリコーダを示すプリコーディングの指示を含むダウンリンク制御情報（ＤＣＩ）を前記基地局から受信し、
前記プリコーディングの指示により示され、前記ＳＲＩにより示される前記ＳＲＳリソースに対応する前記プリコーダを適用することにより、前記基地局への前記アップリンク送信を実行することを含む動作を実行させる、ユーザー装置。
【請求項１２】
前記プリコーディングの指示は、前記ＳＲＩにより示される前記ＳＲＳリソースのアンテナポートに対応する前記プリコーダを示すよう設定される、請求項１に記載のアップリンク送信の実行方法。
【請求項１３】
前記プリコーディングの指示により示され、前記ＳＲＩにより示される前記ＳＲＳリソースに対応する前記プリコーダを適用することは、前記プリコーダを用いて、前記基地局と通信するための情報をエンコーディングすることを含む、請求項１に記載のアップリンク送信の実行方法。
【請求項１４】
前記ＳＲＩにより示される前記ＳＲＳリソースに対応する前記プリコーダを示す前記プリコーディングの指示を受信することは、送信されたプリコーディング行列指示子（ＴＰＭＩ）を前記基地局から受信することを含む、請求項１に記載のアップリンク送信の実行方法。
【請求項１５】
無線通信システムにおいて、基地局がユーザー装置（ＵＥ）からアップリンク送信を受信する方法であって、
前記ＵＥに対して設定されるサウンディング参照信号（ＳＲＳ）リソースのそれぞれに対するＳＲＳを前記ＵＥから受信するステップと、
（ｉ）前記ＳＲＳリソースの内の１つのＳＲＳリソースを示すＳＲＳリソースの指示（ＳＲＩ）、及び（ｉｉ）前記ＳＲＩにより示される前記ＳＲＳリソースに対応し、前記アップリンク送信のためのプリコーダを示すプリコーディングの指示を含むダウンリンク制御情報（ＤＣＩ）を前記ＵＥに送信するステップと、
前記プリコーディングの指示により示され、前記ＳＲＩにより示される前記ＳＲＳリソースに対応する前記プリコーダを用いて前記ＵＥによりプリコーディングされた前記アップリンク送信を前記ＵＥから受信するステップと、を含む、アップリンク送信の受信方法。
【請求項１６】
無線通信システムにおいて、ユーザー装置（ＵＥ）からアップリンク送信を受信するよう構成された基地局であって、
ＲＦユニットと、
少なくとも１つのプロセッサと、
前記少なくとも１つのプロセッサに動作可能に接続でき、コンピュータ命令を格納する少なくとも１つのコンピュータメモリと、を含み、
前記コンピュータ命令は、実行され際に、前記少なくとも１つのプロセッサに、
前記ＵＥに対して設定されるサウンディング参照信号（ＳＲＳ）リソースのそれぞれに対するＳＲＳを前記ＵＥから受信し、
（ｉ）前記ＳＲＳリソースの内の１つのＳＲＳリソースを示すＳＲＳリソースの指示（ＳＲＩ）、及び（ｉｉ）前記ＳＲＩにより示される前記ＳＲＳリソースに対応し、前記アップリンク送信のためのプリコーダを示すプリコーディングの指示を含むダウンリンク制御情報（ＤＣＩ）を前記ＵＥに送信し、
前記プリコーディングの指示により示され、前記ＳＲＩにより示される前記ＳＲＳリソースに対応する前記プリコーダを用いて前記ＵＥによりプリコーディングされた前記アップリンク送信を前記ＵＥから受信することを含む動作を実行させる、基地局。
【国際調査報告】
2019535174.tif 000041
2019535174.tif 000042
2019535174.tif 000043
2019535174.tif 000044